(57)【特許請求の範囲】
【請求項１】
シート状の紙製ブランクにより形成された紙製箱に用いる紙製箱用ジッパーであって、
第１切れ目線と第２切れ目線とを有し、
第１切れ目線が、複数の第１切込み（１０、２０）を間隔を介して列状に配設してなり、
第１切込みが、
傾斜部（１２、２２）と、傾斜部の一方の端部である第１接触点（ｍ１２、ｍ２２）から形成された第１曲線部（１４、２４）と、第１曲線部の第１接触点とは反対側の端部である第２接触点（ｍ１３、ｍ２３）から形成された第２曲線部（１６、２６）とを有し、傾斜部が、傾斜部の他方の端部である第１端部（ｍ１１、ｍ２１）と第１接触点間に直線状に形成され、第１曲線部が、第１接触点と第２接触点間に円弧状又は楕円弧状に形成され、第２曲線部が、第２接触点と第２曲線部の第２接触点とは反対側の端部である第２端部（ｍ１４、ｍ２４）間に円弧又は楕円弧状に形成され、
ジッパー開封方向が直線状であり、
第１曲線部が、第１接触点を起点として傾斜部の第１接触点からの延長線（１２Ｅ、２２Ｅ）から見てジッパー開封方向に曲がる曲がり方向に形成され、第１曲線部の第１接触点における接線は、傾斜部と重なり、第２曲線部が、第２接触点から第１曲線部の曲がり方向とは逆の曲がり方向に形成され、
第１端部と第２接触点とが、ジッパー開封方向の仮想直線で第２端部を通る仮想直線（１０Ｅ、２０Ｅ）を介して互いに反対側に配置され、
第２曲線部は、仮想直線を介して第２接触点とは反対側に設けられた部分を有し、
傾斜部が、第１端部が第１接触点よりもジッパー開封方向において前側に位置するように仮想直線の方向に対して傾斜して形成され、
第１接触点は、第２接触点よりもジッパー開封方向において前側に位置し、第２接触点は、第２端部よりもジッパー開封方向において前側に位置し、
傾斜部又は傾斜部の延長線と該仮想直線との間の鋭角の角度（α１１、α２１）が、第１曲線部の第２接触点における接線（１４Ｅ、２４Ｅ）と該仮想直線との間の鋭角の角度（α１４、α２４）よりも大きく形成され、
第２端部における第２曲線部の接線（１６Ｅ、２６Ｅ）と仮想直線との間のジッパー開封方向における後側の角度である第１角度（α１５、α２５）が鋭角であるとともに、第２端部とジッパー開封方向において後側に隣接する他の第１切込みの第１端部との間の仮想直線（１７Ｅ、２７Ｅ）と仮想直線との間のジッパー開封方向における後側の角度である第２角度（α１６、α２６）が鋭角であり、第１角度と第２角度は、仮想直線を介して互いに反対側にあり、第２角度が第１角度の２倍以上であり、
第２切れ目線が、第１切れ目線との間の中心線を介して対称形状に形成され、第２切れ目線が、複数の第２切込み（２０、１０）を間隔を介して列状に配設してなり、複数の第２切れ目線における各第２切込みが該中心線を介して第１切れ目線における第１切込みと対称形状に形成されていることを特徴とする紙製箱用ジッパー。
【請求項２】
第１端部から仮想直線までの長さ（Ｌ１１、Ｌ２１）が、第１曲線部において仮想直線までの距離が最も長い点である最突出点（ｎ１４）から仮想直線までの長さ（Ｌ１２、Ｌ２２）よりも長く、
第１曲線部における最突出点が、仮想直線を介して第１端部と反対側に位置することを特徴とする請求項１に記載の紙製箱用ジッパー。
【請求項３】
傾斜部の第１接触点からの延長線（１２Ｅ、２２Ｅ）と第１曲線部の第２接触点における接線（１４Ｅ、２４Ｅ）との間の角度で、第１曲線部側の角度（α１３）が直角以下であることを特徴とする請求項１又は２に記載の紙製箱用ジッパー。
【請求項４】
第１端部から仮想直線までの長さ（Ｌ１１、Ｌ２１）が、第２曲線部において仮想直線を介して第２接触点とは反対側に設けられた部分において仮想直線までの距離が最も長い点である最突出点（ｎ１６、ｎ２６）から仮想直線までの長さ（Ｌ１３、Ｌ２３）よりも長いことを特徴とする請求項１又は２又は３に記載の紙製箱用ジッパー。
【請求項５】
第１端部と第１接触点とが、該仮想直線を介して互いに反対側に配置されていることを特徴とする請求項１又は２又は３又は４に記載の紙製箱用ジッパー。
【請求項６】
第２接触点における第１曲線部の接線は、第２接触点における第２曲線部の接線と重なることを特徴とする請求項１又は２又は３又は４又は５に記載の紙製箱用ジッパー。
【請求項７】
シート状の紙製ブランクにより形成された紙製箱に用いる紙製箱用切れ目線であって、
紙製箱用切れ目線が、複数の切込み（１０、２０）を間隔を介して列状に配設してなり、
切込みが、
傾斜部（１２、２２）と、傾斜部の一方の端部である第１接触点（ｍ１２、ｍ２２）から形成された第１曲線部（１４、２４）と、第１曲線部の第１接触点とは反対側の端部である第２接触点（ｍ１３、ｍ２３）から形成された第２曲線部（１６、２６）とを有し、傾斜部が、傾斜部の他方の端部である第１端部（ｍ１１、ｍ２１）と第１接触点間に直線状に形成され、第１曲線部が、第１接触点と第２接触点間に円弧状又は楕円弧状に形成され、第２曲線部が、第２接触点と第２曲線部の第２接触点とは反対側の端部である第２端部（ｍ１４、ｍ２４）間に円弧又は楕円弧状に形成され、
切れ目線開封方向が直線状であり、
第１曲線部が、第１接触点を起点として傾斜部の第１接触点からの延長線（１２Ｅ、２２Ｅ）から見てジッパー開封方向に曲がる曲がり方向に形成され、第１曲線部の第１接触点における接線は、傾斜部と重なり、第２曲線部が、第２接触点から第１曲線部の曲がり方向とは逆の曲がり方向に形成され、
第１端部と第２接触点とが、切れ目線開封方向の仮想直線で第２端部を通る仮想直線（１０Ｅ、２０Ｅ）を介して互いに反対側に配置され、
第２曲線部は、仮想直線を介して第２接触点とは反対側に設けられた部分を有し、
傾斜部が、第１端部が第１接触点よりも切れ目線開封方向において前側に位置するように仮想直線の方向に対して傾斜して形成され、
第１接触点は、第２接触点よりも切れ目線開封方向において前側に位置し、第２接触点は、第２端部よりも切れ目線開封方向において前側に位置し、
傾斜部又は傾斜部の延長線と該仮想直線との間の鋭角の角度（α１１、α２１）が、第１曲線部の第２接触点における接線（１４Ｅ、２４Ｅ）と該仮想直線との間の鋭角の角度（α１４、α２４）よりも大きく形成され、
第２端部における第２曲線部の接線（１６Ｅ、２６Ｅ）と仮想直線との間の切れ目線開封方向における後側の角度である第１角度（α１５、α２５）が鋭角であるとともに、第２端部と切れ目線開封方向において後側に隣接する他の第１切込みの第１端部との間の仮想直線（１７Ｅ、２７Ｅ）と仮想直線との間の切れ目線開封方向における後側の角度である第２角度（α１６、α２６）が鋭角であり、第１角度と第２角度は、仮想直線を介して互いに反対側にあり、第２角度が第１角度の２倍以上であることを特徴とする紙製箱用切れ目線。
【請求項８】
第１端部から仮想直線までの長さ（Ｌ１１、Ｌ２１）が、第１曲線部において仮想直線までの距離が最も長い点である最突出点（ｎ１４）から仮想直線までの長さ（Ｌ１２、Ｌ２２）よりも長く、
第１曲線部における最突出点が、仮想直線を介して第１端部と反対側に位置することを特徴とする請求項７に記載の紙製箱用切れ目線。
【請求項９】
傾斜部の第１接触点からの延長線（１２Ｅ、２２Ｅ）と第１曲線部の第２接触点における接線（１４Ｅ、２４Ｅ）との間の角度で、第１曲線部側の角度（α１３）が直角以下であることを特徴とする請求項７又は８に記載の紙製箱用切れ目線。
【請求項１０】
第１端部から仮想直線までの長さ（Ｌ１１、Ｌ２１）が、第２曲線部において仮想直線を介して第２接触点とは反対側に設けられた部分において仮想直線までの距離が最も長い点である最突出点（ｎ１６、ｎ２６）から仮想直線までの長さ（Ｌ１３、Ｌ２３）よりも長いことを特徴とする請求項７又は８又は９に記載の紙製箱用切れ目線。
【請求項１１】
第１端部と第１接触点とが、該仮想直線を介して互いに反対側に配置されていることを特徴とする請求項７又は８又は９又は１０に記載の紙製箱用切れ目線。
【請求項１２】
第２接触点における第１曲線部の接線は、第２接触点における第２曲線部の接線と重なることを特徴とする請求項７又は８又は９又は１０又は１１に記載の紙製箱用切れ目線。
【請求項１３】
底面部（５０）と、底面部の各辺から立設し底面部に対して略直角をなすスリーブ状部で、正面部（１０）と、右側面部（２０）と、左側面部（３０）と、背面部（４０）とからなるスリーブ状部（５）と、スリーブ状部の上端から連設された蓋部（１２０、１３０）とを有する紙製箱であって、
スリーブ状部に切れ目線（Ｋ５）が周状に設けられ、
該切れ目線は、正面部における右側面側の辺部と左側面側の辺部間に形成された第１切れ目線（Ｋ１０）と、右側面部における正面側の辺部と背面側の辺部間に形成された第２切れ目線（Ｋ２０）と、左側面部における正面側の辺部と背面側の辺部間に形成された第３切れ目線（Ｋ３０）と、背面部における右側面側の辺部と左側面側の辺部間に形成された第４切れ目線（Ｋ４０）とを有し、
背面部においては、背面部の第４切れ目線よりも下側の領域である下背面部（４２）に、第４切れ目線から連設された一対の切れ目線（Ｋ４４、Ｋ４５）が設けられ、背面部の第４切れ目線よりも上側の領域である上背面部（４５）に、背面部の右側面側上端の角部である第１角部と第４切れ目線の右側面側の端部から左側面側の端部までの途中位置である第１途中位置の間の位置に第１角部と第１途中位置とを結ぶ方向に第１折れ線（Ｃ４２）が形成されるとともに、背面部の左側面側上端の角部である第２角部と第４切れ目線の左側面側の端部から右側面側の端部までの途中位置で第１途中位置よりも左側面側である第２途中位置の間の位置に第２角部と第２途中位置とを結ぶ方向に第２折れ線（Ｃ４３）が形成され、第１折れ線（Ｃ４２）と第２折れ線（Ｃ４３）とが、第４切れ目線側にいくに従い第１折れ線と第２折れ線間の長さが短くなるように左右線対称に形成され、第１折れ線の下端と第２折れ線の下端は左右方向に間隔を介して設けられ、上背面部が、第１折れ線と第２折れ線間の領域である中央領域（４６）と、第１折れ線よりも右側面側の領域である右側領域（４７）と、第２折れ線よりも左側面側の領域である左側領域（４８）とを有し、
右側面部においては、右側面部の第２切れ目線よりも上側の領域である上右側面部（２５）に、第３折れ線（Ｃ２１）が、右側面部の背面側上端の角部である第３角部と第２切れ目線の背面側の端部から正面側の端部への途中位置である第３途中位置の間の位置に、第３角部と第３途中位置とを結ぶ方向に形成され、第３折れ線は、下側にいくほど正面側となるように形成され、
左側面部においては、左側面部の第３切れ目線よりも上側の領域である上左側面部（３５）に、第４折れ線（Ｃ３１）が、左側面部の背面側上端の角部である第４角部と第３切れ目線の背面側の端部から正面側の端部への途中位置である第４途中位置の間の位置に、第４角部と第４途中位置とを結ぶ方向に形成され、第４折れ線は、下側にいくほど正面側となるように形成され、
第２切れ目線における第３折れ線又は第３折れ線の延長線との接点から正面側の範囲における少なくとも一部の切れ目線である第１特定切れ目線と、第３切れ目線における第４折れ線又は第４折れ線の延長線との接点から正面側の範囲における少なくとも一部の切れ目線である第２特定切れ目線は、ともに、複数の切込みを有し、第１特定切れ目線と第２特定切れ目線の切れ目線開封方向が直線状であり、
第１特定切れ目線における切込みと第２特定切れ目線における切込みは、
傾斜部（１２、２２）と、傾斜部の一方の端部である第１接触点（ｍ１２、ｍ２２）から形成された第１曲線部（１４、２４）と、第１曲線部の第１接触点とは反対側の端部である第２接触点（ｍ１３、ｍ２３）から形成された第２曲線部（１６、２６）とを有し、傾斜部が、傾斜部の他方の端部である第１端部（ｍ１１、ｍ２１）と第１接触点間に直線状に形成され、第１曲線部が、第１接触点と第２接触点間に円弧状又は楕円弧状に形成され、第２曲線部が、第２接触点と第２曲線部の第２接触点とは反対側の端部である第２端部（ｍ１４、ｍ２４）間に円弧又は楕円弧状に形成され、
第１曲線部が、第１接触点を起点として傾斜部の第１接触点からの延長線（１２Ｅ、２２Ｅ）から見てジッパー開封方向に曲がる曲がり方向に形成され、第１曲線部の第１接触点における接線は、傾斜部と重なり、第２曲線部が、第２接触点から第１曲線部の曲がり方向とは逆の曲がり方向に形成され、
第１端部と第２接触点とが、切れ目線開封方向の仮想直線で第２端部を通る仮想直線（１０Ｅ、２０Ｅ）を介して互いに反対側に配置され、
第２曲線部は、仮想直線を介して第２接触点とは反対側に設けられた部分を有し、
傾斜部が、第１端部が第１接触点よりも切れ目線開封方向において前側に位置するように仮想直線に対して傾斜して形成され、
第１接触点は、第２接触点よりも切れ目線開封方向において前側に位置し、第２接触点は、第２端部よりも切れ目線開封方向において前側に位置し、
傾斜部と該仮想直線との間の鋭角の角度（α１１、α２１）が、第１曲線部の第２接触点における接線（１４Ｅ、２４Ｅ）と該仮想直線との間の鋭角の角度（α１４、α２４）よりも大きく形成され、
第１特定切れ目線における切込みは、第１端部を右側面部の第２切れ目線よりも下側の領域である下右側面部側とし、第２接触点を上右側面部側として設けられ、
第２特定切れ目線における切込みは、第１端部を右側面部の第２切れ目線よりも下側の領域である下右側面部側とし、第２接触点を上右側面部側として設けられ、
下背面部における該一対の切れ目線間の領域を外側から押して、中央領域の下端に指をひっかけ、中央領域の下端を外側にひっぱることにより、右側領域が中央領域に対して第１折れ線を介して折曲するとともに、左側領域が中央領域に対して第２折れ線を介して折曲して、第４切れ目線における左側領域と下背面部間の切れ目線と右側領域と下背面部間の切れ目線とが破断し、上右側面部における第３折れ線よりも背面側の領域である第１背面側領域（２７）が第３折れ線を介して内側に回動して第２切れ目線における第１背面側領域と右側面部の第２切れ目線よりも下側の領域である下右側面部（２２）間の切れ目線が破断するとともに、上左側面部における第４折れ線よりも背面側の領域である第２背面側領域（３７）が第４折れ線を介して内側に回動して第３切れ目線における第２背面側領域と左側面部の第３切れ目線よりも下側の領域である下左側面部（３２）間の切れ目線が
破断し、
さらに、中央領域の下端を上方にひっぱることにより、第２切れ目線における第３折れ線よりも正面側の領域である第１正面側領域（２６）と下右側面部間の切れ目線が破断するとともに、第３切れ目線における第４折れ線よりも正面側の領域である第２正面側領域（３６）と下左側面部間の切れ目線が破断することを特徴とする紙製箱。
【請求項１４】
第２切目線における第３折れ線よりも正面側の領域である第１正面側領域（２６）と下右側面部間の切目線が破断するとともに、第３切目線における第４折れ線よりも正面側の領域である第２正面側領域（３６）と下左側面部間の切目線が破断した後に、第１切目線を破断することにより、正面部における第１切目線よりも上側の領域である上正面部（１５）と上右側面部と上左側面部と上背面部と蓋部とからなる上側構成部（Ａ−２）が取り除かれることを特徴とする請求項１３に記載の紙製箱。
【請求項１５】
第２切れ目線は、第２切れ目線における第３折れ線又は第３折れ線の延長線との接点から正面側に向けて形成された第１上昇切れ目線で正面側にいくほど上側となるように形成された第１上昇切れ目線（Ｋ２４）と、第１上昇切れ目線よりも正面側に設けられ、正面側にいくほど下側となるように形成された第１下降切れ目線（Ｋ２２）とを有し、第１特定切れ目線は、第１上昇切れ目線における背面側の端部から正面側の端部までの範囲内に設けられるとともに、第１下降切れ目線における背面側の端部から正面側の端部までの範囲内に設けられ、
第３切れ目線は、第３切れ目線における第４折れ線又は第４折れ線の延長線との接点から正面側に向けて形成された第２上昇切れ目線で正面側にいくほど上側となるように形成された第２上昇切れ目線（Ｋ３４）と、第２上昇切れ目線よりも正面側に設けられ、正面側にいくほど下側となるように形成された第２下降切れ目線（Ｋ３２）とを有し、第２特定切れ目線は、第２上昇切れ目線における背面側の端部から正面側の端部までの範囲内に設けられるとともに、第２下降切れ目線における背面側の端部から正面側の端部までの範囲内に設けられていることを特徴とする請求項１３又は１４に記載の紙製箱。
【請求項１６】
第４切れ目線における左側領域と下背面部間の切れ目線と右側面部における第１背面側領域と下右側面部間の切れ目線には、第１特定切れ目線における上記切込みが用いられ、
第４切れ目線における右側領域と下背面部間の切れ目線と左側面部における第２背面側領域と下左側面部間の切れ目線には、第２特定切れ目線における上記切込みが用いられていることを特徴とする請求項１３又は１４又は１５に記載の紙製箱。
【請求項１７】
第１特定切れ目線における切込みと第２特定切れ目線における切込みにおいて、第１端部から仮想直線までの長さ（Ｌ１１、Ｌ２１）が、第１曲線部において仮想直線までの距離が最も長い点である最突出点（ｎ１４）から仮想直線までの長さ（Ｌ１２、Ｌ２２）よりも長く、
第１曲線部における最突出点が、仮想直線を介して第１端部と反対側に位置することを特徴とする請求項１３又は１４又は１５又は１６に記載の紙製箱。
【発明の詳細な説明】
【技術分野】
【０００１】
本発明は、段ボール箱等の紙製箱用の切断構造に関するものであり、紙製箱用のジッパーや切れ目線に関するものである。
【背景技術】
【０００２】
従来より、紙製箱用のジッパーの形状としては、図３１に示す形状のものが広く知られている。
【０００３】
すなわち、図３１に示すジッパーＵは、互いに平行に２列に形成された切れ目線Ｕ１、Ｕ２と、開封開始位置の片部５３０を形成するための切込みＵ３とを有している。ジッパーＵは、紙製箱を構成するシート状のブランク（例えば、段ボールや厚紙）に形成されている。
【０００４】
ここで、切れ目線Ｕ１は、複数の切込み５１０を間隔を介して一列に配設したもので、各切込み５１０は、開封方向（Ｘ１−Ｘ２方向）に形成された直線部５１２と、直線部５１２の開封方向前側（Ｘ１側）の端部から内側に向けて傾斜して直線状に形成された傾斜部５１４とを有し、直線部５１２と傾斜部５１４のなす内側の角度α５１０が鈍角となっている。各切込み５１０において、直線部５１２は同一直線上に形成されている。
【０００５】
また、切れ目線Ｕ２は、複数の切込み５２０を間隔を介して一列に配設したもので、各切込み５２０は、開封方向に形成された直線部５２２と、直線部５２２のＸ１側の端部から内側に向けて傾斜して直線状に形成された傾斜部５２４とを有し、直線部５２２と傾斜部５２４のなす内側の角度α５２０が鈍角となっている。各切込み５２０において、直線部５２２は同一直線上に形成されている。
【０００６】
切れ目線Ｕ１と切れ目線Ｕ２とは切れ目線Ｕ１と切れ目線Ｕ２間の開封方向の中心線Ｕｈを介して線対称に形成されていて、切込み５１０と切込み５２０とは互いに対向して形成されている。
【０００７】
また、切込みＵ３は、略コ字状を呈し、Ｘ２側に開口した略コ字状を呈している。つまり、切込みＵ３は、直線部５１２の延長線上に形成された直線状の切込み５３２と、直線部５２２の延長線上に形成された直線状の切込み５３４と、切込み５３２と切込み５３４のＸ１側の端部間を結び、該中心線Ｕｈに対して直角をなす切込み５３６とを有している。この切込みＵ３により囲まれた領域（つまり、切込みＵ３と、切込み５３２のＸ２側の端部と切込み５３４のＸ２側の端部とを結ぶ直線により囲まれた領域）が、片部５３０となる。
【０００８】
つまり、ジッパーＵにおいては、片部５３０を起こして手でつかみ、Ｘ２方向に引っぱることにより、隣接する切込み５１０間の隙間と隣接する切込み５２０間の隙間が破れてジッパーＵがブランクから分離する。
【０００９】
また、特許文献１に示すカートン用のジッパーの形状として、図３４に示す形状のものも知られている。
【００１０】
すなわち、図３４に示すジッパーＶは、互いに平行に２列に形成された切れ目線Ｖ１、Ｖ２と、開封開始位置の片部６３０を形成するための切込みＶ３とを有している。ジッパーＶは、カートンを構成するシート状のブランク（例えば、段ボールや厚紙）に形成されている。
【００１１】
ここで、切れ目線Ｖ１は、複数の切込み６１０を間隔を介して一列に配設したもので、各切込み６１０は、Ｙ字状を呈している。つまり、切込み６１０は、開封方向（Ｘ１−Ｘ２方向）に形成された直線部６１２と、直線部６１２の開封方向前側（Ｘ１側）の端部から外側に向けて傾斜して直線状に形成された傾斜部６１４と、直線部６１２のＸ１側の端部から内側に向けて傾斜して直線状に形成された傾斜部６１６と、を有し、直線部６１２と傾斜部６１４のなす角度α６１４と、直線部６１２と傾斜部６１６のなす角度α６１６とが鈍角となっている。
【００１２】
また、切れ目線Ｖ２は、複数の切込み６２０を間隔を介して一列に配設したもので、各切込み６２０は、Ｙ字状を呈している。つまり、切込み６２０は、開封方向（Ｘ１−Ｘ２方向）に形成された直線部６２２と、直線部６２２の開封方向前側（Ｘ１側）の端部から外側に向けて傾斜して直線状に形成された傾斜部６２４と、直線部６２２のＸ１側の端部から内側に向けて傾斜して直線状に形成された傾斜部６２６と、を有し、直線部６２２と傾斜部６２４のなす角度α６２４と、直線部６２２と傾斜部６２６のなす角度α６２６とが鈍角となっている。
【００１３】
また、切込みＶ３は、略コ字状を呈し、Ｘ２側に開口した略コ字状を呈している。つまり、切込みＶ３は、直線部６１２の延長線上に形成された直線状の切込み６３２と、直線部６２２の延長線上に形成された直線状の切込み６３４と、切込み６３２と切込み６３４のＸ１側の端部間を結び、該中心線Ｖｈに対して直角をなす切込み６３６とを有している。この切込みＶ３により囲まれた領域（つまり、切込みＶ３と、切込み６３２のＸ２側の端部と切込み６３４のＸ２側の端部とを結ぶ直線により囲まれた領域）が、片部６３０となる。
【００１４】
つまり、ジッパーＶにおいては、片部６３０を起こして手でつかみ、Ｘ２方向に引っぱることにより、隣接する切込み６１０間の隙間と隣接する切込み６２０間の隙間が破れてジッパーＱがブランクから分離する。
【先行技術文献】
【特許文献】
【００１５】
【特許文献１】特開平１１−７９２４２号公報
【発明の概要】
【発明が解決しようとする課題】
【００１６】
しかし、図３１に示すジッパーＵにおいては、ジッパーＵを開封方向に破断していった際に、破断力が外側に拡散して剥離を生じるという問題がある。すなわち、切れ目線Ｕ１を例に取ると、直線部５１２の後端からの破断力は直線部５１２の後端から角度範囲βの範囲に拡散するが、切れ目線Ｕ１と切れ目線Ｕ２間の帯状部５４０を引っぱって破断するので直線部５１２の延長線上よりも内側に向かう成分が多いが、傾斜部５１４で破断力を受け止めやすいものの、帯状部の引っぱり具合等によっては、外側に向かう破断力の成分が多く破断力の中心が外側に向かう場合もあり、そうすると、次の切込み５１０の傾斜部５１４で受け止められなかった破断力、すなわち、外側に向かう破断力がブランクを構成する紙材の剥離をもたらし、ジッパーＵを破断した後の帯状部５４０には、図３２に示すように、ブランクとの切断線に沿って剥離片５４０ａ、５４０ｂ、５４０ｃが発生するとともに、帯状部５４０を分離した後のブランクにおける切断線５５２、５５４に沿って剥離片５５０ａ、５５０ｂ、５５０ｃが発生してしまい、ブランクにおける切断線の見栄えが悪いという問題があった。
【００１７】
また、図３４に示すジッパーＶにおいては、直線部６１２（６２２）の後端からの破断力は次の切込み６１０（６２０）の傾斜部６１４（６２４）、６１６（６２６）で受け止めることができるので、図３１のジッパーＵの場合のような剥離の問題は少ないものの、ジッパーＶを分離することにより形成されたブランクの開口部６５０には、図３５に示すように、一方の切断線に沿って傾斜部６１４が残存し、他方の切断線に沿って傾斜部６２４が残存するので、一方の切断線６５２に沿っては、残存した傾斜部６１４と、傾斜部６１４の基端からの折れ線６１４−１とを辺部とする片部６１８が折れ線６１４−１を中心にぶらついた状態となり、他方の切断線６５４に沿っては、残存した傾斜部６２４と、傾斜部６２４の基端からの折れ線６２４−１とを辺部とする片部６２８が折れ線６２４−１を中心にぶらついた状態となるので、ブランクにおける切断線の見栄えが悪いという問題があった。つまり、傾斜部６１４は直線部６１２に対して鈍角をなし、傾斜部６２４は直線部６２２に対して鈍角をなすので、折れ線６１４−１、６２４−１とともに片部６１８、６２８が形成されやすいという問題がある。
【００１８】
また、ジッパーの破断に際して、図３１に示すジッパーＵでは、上記のように、外側に向かう破断力が剥離を生じてジッパーの破断に利用されないため、強い力で帯状部５４０を引っぱる必要がある。
【００１９】
また、図３４に示すジッパーＶにおいても、ジッパーＶを破断する際に、上記の片部６１８、６２８がブランクの切断線にぶらついた状態となり、隣接する切込み６１０間の隙間を破る際に、片部６１８が折れ線６１４−１を介して持ち上がり、隣接する切込み６２０間の隙間を破る際に、片部６２８が折れ線６２４−１を介して持ち上がるので、片部６１８、６２８が持ち上がることにより引っぱる力が吸収されてしまい、帯状部６４０を強い力で引っぱる必要があり、また、片部６１８、６２８が持ち上がる分切断に時間が掛かるので、操作者は、帯状部６４０を自然と強い力で引っぱってしまうという問題がある。
【００２０】
また、図３１に示すジッパーＵでは、切込み５１０、５２０において直線部５１２、５２２がジッパーＵの開封方向に長く直線状に形成されているので、ジッパーＵが設けられている面に対して直角方向に力が加わった場合に、ジッパーＵが破断しやすいという問題がある。すなわち、図３３に示すように、ジッパーＵにおける開封方向に隣接する切込み５１０、５２０の間の領域（例えば、図３３における領域Ｒ２１）に該領域に対して直角方向に力が加わって、隣接する切込み５１０間の隙間５１９が破断するとともに、隣接する切込み５２０間の隙間５２９が破断した場合には、直線部５１２、５２２が開封方向に直線状に形成されているので、切れ目線Ｕ１と切れ目線Ｕ２間の帯状部５４０における破断した隙間５１９、５２９の両側の直線部５１２、５２２に沿って帯状部５４０が沈み込み、次の隙間の破断を誘発してしまい、ジッパーＵが長く破断してしまうおそれがある。１つの切込み５１０と対応する１つの切込み５２０間の領域Ｒ２２に力が加わった場合でも、該切込み５１０、５２０に隣接する切込み５１０、５２０との間の隙間が破断すると、同様に、帯状部５４０が直線部５１２、５２２に沿って沈み込み、次の隙間の破断を誘発してしまい、ジッパーＵが長く破断してしまうおそれがある。
【００２１】
なお、切れ目線Ｕ１と切れ目線Ｕ２のいずれか一方のみの場合にも、上記と同様に、隣接する切込みの間の隙間が破断すると、直線部５１２（５２２）が開封方向に直線状に形成されているので、切れ目線が長く破断してしまうおそれがある。例えば、切れ目線Ｕ１を介した一方の領域に対して直角に力が加わって、隙間が破断すると、直線部５１２が開封方向に直線状に形成されているので、該一方の領域が直線部５１２に沿って沈み込み、次の隙間の破断を誘発してしまい、切れ目線Ｕ１が長く破断してしまうおそれがある。
【００２２】
同様に、図３４に示すジッパーＶにおいても、切込み６１０、６２０において直線部６１２、６２２がジッパーＶの開封方向に長く直線状に形成されているので、ジッパーＶが設けられている面に対して直角方向に力が加わった場合に、ジッパーＶが破断しやすいという問題がある。すなわち、ジッパーＶにおける開封方向に隣接する切込み６１０、６２０間の領域に該領域に対して直角方向に力が加わって、隣接する切込み６１０間の隙間６１９が破断するとともに、隣接する切込み６２０間の隙間６２９が破断した場合には、直線部６１２、６２２が開封方向に直線状に形成されているので、切れ目線Ｖ１と切れ目線Ｖ２間の帯状部６４０における破断した隙間６１９、６２９の両側の直線部６１０、６２０に沿って帯状部６４０が沈み込み、次の隙間の破断を誘発してしまい、ジッパーＶが長く破断してしまうという問題がある。１つの切込み６１０と対応する１つの切込み６２０間の領域に力が加わった場合でも、該切込み６１０、６２０に隣接する切込み６１０、６２０との間の隙間が破断すると、同様に、帯状部６４０が直線部６１２、６２２に沿って沈み込み、次の隙間の破断を誘発してしまい、ジッパーＶが長く破断してしまうおそれがある。
【００２３】
なお、切れ目線Ｖ１と切れ目線Ｖ２のいずれか一方のみの場合にも、上記と同様に、隣接する切込みの間の隙間が破断すると、直線部６１２（６２２）が開封方向に直線状に形成されているので、切れ目線が長く破断してしまうおそれがある。例えば、切れ目線Ｖ１を介した一方の領域に対して直角に力が加わって、隙間が破断すると、直線部６１２が開封方向に直線状に形成されているので、該一方の領域が直線部６１２に沿って沈み込み、次の隙間の破断を誘発してしまい、切れ目線Ｖ１が長く破断してしまうおそれがある。
【００２４】
そこで、本発明が解決しようとする問題点は、紙製箱用のジッパーや切れ目線の切断構造において、切断後のブランクの切断線の見栄えがよく、また、少ない力で破断を行なうことができ、さらには、ジッパーや切れ目線が形成された面に対して直角方向に力が加わって、一部が破断した場合でも破断してしまう長さを抑制することができる切断構造を提供することである。
【課題を解決するための手段】
【００２５】
本発明は上記問題点を解決するために創作されたものであって、第１には、シート状の紙製ブランクにより形成された紙製箱に用いる紙製箱用ジッパーであって、第１切れ目線と第２切れ目線とを有し、第１切れ目線が、複数の第１切込み（１０、２０）を間隔を介して列状に配設してなり、第１切込みが、傾斜部（１２、２２）と、傾斜部の一方の端部である第１接触点（ｍ１２、ｍ２２）から形成された第１曲線部（１４、２４）と、第１曲線部の第１接触点とは反対側の端部である第２接触点（ｍ１３、ｍ２３）から形成された第２曲線部（１６、２６）とを有し、傾斜部が、傾斜部の他方の端部である第１端部（ｍ１１、ｍ２１）と第１接触点間に直線状に形成され、第１曲線部が、第１接触点と第２接触点間に円弧状又は楕円弧状に形成され、第２曲線部が、第２接触点と第２曲線部の第２接触点とは反対側の端部である第２端部（ｍ１４、ｍ２４）間に円弧又は楕円弧状に形成され、ジッパー開封方向が直線状であり、第１曲線部が、第１接触点を起点として傾斜部の第１接触点からの延長線（１２Ｅ、２２Ｅ）から見てジッパー開封方向に曲がる曲がり方向に形成され、第１曲線部の第１接触点における接線は、傾斜部と重なり、第２曲線部が、第２接触点から第１曲線部の曲がり方向とは逆の曲がり方向に形成され、第１端部と第２接触点とが、ジッパー開封方向の仮想直線で第２端部を通る仮想直線（１０Ｅ、２０Ｅ）を介して互いに反対側に配置され、第２曲線部は、仮想直線を介して第２接触点とは反対側に設けられた部分を有し、傾斜部が、第１端部が第１接触点よりもジッパー開封方向において前側に位置するように仮想直線の方向に対して傾斜して形成され、第１接触点は、第２接触点よりもジッパー開封方向において前側に位置し、第２接触点は、第２端部よりもジッパー開封方向において前側に位置し、傾斜部又は傾斜部の延長線と該仮想直線との間の鋭角の角度（α１１、α２１）が、第１曲線部の第２接触点における接線（１４Ｅ、２４Ｅ）と該仮想直線との間の鋭角の角度（α１４、α２４）よりも大きく形成され、第２端部における第２曲線部の接線（１６Ｅ、２６Ｅ）と仮想直線との間のジッパー開封方向における後側の角度である第１角度（α１５、α２５）が鋭角であるとともに、第２端部とジッパー開封方向において後側に隣接する他の第１切込みの第１端部との間の仮想直線（１７Ｅ、２７Ｅ）と仮想直線との間のジッパー開封方向における後側の角度である第２角度（α１６、α２６）が鋭角であり、第１角度と第２角度は、仮想直線を介して互いに反対側にあり、第２角度が第１角度の２倍以上であり、第２切れ目線が、第１切れ目線との間の中心線を介して対称形状（線対称形状としてもよい）に形成され、第２切れ目線が、複数の第２切込み（２０、１０）を間隔を介して列状に配設してなり、複数の第２切れ目線における各第２切込みが該中心線を介して第１切れ目線における第１切込みと対称形状（線対称形状としてもよい）に形成されていることを特徴とする。
【００２６】
第１の構成においては、第１端部と第２接触点とが、ジッパー開封方向の仮想直線で第２端部を通る仮想直線（１０Ｅ、２０Ｅ）を介して互いに反対側に配置され、第１曲線部が仮想直線よりも仮想直線の一方の側に突出するとともに、第１端部が仮想直線よりも仮想直線の他方の側に突出しているので、ブランクの剥離を防止することができ、剥離を防止できるので、破断後のブランクの破断線の見栄えをよくすることができ、また、剥離を防止できるので、その分少ない力で破断を行なうことができる。
【００２７】
また、傾斜部が、第１端部が第１接触点よりもジッパー開封方向において前側に位置するように仮想直線の方向に対して傾斜して形成されているので、傾斜部に伝えられた破断力をスムーズに第１曲線部に伝えることができ、よって、少ない力で破断を行なうことができる。
【００２８】
また、傾斜部又は傾斜部の延長線と該仮想直線との間の鋭角の角度（α１１、α２１）が、第１曲線部の第２接触点における接線（１４Ｅ、２４Ｅ）と該仮想直線との間の鋭角の角度（α１４、α２４）よりも大きく形成されているので、傾斜部の仮想直線に対する傾斜が大きく、傾斜部からの破断力が第１曲線部に伝わりやすく、ブランクの紙製の剥離が起こりにくく、ブランクの切断面の見栄えがよい。
【００２９】
また、第２曲線部が円弧状又は楕円状であるので、ジッパー開封方向に隣接する２つの切込み（１０（２０））間の隙間が第１端部への方向で破断して、破断面に突状部が形成された場合でも、突状部が目立たず、切断面の見栄えをよくすることができる。
【００３０】
また、第２曲線部が円弧状又は楕円弧状に形成されているので、ジッパーが形成されたブランクに対して、ブランクの面に対して垂直方向に力が加わった場合に、切れ目線の破断を小さくすることができる。また、第２角度が第１角度の２倍以上であるので、第２端部における第２曲線部の接線が、後側に隣接する第１切込み（第２切込み）に接しない場合でも、剥離を防止することができる。
【００３１】
また、第２には、上記第１の構成において、第１端部から仮想直線までの長さ（Ｌ１１、Ｌ２１）が、第１曲線部において仮想直線までの距離が最も長い点である最突出点（ｎ１４）から仮想直線までの長さ（Ｌ１２、Ｌ２２）よりも長く、第１曲線部における最突出点が、仮想直線を介して第１端部と反対側に位置することを特徴とする。
【００３２】
よって、ジッパー開封方向及びジッパー開封方向よりも内側に向かった破断力を傾斜部により広く受け止めることができるので、ブランクの剥離を防止することができる。
【００３３】
また、第３には、上記第１又は第２の構成において、傾斜部の第１接触点からの延長線（１２Ｅ、２２Ｅ）と第１曲線部の第２接触点における接線（１４Ｅ、２４Ｅ）との間の角度で、第１曲線部側の角度（α１３）が直角以下であることを特徴とする。
【００３４】
よって、傾斜部の第１接触点からの延長線（１２Ｅ、２２Ｅ）と第１曲線部の第２接触点における接線（１４Ｅ、２４Ｅ）との間の角度で、第１曲線部側の角度（α１３）が直角以下であるので、その分、傾斜部の仮想直線に対する角度を大きくすることができて、１つ前の切込みからの破断力を傾斜部で受け止めやすく、これによっても、ブランクの剥離を防止することができ、また、傾斜部の第１接触点からの延長線（１２Ｅ、２２Ｅ）と第１曲線部の第２接触点における接線（１４Ｅ、２４Ｅ）との間の角度で、第１曲線部側の角度（α１３）が直角以下であるので、その分、第２曲線部の長さを確保することができ、第２曲線部の長さを確保することにより、第２曲線部からの破断力が拡散する角度を小さくして、次の第１切込み（第２切込み）に破断力を伝えることができ、剥離のおそれを小さくできる。
【００３５】
また、第４には上記第１から第３までのいずれかの構成において、第１端部から仮想直線までの長さ（Ｌ１１、Ｌ２１）が、第２曲線部において仮想直線を介して第２接触点とは反対側に設けられた部分において仮想直線までの距離が最も長い点である最突出点（ｎ１６、ｎ２６）から仮想直線までの長さ（Ｌ１３、Ｌ２３）よりも長いことを特徴とする。
【００３６】
よって、第２曲線部において仮想直線までの距離が最も長い点である最突出点（ｎ１６、ｎ２６）から仮想直線までの長さが、第１端部から仮想直線までの長さよりも短く形成されているので、その分、第２曲線部の径が大きくなり、これにより、第２端部における第２曲線部の接線（１６Ｅ、２６Ｅ）と仮想直線との間のジッパー開封方向における後側の角度である第１角度を小さくできるので、第２端部における第２曲線部の接線が次の第１切込み（第２切込み）の傾斜部に接しない場合でも、剥離が生じるおそれがない。
【００３７】
また、第５には、上記第１から第４までのいずれかの構成において、第１端部と第１接触点とが、該仮想直線を介して互いに反対側に配置されていることを特徴とする。よって、第１端部と第１接触点とが、該仮想直線を介して互いに反対側に配置されているので、その分、第１曲線部の径を小さくでき、結果として、第２曲線部の長さを確保することができ、第２曲線部からの破断力が拡散する角度を小さくして、次の第１切込み（第２切込み）に破断力を伝えることができ、剥離のおそれを小さくできる。
【００３８】
また、第６には、上記第１から第５までのいずれかの構成において、第１曲線部の第１接触点における接線は、傾斜部と重なり、第２接触点における第１曲線部の接線は、第２接触点における第２曲線部の接線と重なることを特徴とする。よって、傾斜部の直線方向から第１曲線部の曲線方向に滑らかに切り替えることができ、また、第１曲線部の曲線の方向から第２曲線部の曲線の方向に滑らかに切り換えることができる。
【００４０】
また、第７には、シート状の紙製ブランクにより形成された紙製箱に用いる紙製箱用切れ目線であって、紙製箱用切れ目線が、複数の切込み（１０、２０）を間隔を介して列状に配設してなり、切込みが、傾斜部（１２、２２）と、傾斜部の一方の端部である第１接触点（ｍ１２、ｍ２２）から形成された第１曲線部（１４、２４）と、第１曲線部の第１接触点とは反対側の端部である第２接触点（ｍ１３、ｍ２３）から形成された第２曲線部（１６、２６）とを有し、傾斜部が、傾斜部の他方の端部である第１端部（ｍ１１、ｍ２１）と第１接触点間に直線状に形成され、第１曲線部が、第１接触点と第２接触点間に円弧状又は楕円弧状に形成され、第２曲線部が、第２接触点と第２曲線部の第２接触点とは反対側の端部である第２端部（ｍ１４、ｍ２４）間に円弧又は楕円弧状に形成され、切れ目線開封方向が直線状であり、第１曲線部が、第１接触点を起点として傾斜部の第１接触点からの延長線（１２Ｅ、２２Ｅ）から見てジッパー開封方向に曲がる曲がり方向に形成され、第１曲線部の第１接触点における接線は、傾斜部と重なり、第２曲線部が、第２接触点から第１曲線部の曲がり方向とは逆の曲がり方向に形成され、第１端部と第２接触点とが、切れ目線開封方向の仮想直線で第２端部を通る仮想直線（１０Ｅ、２０Ｅ）を介して互いに反対側に配置され、第２曲線部は、仮想直線を介して第２接触点とは反対側に設けられた部分を有し、傾斜部が、第１端部が第１接触点よりも切れ目線開封方向において前側に位置するように仮想直線の方向に対して傾斜して形成され、第１接触点は、第２接触点よりも切れ目線開封方向において前側に位置し、第２接触点は、第２端部よりも切れ目線開封方向において前側に位置し、傾斜部又は傾斜部の延長線と該仮想直線との間の鋭角の角度（α１１、α２１）が、第１曲線部の第２接触点における接線（１４Ｅ、２４Ｅ）と該仮想直線との間の鋭角の角度（α１４、α２４）よりも大きく形成され、第２端部における第２曲線部の接線（１６Ｅ、２６Ｅ）と仮想直線との間の切れ目線開封方向における後側の角度である第１角度（α１５、α２５）が鋭角であるとともに、第２端部と切れ目線開封方向において後側に隣接する他の第１切込みの第１端部との間の仮想直線（１７Ｅ、２７Ｅ）と仮想直線との間の切れ目線開封方向における後側の角度である第２角度（α１６、α２６）が鋭角であり、第１角度と第２角度は、仮想直線を介して互いに反対側にあり、第２角度が第１角度の２倍以上であることを特徴とする。
【００４１】
第７の構成においては、第１端部と第２接触点とが、切れ目線開封方向の仮想直線で第２端部を通る仮想直線（１０Ｅ、２０Ｅ）を介して互いに反対側に配置され、第１曲線部が仮想直線よりも仮想直線の一方の側に突出するとともに、第１端部が仮想直線よりも仮想直線の他方の側に突出しているので、ブランクの剥離を防止することができ、剥離を防止できるので、破断後のブランクの破断線の見栄えをよくすることができ、また、剥離を防止できるので、その分少ない力で破断を行なうことができる。
【００４２】
また、傾斜部が、第１端部が第１接触点よりも切れ目線開封方向において前側に位置するように仮想直線に対して傾斜して形成されているので、傾斜部に伝えられた破断力をスムーズに第１曲線部に伝えることができ、よって、少ない力で破断を行なうことができる。
【００４３】
また、傾斜部と該仮想直線との間の鋭角の角度（α１１、α２１）が、第１曲線部の第２接触点における接線（１４Ｅ、２４Ｅ）と該仮想直線との間の鋭角の角度（α１４、α２４）よりも大きく形成されているので、傾斜部の仮想直線に対する傾斜が大きく、傾斜部からの破断力が第１曲線部に伝わりやすく、ブランクの紙製の剥離が起こりにくく、ブランクの切断面の見栄えがよい。
【００４４】
また、第２曲線部が円弧状又は楕円状であるので、切れ目線開封方向に隣接する２つの切込み（１０（２０））間の隙間が第１端部への方向で破断して、破断面に突状部が形成された場合でも、突状部が目立たず、切断面の見栄えをよくすることができる。
【００４５】
また、第２曲線部１６、２６が円弧状又は楕円弧状に形成されているので、切れ目線が形成されたブランクに対して、ブランクの面に対して垂直方向に力が加わった場合に、切れ目線の破断を小さくすることができる。また、第２角度が第１角度の２倍以上であるので、第２端部における第２曲線部の接線が、後側に隣接する第１切込み（第２切込み）に接しない場合でも、剥離を防止することができる。
【００４６】
また、第８には、上記第７の構成において、第１端部から仮想直線までの長さ（Ｌ１１、Ｌ２１）が、第１曲線部において仮想直線までの距離が最も長い点である最突出点（ｎ１４）から仮想直線までの長さ（Ｌ１２、Ｌ２２）よりも長く、第１曲線部における最突出点が、仮想直線を介して第１端部と反対側に位置することを特徴とする。
【００４７】
よって、切れ目線開封方向及び切れ目線開封方向よりも内側（第１端部側）に向かった破断力を傾斜部により広く受け止めることができるので、ブランクの剥離を防止することができる。
【００４８】
また、第９には、上記第７又は第８の構成において、傾斜部の第１接触点からの延長線（１２Ｅ、２２Ｅ）と第１曲線部の第２接触点における接線（１４Ｅ、２４Ｅ）との間の角度で、第１曲線部側の角度（α１３）が直角以下であることを特徴とする。
【００４９】
よって、傾斜部の第１接触点からの延長線（１２Ｅ、２２Ｅ）と第１曲線部の第２接触点における接線（１４Ｅ、２４Ｅ）との間の角度で、第１曲線部側の角度（α１３）が直角以下であるので、その分、傾斜部の仮想直線に対する角度を大きくすることができて、１つ前の切込みからの破断力を傾斜部で受け止めやすく、これによっても、ブランクの剥離を防止することができ、また、傾斜部の第１接触点からの延長線（１２Ｅ、２２Ｅ）と第１曲線部の第２接触点における接線（１４Ｅ、２４Ｅ）との間の角度で、第１曲線部側の角度（α１３）が直角以下であるので、その分、第２曲線部の長さを確保することができ、第２曲線部の長さを確保することにより、第２曲線部からの破断力が拡散する角度を小さくして、次の第１切込み（第２切込み）に破断力を伝えることができ、剥離のおそれを小さくできる。
【００５０】
また、第１０には、上記第７から第９までのいずれかの構成において、第１端部から仮想直線までの長さ（Ｌ１１、Ｌ２１）が、第２曲線部において仮想直線を介して第２接触点とは反対側に設けられた部分において仮想直線までの距離が最も長い点である最突出点（ｎ１６、ｎ２６）から仮想直線までの長さ（Ｌ１３、Ｌ２３）よりも長いことを特徴とする。
【００５１】
よって、第２曲線部において仮想直線までの距離が最も長い点である最突出点（ｎ１６、ｎ２６）から仮想直線までの長さが、第１端部から仮想直線までの長さよりも短く形成されているので、その分、第２曲線部の径が大きくなり、これにより、第２端部における第２曲線部の接線（１６Ｅ、２６Ｅ）と仮想直線との間のジッパー開封方向における後側の角度である第１角度を小さくできるので、第２端部における第２曲線部の接線が次の第１切込み（第２切込み）の傾斜部に接しない場合でも、剥離が生じるおそれがない。
【００５２】
また、第１１には、上記第７から第１０までのいずれかの構成において、第１端部と第１接触点とが、該仮想直線を介して互いに反対側に配置されていることを特徴とする。よって、第１端部と第１接触点とが、該仮想直線を介して互いに反対側に配置されているので、その分、第１曲線部の径を小さくでき、結果として、第２曲線部の長さを確保することができ、第２曲線部からの破断力が拡散する角度を小さくして、次の第１切込み（第２切込み）に破断力を伝えることができ、剥離のおそれを小さくできる。
【００５３】
また、第１２には、上記第７から第１１までのいずれかの構成において、第１曲線部の第１接触点における接線は、傾斜部と重なり、第２接触点における第１曲線部の接線は、第２接触点における第２曲線部の接線と重なることを特徴とする。よって、傾斜部の直線方向から第１曲線部の曲線方向に滑らかに切り替えることができ、また、第１曲線部の曲線の方向から第２曲線部の曲線の方向に滑らかに切り換えることができる。
【００７８】
また、第１３には、底面部（５０）と、底面部の各辺から立設し底面部に対して略直角をなすスリーブ状部で、正面部（１０）と、右側面部（２０）と、左側面部（３０）と、背面部（４０）とからなるスリーブ状部（５）と、スリーブ状部の上端から連設された蓋部（１２０、１３０）とを有する紙製箱であって、スリーブ状部に切れ目線（Ｋ５）が周状に設けられ、該切れ目線は、正面部における右側面側の辺部と左側面側の辺部間に形成された第１切れ目線（Ｋ１０）と、右側面部における正面側の辺部と背面側の辺部間に形成された第２切れ目線（Ｋ２０）と、左側面部における正面側の辺部と背面側の辺部間に形成された第３切れ目線（Ｋ３０）と、背面部における右側面側の辺部と左側面側の辺部間に形成された第４切れ目線（Ｋ４０）とを有し、背面部においては、背面部の第４切れ目線よりも下側の領域である下背面部（４２）に、第４切れ目線から連設された一対の切れ目線（Ｋ４４、Ｋ４５）が設けられ、背面部の第４切れ目線よりも上側の領域である上背面部（４５）に、背面部の右側面側上端の角部である第１角部と第４切れ目線の右側面側の端部から左側面側の端部までの途中位置である第１途中位置の間の位置に第１角部と第１途中位置とを結ぶ方向に第１折れ線（Ｃ４２）が形成されるとともに、背面部の左側面側上端の角部である第２角部と第４切れ目線の左側面側の端部から右側面側の端部までの途中位置で第１途中位置よりも左側面側である第２途中位置の間の位置に第２角部と第２途中位置とを結ぶ方向に第２折れ線（Ｃ４３）が形成され、第１折れ線（Ｃ４２）と第２折れ線（Ｃ４３）とが、第４切れ目線側にいくに従い第１折れ線と第２折れ線間の長さが短くなるように左右線対称に形成され、第１折れ線の下端と第２折れ線の下端は左右方向に間隔を介して設けられ、上背面部が、第１折れ線と第２折れ線間の領域である中央領域（４６）と、第１折れ線よりも右側面側の領域である右側領域（４７）と、第２折れ線よりも左側面側の領域である左側領域（４８）とを有し、右側面部においては、右側面部の第２切れ目線よりも上側の領域である上右側面部（２５）に、第３折れ線（Ｃ２１）が、右側面部の背面側上端の角部である第３角部と第２切れ目線の背面側の端部から正面側の端部への途中位置である第３途中位置の間の位置に、第３角部と第３途中位置とを結ぶ方向に形成され、第３折れ線は、下側にいくほど正面側となるように形成され、左側面部においては、左側面部の第３切れ目線よりも上側の領域である上左側面部（３５）に、第４折れ線（Ｃ３１）が、左側面部の背面側上端の角部である第４角部と第３切れ目線の背面側の端部から正面側の端部への途中位置である第４途中位置の間の位置に、第４角部と第４途中位置とを結ぶ方向に形成され、第４折れ線は、下側にいくほど正面側となるように形成され、第２切れ目線における第３折れ線又は第３折れ線の延長線との接点から正面側の範囲における少なくとも一部の切れ目線である第１特定切れ目線と、第３切れ目線における第４折れ線又は第４折れ線の延長線との接点から正面側の範囲における少なくとも一部の切れ目線である第２特定切れ目線は、ともに、複数の切込みを有し、第１特定切れ目線と第２特定切れ目線の切れ目線開封方向が直線状であり、第１特定切れ目線における切込みと第２特定切れ目線における切込みは、傾斜部（１２、２２）と、傾斜部の一方の端部である第１接触点（ｍ１２、ｍ２２）から形成された第１曲線部（１４、２４）と、第１曲線部の第１接触点とは反対側の端部である第２接触点（ｍ１３、ｍ２３）から形成された第２曲線部（１６、２６）とを有し、傾斜部が、傾斜部の他方の端部である第１端部（ｍ１１、ｍ２１）と第１接触点間に直線状に形成され、第１曲線部が、第１接触点と第２接触点間に円弧状又は楕円弧状に形成され、第２曲線部が、第２接触点と第２曲線部の第２接触点とは反対側の端部である第２端部（ｍ１４、ｍ２４）間に円弧又は楕円弧状に形成され、第１曲線部が、第１接触点を起点として傾斜部の第１接触点からの延長線（１２Ｅ、２２Ｅ）から見てジッパー開封方向に曲がる曲がり方向に形成され、第１曲線部の第１接触点における接線は、傾斜部と重なり、第２曲線部が、第２接触点から第１曲線部の曲がり方向とは逆の曲がり方向に形成され、第１端部と第２接触点とが、ジッパー開封方向の仮想直線で第２端部を通る仮想直線（１０Ｅ、２０Ｅ）を介して互いに反対側に配置され、第２曲線部は、仮想直線を介して第２接触点とは反対側に設けられた部分を有し、傾斜部が、第１端部が第１接触点よりもジッパー開封方向において前側に位置するように仮想直線に対して傾斜して形成され、第１接触点は、第２接触点よりもジッパー開封方向において前側に位置し、第２接触点は、第２端部よりもジッパー開封方向において前側に位置し、傾斜部と該仮想直線との間の鋭角の角度（α１１、α２１）が、第１曲線部の第２接触点における接線（１４Ｅ、２４Ｅ）と該仮想直線との間の鋭角の角度（α１４、α２４）よりも大きく形成され、第１特定切れ目線における切込みは、第１端部を右側面部の第２切れ目線よりも下側の領域である下右側面部側とし、第２接触点を上右側面部側として設けられ、第２特定切れ目線における切込みは、第１端部を右側面部の第２切れ目線よりも下側の領域である下右側面部側とし、第２接触点を上右側面部側として設けられ、下背面部における該一対の切れ目線間の領域を外側から押して、中央領域の下端に指をひっかけ、中央領域の下端を外側にひっぱることにより、右側領域が中央領域に対して第１折れ線を介して折曲するとともに、左側領域が中央領域に対して第２折れ線を介して折曲して、第４切れ目線における左側領域と下背面部間の切れ目線と右側領域と下背面部間の切れ目線とが破断し、上右側面部における第３折れ線よりも背面側の領域である第１背面側領域（２７）が第３折れ線を介して内側に回動して第２切れ目線における第１背面側領域と右側面部の第２切れ目線よりも下側の領域である下右側面部（２２）間の切れ目線が破断するとともに、上左側面部における第４折れ線よりも背面側の領域である第２背面側領域（３７）が第４折れ線を介して内側に回動して第３切れ目線における第２背面側領域と左側面部の第３切れ目線よりも下側の領域である下左側面部（３２）間の切れ目線が破断し、さらに、中央領域の下端を上方にひっぱることにより、第２切れ目線における第３折れ線よりも正面側の���域である第１正面側領域（２６）と下右側面部間の切れ目線が破断するとともに、第３切れ目線における第４折れ線よりも正面側の領域である第２正面側領域（３６）と下左側面部間の切れ目線が破断することを特徴とする。
【００７９】
第１３の構成の紙製箱によれば、下背面部における一対の切目線間の領域を押すことにより、中央領域の下側に指を入れるスペースが形成されるので、紙製箱の上側構成部を取り除く際に、最初に指を引っ掛ける操作を容易に行なうことができる。
【００８０】
また、第１折れ線と第２折れ線とが設けられているので、第４切目線における左側領域と下背面部間の切目線と右側領域と下背面部間の切目線の破断が容易であり、また、第３折れ線と第４折れ線とが設けられているので、第２切目線における第１背面側領域と下右側面部間の切目線と第３切目線における第２背面側領域と下左側面部間の切目線の破断が容易である。
【００８１】
また、第１特定切れ目線と第２特定切目線における切込みにおいて、第１端部と第２接触点とが、切れ目線開封方向の仮想直線で第２端部を通る仮想直線（１０Ｅ、２０Ｅ）を介して互いに反対側に配置され、第１曲線部が仮想直線よりも仮想直線の一方の側に突出するとともに、第１端部が仮想直線よりも仮想直線の他方の側に突出しているので、ブランクの剥離を防止することができ、剥離を防止できるので、破断後のブランクの破断線の見栄えをよくすることができ、また、剥離を防止できるので、その分少ない力で破断を行なうことができる。
【００８２】
特に、第１特定切れ目線と第２特定切れ目線については、中央領域の下端を上方にひっぱることにより破断され、切れ目線を介した一方の領域を他方の領域に対してブランクの面に対し略平行な方向に引き離すが、切込みからの破断力は次の切込みの第１端部側に行きやすく、第１曲線部側に破断されることによる剥離を防止することができる。
【００８３】
また、傾斜部と該仮想直線との間の鋭角の角度（α１１、α２１）が、第１曲線部の第２接触点における接線（１４Ｅ、２４Ｅ）と該仮想直線との間の鋭角の角度（α１４、α２４）よりも大きく形成されているので、傾斜部の仮想直線に対する傾斜が大きく、傾斜部からの破断力が第１曲線部に伝わりやすく、ブランクの紙製の剥離が起こりにくく、ブランクの切断面の見栄えがよい。
【００８４】
また、第２曲線部が円弧状又は楕円状であるので、切れ目線開封方向に隣接する２つの切込み１０（２０）間の隙間が第１端部への方向で破断して、破断面に突状部が形成された場合でも、突状部が目立たず、切断面の見栄えをよくすることができる。
【００８５】
また、第２曲線部１６、２６が円弧状又は楕円弧状に形成されているので、切れ目線が形成されたブランクに対して、ブランクの面に対して垂直方向に力が加わった場合に、切れ目線の破断を小さくすることができる。
【００８６】
また、第１４には、上記第１３の構成において、第２切目線における第３折れ線よりも正面側の領域である第１正面側領域（２６）と下右側面部間の切目線が破断するとともに、第３切目線における第４折れ線よりも正面側の領域である第２正面側領域（３６）と下左側面部間の切目線が破断した後に、第１切目線を破断することにより、正面部における第１切目線よりも上側の領域である上正面部（１５）と上右側面部と上左側面部と上背面部と蓋部とからなる上側構成部（Ａ−２）が取り除かれることを特徴とする。
【００８７】
また、第１５には、上記第１３又は第１４の構成において、第２切れ目線は、第２切れ目線における第３折れ線又は第３折れ線の延長線との接点から正面側に向けて形成された第１上昇切れ目線で正面側にいくほど上側となるように形成された第１上昇切れ目線（Ｋ２４）と、第１上昇切れ目線よりも正面側に設けられ、正面側にいくほど下側となるように形成された第１下降切れ目線（Ｋ２２）とを有し、第１特定切れ目線は、第１上昇切れ目線における背面側の端部から正面側の端部までの範囲に設けられるとともに、第１下降切れ目線における背面側の端部から正面側の端部までの範囲に設けられ、第３切れ目線は、第３切れ目線における第４折れ線又は第４折れ線の延長線との接点から正面側に向けて形成された第２上昇切れ目線で正面側にいくほど上側となるように形成された第２上昇切れ目線（Ｋ３４）と、第２上昇切れ目線よりも正面側に設けられ、正面側にいくほど下側となるように形成された第２下降切れ目線（Ｋ３２）とを有し、第２特定切れ目線は、第２上昇切れ目線における背面側の端部から正面側の端部までの範囲に設けられるとともに、第２下降切れ目線における背面側の端部から正面側の端部までの範囲に設けられていることを特徴とする。
【００８８】
よって、第１上昇切れ目線と第２上昇切れ目線が正面側にいくほど上側となるように形成されているので、中央領域の下端を上方にひっぱることによる第１上昇切れ目線と第２上昇切れ目線の破断が容易であり、また、第１下降切れ目線と第２下降切れ目線が正面側にいくほど下側となるように形成されているので、上側構成部を正面側又は正面下側にひっぱることによる第１下降切れ目線と第２下降切れ目線の破断が容易となる。
【００８９】
また、第１６には、上記第１３から第１５までのいずれかの構成において、第４切れ目線における左側領域と下背面部間の切れ目線と右側面部における第１背面側領域と下右側面部間の切れ目線には、第１特定切れ目線における上記切込みが用いられ、第４切れ目線における右側領域と下背面部間の切れ目線と左側面部における第２背面側領域と下左側面部間の切れ目線には、第２特定切れ目線における上記切込みが用いられていることを特徴とする。
【００９０】
よって、ブランクの剥離を防止することができ、剥離を防止できるので、破断後のブランクの破断線の見栄えをよくすることができ、また、剥離を防止できるので、その分少ない力で破断を行なうことができる。
【００９１】
また、第２曲線部が円弧状又は楕円状であるので、ジッパー開封方向に隣接する２つの切込み１０（２０）間の隙間が第１端部への方向で破断して、破断面に突状部が形成された場合でも、突状部が目立たず、切断面の見栄えをよくすることができる。
【００９２】
また、第２曲線部が円弧状又は楕円弧状に形成されているので、ジッパーが形成されたブランクに対して、ブランクの面に対して垂直方向に力が加わった場合に、切れ目線の破断を小さくすることができる。
【００９３】
また、第１７には、上記第１３から第１６までのいずれかの構成において、第１特定切れ目線における切込みと第２特定切れ目線における切込みにおいて、第１端部から仮想直線までの長さ（Ｌ１１、Ｌ２１）が、第１曲線部において仮想直線までの距離が最も長い点である最突出点（ｎ１４）から仮想直線までの長さ（Ｌ１２、Ｌ２２）よりも長く、第１曲線部における最突出点が、仮想直線を介して第１端部と反対側に位置することを特徴とする。
【００９４】
よって、第１特定切れ目線と第２特定切れ目線については、中央領域の下端を上方にひっぱることにより破断され、切れ目線を介した一方の領域を他方の領域に対してブランクの面に対し略平行な方向に引き離すが、切込みからの破断力は次の切込みの第１端部側に行きやすが、第１端部から仮想直線までの長さ（Ｌ１１、Ｌ２１）を長くすることにより、次の切込みの第１端部側に向かった破断力を広く受け止めることができるので、ブランクの剥離を防止することができる。
【００９５】
なお、第１８の構成として、上記第１３から第１７までのいずれかの構成において、（第１特定切れ目線における切込みと第２特定切れ目線における切込みにおいて、）傾斜部の第１接触点からの延長線（１２Ｅ、２２Ｅ）と第１曲線部の第２接触点における接線（１４Ｅ、２４Ｅ）との間の角度で、第１曲線部側の角度（α１３）が直角以下であることを特徴とするものとしてもよい。
【００９６】
また、第１９の構成として、上記第１３から第１８までのいずれかの構成において、（第１特定切れ目線における切込みと第２特定切れ目線における切込みにおいて、）第１端部から仮想直線までの長さ（Ｌ１１、Ｌ２１）が、第２曲線部において仮想直線までの距離が最も長い点である最突出点（ｎ１６、ｎ２６）から仮想直線までの長さ（Ｌ１３、Ｌ２３）よりも長いことを特徴とするものとしてもよい。
【００９７】
また、第２０の構成として、上記第１３から第１９までのいずれかの構成において、第１端部と第１接触点とが、該仮想直線を介して互いに反対側に配置されていることを特徴とするものとしてもよい。
【００９８】
また、第２１の構成として、上記第１３から第２０までのいずれかの構成において、（第１特定切れ目線における切込みと第２特定切れ目線における切込みにおいて、）第１曲線部の第１接触点における接線は、傾斜部と重なり、第２接触点における第１曲線部の接線は、第２接触点における第２曲線部の接線と重なることを特徴とするものとしてもよい。
【００９９】
また、第２２の構成として、上記第１３から第２１までのいずれかの構成において、（第１特定切れ目線における切込みと第２特定切れ目線における切込みにおいて、）第２端部における第２曲線部の接線（１６Ｅ）と仮想直線との間の切れ目線開封方向における後側の角度である第１角度（α１５）が鋭角であるとともに、第２端部と切れ目線開封方向において後側に隣接する他の第１切込みの第１端部との間の仮想直線（１７Ｅ）と仮想直線との間の切れ目線開封方向における後側の角度である第２角度（α１６）が鋭角であり、第１角度と第２角度は、仮想直線を介して互いに反対側にあり、第２角度が第１角度の２倍以上であることを特徴とするものとしてもよい。
【０１００】
また、第２３の構成として、シート状の紙製ブランクにより形成された紙製箱であって、第１又は第２又は第３又は第４又は第５又は第６の構成の紙製箱用ジッパーが形成されていることを特徴とするものとしてもよい。
【０１０１】
また、第２４の構成として、シート状の紙製ブランクにより形成された紙製箱であって、第７又は第８又は第９又は第１０又は第１１又は第１２の構成の紙製箱用切れ目線が形成されていることを特徴とするものとしてもよい。
【発明の効果】
【０１０２】
本発明に基づく紙製箱用ジッパー、紙製箱用切れ目線及び紙製箱によれば、第１端部と第２接触点とが、ジッパー開封方向の仮想直線で第２端部を通る仮想直線（１０Ｅ、２０Ｅ）を介して互いに反対側に配置され、第１曲線部が仮想直線よりも仮想直線の一方の側に突出するとともに、第１端部が仮想直線よりも仮想直線の他方の側に突出しているので、ブランクの剥離を防止することができ、剥離を防止できるので、破断後のブランクの破断線の見栄えをよくすることができ、また、剥離を防止できるので、その分少ない力で破断を行なうことができる。
【０１０３】
また、傾斜部が、第１端部が第１接触点よりもジッパー開封方向において前側に位置するように仮想直線に対して傾斜して形成されているので、傾斜部に伝えられた破断力をスムーズに第１曲線部に伝えることができ、よって、少ない力で破断を行なうことができる。
【０１０４】
また、傾斜部と該仮想直線との間の鋭角の角度（α１１、α２１）が、第１曲線部の第２接触点における接線（１４Ｅ、２４Ｅ）と該仮想直線との間の鋭角の角度（α１４、α２４）よりも大きく形成されているので、傾斜部の仮想直線に対する傾斜が大きく、傾斜部からの破断力が第１曲線部に伝わりやすく、ブランクの紙製の剥離が起こりにくく、ブランクの切断面の見栄えがよい。
【０１０５】
また、第２曲線部が円弧状又は楕円状であるので、ジッパー開封方向に隣接する２つの切込み１０（２０）間の隙間が第１端部への方向で破断して、破断面に突状部が形成された場合でも、突状部が目立たず、切断面の見栄えをよくすることができる。
【０１０６】
また、第２曲線部が円弧状又は楕円弧状に形成されているので、ジッパーが形成されたブランクに対して、ブランクの面に対して垂直方向に力が加わった場合に、切れ目線の破断を小さくすることができる。また、第２角度が第１角度の２倍以上であるので、第２端部における第２曲線部の接線が、後側に隣接する第１切込み（第２切込み）に接しない場合でも、剥離を防止することができる。
【０１０７】
また、本発明の紙製箱においては、特に、下背面部における一対の切目線間の領域を押すことにより、中央領域の下側に指を入れるスペースが形成されるので、紙製箱の上側構成部を取り除く際に、最初に指を引っ掛ける操作を容易に行なうことができる。
【０１０８】
また、第１折れ線と第２折れ線とが設けられているので、第４切目線における左側領域と下背面部間の切目線と右側領域と下背面部間の切目線の破断が容易であり、また、第３折れ線と第４折れ線とが設けられているので、第２切目線における第１背面側領域と下右側面部間の切目線と第３切目線における第２背面側領域と下左側面部間の切目線の破断が容易である。
【０１０９】
特に、第１特定切れ目線と第２特定切れ目線については、中央領域の下端を上方にひっぱることにより破断され、切れ目線を介した一方の領域を他方の領域に対してブランクの面に対し略平行な方向に引き離すが、切込みからの破断力は次の切込みの第１端部側に行きやすく、第１曲線部側に破断されることによる剥離を防止することができる。
【図面の簡単な説明】
【０１１０】
【図１】ジッパーの構成を示す平面図である（実施例１）。
【図２】図１のジッパーの要部を示す説明図である。
【図３】図２の要部拡大図である。
【図４】図２の要部拡大図である。
【図５】実施例１のジッパーを用いた紙製箱の例を示す斜視図である。
【図６】実施例１のジッパーを用いた紙製箱の例を示す展開図である。
【図７】実施例１のジッパーの使用状態を説明する説明図である。
【図８】実施例１のジッパーの作用を説明する説明図である。
【図９】実施例１のジッパーの作用を説明する説明図である。
【図１０】実施例１のジッパーの作用を説明する説明図である。
【図１１】ジッパー開封方向が曲線状の場合のジッパーの構成を示す平面図である。
【図１２】図１１の要部拡大図である。
【図１３】図１２の要部拡大図である。
【図１４】図１２の要部拡大図である。
【図１５】切れ目線の構成を示す平面図である（実施例２）。
【図１６】切れ目線の構成を示す平面図である（実施例２）。
【図１７】紙製箱の左側後方斜視図である。
【図１８】紙製箱の右側前方斜視図である。
【図１９】紙製箱の平面図である。
【図２０】紙製箱の底面図である。
【図２１】紙製箱の展開図である。
【図２２】図２１の要部説明図である。
【図２３】図２１の要部説明図である。
【図２４】紙製箱の使用方法を説明するための左側後方斜視図である。
【図２５】紙製箱の使用方法を説明するための左側後方斜視図である。
【図２６】紙製箱の使用方法を説明するための左側後方斜視図である。
【図２７】紙製箱の使用方法を説明するための左側後方斜視図である。
【図２８】紙製箱の使用方法を説明するための右側前方斜視図である。
【図２９】紙製箱の作用を説明するための説明図である。
【図３０】切れ目線の作用を説明するための説明図である。
【図３１】従来のジッパーを示す平面図である。
【図３２】図３１に示すジッパーの使用状態を示す説明図である。
【図３３】図３１に示すジッパーの問題点を説明する説明図である。
【図３４】従来のジッパーを示す平面図である。
【図３５】図３４に示すジッパーの使用状態を示す説明図である。
【発明を実施するための形態】
【０１１１】
本発明においては、紙製箱用のジッパーや切れ目線の切断構造において、切断後のブランクの切断線の見栄えがよく、また、少ない力で破断を行なうことができ、さらには、ジッパーや切れ目線が形成された面に対して直角方向に力が加わって、一部が破断した場合でも破断してしまう長さを抑制することができる切断構造を提供するという目的を以下のようにして実現した。
【実施例１】
【０１１２】
本発明に基づく紙製箱用ジッパー（紙製箱用切断構造、カートン用切断構造）としてのジッパーＡは、図１〜図４に示すように構成され、互いに並設された切れ目線Ａ１、Ａ２と、開封開始位置の片部３０を形成するための切込みＡ３とを有している。つまり、切れ目線Ａ１と切れ目線Ａ２とは、互いに平行に２列に形成されている。ジッパーＡは、紙製箱を構成するシート状のブランク（例えば、段ボールや厚紙）に形成されている。
【０１１３】
ここで、切れ目線Ａ１は、複数の切込み１０を間隔を介して一列に配設したもので、各切込み１０は、傾斜部１２と、傾斜部１２の端部から連設された第１曲線部１４と、第１曲線部１４の傾斜部１２とは反対側の端部から連設された第２曲線部１６とを有している。傾斜部１２と第１曲線部１４と第２曲線部１６とは、ともにブランクの表面から裏面まで貫通した切込みにより形成されている。
【０１１４】
ここで、傾斜部１２は、ジッパー開封方向（「ジッパー破断方向」としてもよい）（Ｘ１−Ｘ２方向）の仮想直線１０Ｅに対して傾斜して形成され、傾斜部１２と仮想直線１０Ｅと平行な仮想直線１０Ｆ間の角度（第１曲線部１４側の角度）はα１１で、角度α１１は鋭角となっている。なお、角度α１１は、傾斜部１２と仮想直線１０Ｅ間の角度（第１曲線部１４側の角度）と同一であり、接触点ｍ１２が仮想直線１０Ｅに対して端部ｍ１１と同じ側にある場合には、傾斜部１２の延長線が仮想直線１０Ｅに対して傾斜して形成され、角度α１１は、傾斜部１２の延長線と仮想直線１０Ｅ間の角度（第１曲線部１４側の角度）と同一である。つまり、傾斜部１２又は傾斜部１２の延長線が、仮想直線１０Ｅに対して傾斜して形成され、角度α１１は、傾斜部１２又は傾斜部１２の延長線と仮想直線１０Ｅとの間の鋭角の角度である。また、傾斜部１２の仮想直線１０Ｅに対する直角方向（Ｙ１−Ｙ２方向）に対する角度はα１２となっている（α１２は０より大きい鋭角となっている）。この傾斜部１２は、直線状に形成されている。仮想直線１０Ｅは、ジッパーＡの開封方向に形成され、第２曲線部１６の後端である端部ｍ１４を通る直線である。なお、図１〜図４は、ジッパー開封方向が直線状であり、ジッパー形成方向が直線状である場合を示している。
【０１１５】
傾斜部１２の第１曲線部１４側とは反対側の端部（第１端部）ｍ１１が、図３に示すように、傾斜部１２の第１曲線部１４との接触点（第１接触点）ｍ１２よりも開封方向において前側（Ｘ１側）にある。つまり、傾斜部１２（傾斜部１２又はその延長線としてもよい）は、端部ｍ１１が接触点ｍ１２よりもジッパー開封方向において前側に位置するように仮想直線１０Ｅの方向（仮想直線１０Ｅとしてもよい）に対して傾斜している。
【０１１６】
また、端部ｍ１１と接触点ｍ１２とは、図３に示すように、仮想直線１０Ｅを介して両側（つまり、互いに反対側）に配置されている。つまり、仮想直線１０Ｅを介して一方の側（内側）に端部ｍ１１があり、他方の側（外側）に接触点ｍ１２がある。ただし、接触点ｍ１２が、仮想直線１０Ｅに対して端部ｍ１１と同じ側にあってもよい。
【０１１７】
また、第１曲線部（第１円弧状部としてもよい。他においても同じ）１４は、図３に示すように、傾斜部１２の端部から円弧状に形成され（つまり、接触点ｍ１２と接触点ｍ１３間に円弧状に形成されている）、具体的には、ジッパー開封方向の側（具体的には、右側（右方向としてもよい））にカーブした（つまり、曲がった）円弧状に形成されている。つまり、第１曲線部１４は、傾斜部１２の方向に対する曲がり方向においてジッパー開封方向の側に曲がる曲がり方向に形成されている。第１曲線部１４と傾斜部１２との接触点ｍ１２における第１曲線部１４の接線は、傾斜部１２と重ねるようになっていて、これにより、傾斜部１２の直線方向から第１曲線部１４の円弧状の方向に滑らかに切り替わっている。また、第１曲線部１４の傾斜部１２との接触点ｍ１２は、第１曲線部１４の第２曲線部１６との接触点（第２接触点）ｍ１３よりもジッパー開封方向において前側（Ｘ１側）にある。
【０１１８】
また、第２曲線部（第２円弧状部としてもよい。他においても同じ）１６は、図３に示すように、第１曲線部１４の端部から円弧状に形成され（つまり、接触点ｍ１３と端部ｍ１４間に円弧状に形成されている）、具体的には、第１曲線部１４のカーブの方向と反対方向にカーブした（つまり、左側（左方向としてもよい）にカーブした）円弧状に形成されている。つまり、第２曲線部１６は、第１曲線部１４の曲がり方向とは逆の曲がり方向に形成され、接触点ｍ１３と端部（第２端部）ｍ１４間に円弧状に形成されている。接触点ｍ１３は、端部ｍ１４よりもジッパー開封方向において前側にある。
【０１１９】
なお、接触点ｍ１３における第１曲線部１４の接線と接触点ｍ１３における第２曲線部１６の接線とは重なり、これにより、第１曲線部１４のカーブの方向から第２曲線部１６のカーブの方向に滑らかに切り替わっている。
【０１２０】
なお、第２曲線部１６は、仮想直線１０Ｅを介して接触点ｍ１３とは反対側に設けられた部分を有し、第２曲線部１６における仮想直線１０Ｅを介して接触点ｍ１３とは反対側に設けられた部分において仮想直線１０Ｅまでの距離が最も長い点である最突出点ｎ１６と接触点ｍ１３とが、仮想直線１０Ｅを介して互いに反対側に配置されている。つまり、第２曲線部１６における仮想直線１０Ｅを介して接触点ｍ１３側とは反対側に設けられた部分（範囲としてもよい）（つまり、第２曲線部１６において、仮想直線１０Ｅとの交点ｋ１６から端部ｍ１４までの範囲）において、仮想直線１０Ｅ側とは反対側に突出した最突出点ｎ１６は、仮想直線１０Ｅを介して接触点ｍ１３とは反対側にある。これにより、第２曲線部１６における交点ｋ１６から端部ｍ１４までの範囲は、ジッパー開封方向における後側にいくほど仮想直線１０Ｅとの距離が長くなる範囲（最突出点ｎ１６よりもジッパー開封方向において前側の範囲）と、ジッパー開封方向における後側にいくほど仮想直線１０Ｅとの距離が短くなる範囲（最突出点ｎ１６よりもジッパー開封方向において後側の範囲）とを有するといえる。なお、最突出点ｎ１６は、第２曲線部１６（特に、第２曲線部１６の交点ｋ１６から端部ｍ１４までの範囲）において、仮想直線１０Ｅとの距離（仮想直線１０Ｅに対する垂線の長さ）（仮想直線１０Ｅまでの距離（最短距離としてもよい）としてもよい）が最も長い位置にあるといえる。第２曲線部１６は、最突出点ｎ１６を介した両側（ジッパー開封方向において前側と後側）が円弧状に形成されている。これにより、破断面に突状部が形成された場合でも、突状部を目立たないようにでき、また、ブランクの面に対して垂直方向に力が加わった場合に、切れ目線の破断を小さくすることができる。
【０１２１】
また、図３に示すように、端部ｍ１１と仮想直線１０Ｅ間の長さ（端部ｍ１１から仮想直線１０Ｅまでの最短長さ）Ｌ１１は、第１曲線部１４において仮想直線１０Ｅ側とは反対側に最も突出した最突出点ｎ１４と仮想直線１０Ｅ間の長さ（最突出点ｎ１４から仮想直線１０Ｅまでの最短長さ）Ｌ１２よりも長く形成されていて（Ｌ１１＞Ｌ１２）、長さＬ１１は、長さＬ１２の３培〜４倍の長さとなっている。最突出点ｎ１４は、第１曲線部１４において、仮想直線１０Ｅとの距離（仮想直線１０Ｅに対する垂線の長さ。他においても同じ）（仮想直線１０Ｅまでの距離（最短距離としてもよい）としてもよい）が最も長い位置にあるといえる。なお、接触点ｍ１２が仮想直線１０Ｅを介して端部ｍ１１と同じ側にある場合も考慮すると、最突出点ｎ１４は、第１曲線部１４において仮想直線１０Ｅとの距離が最も長い位置で、仮想直線１０Ｅを介して端部ｍ１１とは反対側の位置にあるといえる。
【０１２２】
また、図３に示すように、第２曲線部１６における最突出点ｎ１６と仮想直線１０Ｅ間の長さ（最突出点ｎ１６から仮想直線１０Ｅまでの最短長さ）Ｌ１３は、長さＬ１１よりも短く形成されるとともに、長さＬ１２よりも長く形成されている（Ｌ１１＞Ｌ１３＞Ｌ１２）。長さＬ１３は、長さＬ１１の１／２以上の長さを有し、長さＬ１２の２倍以上３倍未満の長さを有している。
【０１２３】
また、図３に示すように、接触点ｍ１３と端部ｍ１４間の仮想直線１０Ｅに沿った長さＬ１５は、端部ｍ１１と接触点ｍ１３間の仮想直線１０Ｅに沿った長さＬ１４よりも長く形成され、長さＬ１５は、長さＬ１４の７倍〜１１倍（好適には、８倍〜１０倍）に形成されている。
【０１２４】
また、角度α１１と角度α１２とを比較すると、図３に示すように、角度α１１が角度α１２よりも大きく形成されている（α１１＞α１２）。例えば、角度α１１は６５〜７５度で、角度α１２は２５〜３５度に形成されている（なお、角度α１１、α１２は他の角度でもよい）。なお、角度α１１の角度の値は、角度α１２の角度の値の２倍以上の角度の値とするのが好ましい。
【０１２５】
また、図３に示すように、傾斜部１２の延長線１２Ｅと接触点ｍ１３における第１曲線部１４の接線１４Ｅがなす角度（鋭角の角度）（該延長線と該接線１４Ｅがなす第１曲線部１４側の角度）α１３は、９０度以下に形成され、例えば、８０〜９０度（好適には、８５度〜９０度）に形成されている。
【０１２６】
また、角度α１１は、接線１４Ｅと仮想直線１０Ｅとの角度（第１曲線部１４側の角度）α１４よりも大きく形成されている（α１１＞α１４）。角度α１４は、鋭角となっている。
【０１２７】
また、第２曲線部１６の円弧の径の大きさとしては、端部ｍ１４における第２曲線部１６の接線１６Ｅが仮想直線１０Ｅとなす角度で、ジッパー開封方向後側の角度（第１角度）α１５が大きくならない程度の大きさであり、図２に示すように、角度α１５は、端部ｍ１４とジッパー開封方向における次の切込み１０における端部ｍ１１を結ぶ仮想直線１７Ｅと仮想直線１０Ｅ間の角度（第２角度）α１６（ジッパー開封方向後側の角度）よりも小さく（α１５＜α１６）、より具体的には、角度α１５は、角度α１６の半分よりも小さい角度となっている（つまり、角度α１６は、角度α１５の２倍以上となっている）。なお、この接線１６Ｅは、直線であり、端部ｍ１４から端部ｍ１４の向きに向けて伸びた直線である。また、角度α１５と角度α１６は、ともに鋭角になっている。
【０１２８】
また、第２曲線部１６の円弧の径（半径）の大きさは、第１曲線部１４の円弧の径（半径）の大きさよりも大きく形成され、第２曲線部１６の円弧の径（半径）の大きさは、第１曲線部１４の円弧の径（半径）の大きさの２５〜３５倍（好適には、２９〜３１倍）に形成されている。
【０１２９】
なお、開封方向が直線状の場合に、ある切込み１０の端部ｍ１４における第２曲線部１６の接線１６Ｅは、後側に隣接する切込み１０には接さず、図２に示すように、接線１６Ｅと第１曲線部１４の間には、隙間Ｓ１が設けられる。
【０１３０】
ジッパーＡの開封方向は、複数の切込み１０における同じ箇所を結ぶ方向といえ、例えば、複数の切込み１０における端部ｍ１４を結ぶ方向がジッパーＡの開封方向といえ、仮想直線１０Ｅの方向がジッパー開封方向となる。また、ジッパーＡの開封方向を、複数の切込み２０における同じ箇所を結ぶ方向としてもよく、例えば、複数の切込み２０における端部ｍ２４を結ぶ方向がジッパーＡの開封方向といえ、仮想直線２０Ｅの方向がジッパー開封方向となる。また、ジッパー開封方向は、Ｘ１側からＸ２側への方向であり、Ｘ１側がジッパー開封方向において前側であり、Ｘ２側がジッパー開封方向において後側である。つまり、切込み１０、２０において、傾斜部１２、２２の側から破断していくので、切込み１０、２０において、傾斜部１２、２２の側がジッパー開封方向において前側であり、端部ｍ１４、２４の側がジッパー開封方向において後側となる。
【０１３１】
ジッパーＡの開封方向が直線状の場合（ジッパーＡが直線状に形成されている場合、ジッパーの形成方向が直線状の場合としてもよい）には、複数の端部ｍ１４を結ぶ方向が直線状となり（つまり、複数の端部ｍ１４をジッパー開封方向に沿って結ぶ仮想線が直線状となり、複数の端部ｍ１４が、該直線状の仮想線、すなわち、ジッパー開封方向の仮想直線１０Ｅ上に位置する）、複数の端部ｍ２４を結ぶ方向が直線状となる（つまり、複数の端部ｍ２４をジッパー開封方向に沿って結ぶ仮想線が直線状となり、複数の端部ｍ２４が、該直線状の仮想線、すなわち、仮想直線２０Ｅ上に位置する）。
【０１３２】
一方、ジッパーＡの開封方向が曲線状の場合（ジッパーＡが曲線状に形成されている場合、ジッパーの形成方向が曲線状の場合としてもよい）には、図１１に示すように、複数の端部ｍ１４を結ぶ方向が曲線状となり（つまり、複数の端部ｍ１４がジッパー開封方向の仮想曲線１１Ｅ上に位置する）、ジッパーＡの開封方向が円弧状の場合には、複数の端部ｍ１４は、円弧状の仮想曲線１１Ｅ上に位置し、複数の端部ｍ２４は、円弧状の仮想曲線２１Ｅ上に位置する。なお、ジッパーＡが曲線状に形成されている場合でも、一対の切込み１０と切込み２０は、基本的には、各対の切込みごとの中心線Ａｈ’を介して線対称に形成される（つまり、各切込み２０は、該切込み２０に対応する切込み１０との間の中心線Ａｈ’を介して、該対応する切込み１０と線対称に形成されている）が、ジッパーＡの形成方向が曲線状の場合には、切込み１０と切込み２０を線対称に形成すると、隣接する切込みとの間の隙間に差が生じてしまい、例えば、図１１の場合には、切れ目線Ａ１’における隣接する切込み１０間の隙間の仮想曲線１１Ｅに沿った長さが、切れ目線Ａ２’における隣接する切込み２０間の隙間の仮想曲線２１Ｅに沿った長さよりも長くなってしまうので、その場合には、第２曲線部１６の長さを第２曲線部２６よりも長くして、隣接する切込みとの隙間をなるべく等しくするのが好ましく、その場合には、一対の切込み１０と切込み２０は線対称にはならない。
【０１３３】
なお、１つの切れ目線Ａ１において、切込み１０は同じ構成であり、隣接する切込み１０間の間隔は、原則として同一に形成され、少なくともジッパーＡが直線状に形成されている場合には、隣接する切込み１０間の間隔は、同一に形成されている。
【０１３４】
次に、切れ目線Ａ２は、開封方向の切れ目線Ａ１と切れ目線Ａ２間の中心線Ａｈを介して対称（線対称）に形成され、切れ目線Ａ１と間隔を介して形成されている。中心線Ａｈは、切れ目線Ａ１と切れ目線Ａ２からの距離が等しい直線であり、切込み１０のある点（例えば、端部ｍ１１）と切込み２０の該ある点に対応する点（端部ｍ１１をある点とした場合には、端部ｍ２１））からの距離が等しい直線といえる。
【０１３５】
切れ目線Ａ２は、複数の切込み２０を間隔を介して一列に配設したもので、各切込み２０は、傾斜部２２と、傾斜部２２の端部から連設された第１曲線部２４と、第１曲線部２４の傾斜部２２とは反対側の端部から連設された第２曲線部２６とを有している。傾斜部２２と第１曲線部２４と第２曲線部２６とは、ともにブランクの表面から裏面まで貫通した切込みにより形成されている。各切込み２０は、切れ目線Ａ１における対応する切込み１０と中心線Ａｈを中心に対称に形成されている。図２における中心線Ａｈは、仮想直線１０Ｅ、２０Ｅと平行な直線である。
【０１３６】
ここで、傾斜部２２は、ジッパー開封方向（「ジッパー破断方向」としてもよい）（Ｘ１−Ｘ２方向）の仮想直線２０Ｅに対して傾斜して形成され、傾斜部２２と仮想直線２０Ｅと平行な仮想直線２０Ｆ間の角度（第１曲線部２４側の角度）はα２１で、角度α２１は鋭角となっている。なお、角度α２１は、傾斜部２２と仮想直線２０Ｅ間の角度（第１曲線部２４側の角度）と同一であり、接触点ｍ２２が仮想直線２０Ｅに対して端部ｍ２１と同じ側にある場合には、傾斜部２２の延長線が仮想直線２０Ｅに対して傾斜して形成され、角度α２１は、傾斜部２２の延長線と仮想直線２０Ｅ間の角度（第１曲線部２４側の角度）と同一である。つまり、傾斜部２２又は傾斜部２２の延長線が、仮想直線２０Ｅに対して傾斜して形成され、角度α２１は、傾斜部２２又は傾斜部２２の延長線と仮想直線２０Ｅとの間の鋭角の角度である。また、傾斜部２２の仮想直線２０Ｅに対する直角方向（Ｙ１−Ｙ２方向）に対する角度はα２２となっている（α２２は０より大きい鋭角となっている）。この傾斜部２２は、直線状に形成されている。仮想直線２０Ｅは、ジッパーＡの開封方向に形成され、第２曲線部２６の後端である端部ｍ２４を通る直線である。
【０１３７】
傾斜部２２の第１曲線部２４側とは反対側の端部（第１端部）ｍ２１が、図４に示すように、傾斜部２２の第１曲線部２４との接触点（第１接触点）ｍ２２よりも開封方向において前側（Ｘ１側）にある。つまり、傾斜部２２（傾斜部２２又はその延長線としてもよい）は、端部ｍ２１が接触点ｍ２２よりもジッパー開封方向において前側に位置するように仮想直線２０Ｅの方向（仮想直線２０Ｅとしてもよい）に対して傾斜している。
【０１３８】
また、端部ｍ２１と接触点ｍ２２とは、図４に示すように、仮想直線２０Ｅを介して両側に（つまり、互いに反対側に）配置されている。つまり、仮想直線２０Ｅを介して一方の側（内側）に端部ｍ２１があり、他方の側（外側）に接触点ｍ２２がある。ただし、端部ｍ２１と接触点ｍ２２が、仮想直線２０Ｅに対して同じ側にあってもよい。
【０１３９】
また、第１曲線部（第１円弧状部としてもよい。他においても同じ）２４は、図４に示すように、傾斜部２２の端部から円弧状に形成され（つまり、接触点ｍ２２と接触点ｍ２３間に円弧状に形成されている）、具体的には、ジッパー開封方向の側（具体的には、左側（左方向としてもよい））にカーブした（つまり、曲がった）円弧状に形成されている。つまり、第１曲線部２４は、傾斜部２２の方向に対する曲がり方向においてジッパー開封方向の側に曲がる曲がり方向に形成されている。第１曲線部２４と傾斜部２２との接触点ｍ２２における第１曲線部２４の接線は、傾斜部２２と重ねるようになっている。また、第２曲線部２４の傾斜部２２との接触点ｍ２２は、第１曲線部２４の第２曲線部２６との接触点（第２接触点）ｍ２３よりもジッパー開封方向において前側（Ｘ１側）にある。
【０１４０】
また、第２曲線部（第２円弧状部としてもよい。他においても同じ）２６は、図４に示すように、第１曲線部２４の端部から円弧状に形成され（つまり、接触点ｍ２３と端部ｍ２４間に円弧状に形成されている）、具体的には、第１曲線部２４のカーブの方向と反対方向にカーブした（つまり、右側（右方向としてもよい）にカーブした）円弧状に形成されている。つまり、第２曲線部２６は、第１曲線部２４の曲がり方向とは逆の曲がり方向に形成され、接触点ｍ２３と端部（第２端部）ｍ２４間に円弧状に形成されている。接触点ｍ２３は、端部ｍ２４よりもジッパー開封方向において前側にある。
【０１４１】
なお、接触点ｍ２３における第１曲線部２４の接線と接触点ｍ２３における第２曲線部２６の接線とは重なり、これにより、第１曲線部２４のカーブの方向から第２曲線部２６のカーブの方向に滑らかに切り替わっている。
【０１４２】
なお、第２曲線部２６は、仮想直線２０Ｅを介して接触点ｍ２３とは反対側に設けられた部分を有し、第２曲線部２６における仮想直線２０Ｅを介して接触点ｍ２３とは反対側に設けられた部分において仮想直線２０Ｅまでの距離が最も長い点である最突出点ｎ２６と接触点ｍ２３とが、仮想直線２０Ｅを介して互いに反対側に配置されている。つまり、第２曲線部２６における仮想直線２０Ｅを介して接触点ｍ２３側とは反対側に設けられた部分（範囲としてもよい）（つまり、第２曲線部２６において、仮想直線２０Ｅとの交点ｋ２６から端部ｍ２４までの範囲）において、仮想直線２０Ｅ側とは反対側に突出した最突出点ｎ２６は、仮想直線２０Ｅを介して接触点ｍ２３とは反対側にあり、これにより、第２曲線部２６における交点ｋ２６から端部ｍ２４までの範囲は、ジッパー開封方向における後側にいくほど仮想直線２０Ｅとの距離が長くなる範囲（最突出点ｎ２６よりもジッパー開封方向において前側の範囲）と、ジッパー開封方向における後側にいくほど仮想直線２０Ｅとの距離が短くなる範囲（最突出点ｎ２６よりもジッパー開封方向において後側の範囲）とを有するといえる。なお、最突出点ｎ２６は、第２曲線部２６（特に、第２曲線部２６の交点ｋ２６から端部ｍ２４までの範囲）において、仮想直線２０Ｅとの距離（仮想直線２０Ｅに対する垂線の長さ）（仮想直線２０Ｅまでの距離（最短距離としてもよい）としてもよい）が最も長い位置にあるといえる。第２曲線部２６は、最突出点ｎ２６を介した両側（ジッパー開封方向において前側と後側）が円弧状に形成されている。これにより、破断面に突状部が形成された場合でも、突状部を目立たないようにでき、また、ブランクの面に対して垂直方向に力が加わった場合に、切れ目線の破断を小さくすることができる。
【０１４３】
また、図４に示すように、端部ｍ２１と仮想直線２０Ｅ間の長さ（端部ｍ２１から仮想直線２０Ｅまでの最短長さ）Ｌ２１は、第１曲線部２４において仮想直線２０Ｅ側とは反対側に最も突出した最突出点ｎ２４と仮想直線２０Ｅ間の長さ（最突出点ｎ２４から仮想直線２０Ｅまでの最短長さ）Ｌ２２よりも長く形成されていて（Ｌ２１＞Ｌ２２）、長さＬ２１は、長さＬ２２の３培〜４倍の長さとなっている。最突出点ｎ２４は、第１曲線部２４において、仮想直線２０Ｅとの距離（仮想直線２０Ｅに対する垂線の長さ。他においても同じ）（仮想直線２０Ｅまでの距離（最短距離としてもよい）としてもよい）が最も長い位置にあるといえる。なお、接触点ｍ２２が仮想直線２０Ｅを介して端部ｍ２１と同じ側にある場合も考慮すると、最突出点ｎ２４は、第１曲線部２４において仮想直線２０Ｅとの距離が最も長い位置で、仮想直線２０Ｅを介して端部ｍ２１とは反対側の位置といえる。
【０１４４】
また、図４に示すように、第２曲線部２６においる最突出点ｎ２６と仮想直線２０Ｅ間の長さ（最突出点ｎ２６から仮想直線２０Ｅまでの最短長さ）Ｌ２３は、長さＬ２１よりも短く形成されるとともに、長さＬ２２よりも長く形成されている（Ｌ２１＞Ｌ２３＞Ｌ２２）。長さＬ２３は、長さＬ２１の１／２以上の長さを有し、長さＬ２２の２倍以上３倍未満の長さを有している。
【０１４５】
また、図４に示すように、接触点ｍ２３と端部ｍ２４間の仮想直線２０Ｅに沿った長さＬ２５は、端部ｍ２１と接触点ｍ２３間の仮想直線２０Ｅに沿った長さＬ２４よりも長く形成され、長さＬ２５は、長さＬ２４の７倍〜１１倍（好適には、８倍〜１０倍）に形成されている。
【０１４６】
また、角度α２１と角度α２２とを比較すると、図４に示すように、角度α２１が角度α２２よりも大きく形成されている（α２１＞α２２）。例えば、角度α２１は６５〜７５度で、角度α２２は２５〜３５度に形成されている（なお、角度α２１、α２２は他の角度でもよい）。なお、角度α２１の角度の値は、角度α２２の角度の値の２倍以上の角度の値とするのが好ましい。
【０１４７】
また、図４に示すように、傾斜部２２の延長線２２Ｅと接触点ｍ２３における第１曲線部２４の接線２４Ｅがなす角度（該延長線と該接線２４Ｅがなす第１曲線部２４側の角度）α２３は、９０度以下に形成され、例えば、８０〜９０度（好適には、８５度〜９０度）に形成されている。
【０１４８】
また、角度α２１は、接線２４Ｅと仮想直線２０Ｅとの角度（第１曲線部２４側の角度）α２４よりも大きく形成されている（α２１＞α２４）。角度α２４は、鋭角となっている。
【０１４９】
また、第２曲線部２６の円弧の径の大きさとしては、端部ｍ２４における第２曲線部２６の接線２６Ｅが仮想直線２０Ｅとなす角度で、ジッパー開封方向後側の角度（第１角度）α２５が大きくならない程度の大きさであり、図２に示すように、角度α２５は、端部ｍ２４とジッパー開封方向における次の切込み２０における端部ｍ２１を結ぶ仮想直線２７Ｅと仮想直線２０Ｅ間の角度（第２角度）α２６（ジッパー開封方向後側の角度）よりも小さく（α２５＜α２６）、より具体的には、角度α２５は、角度α２６の半分よりも小さい角度となっている（つまり、角度α２６は、角度α２５の２倍以上となっている）。なお、この接線２６Ｅは、直線であり、端部ｍ２４から端部ｍ２４の向きに向けて伸びた直線である。また、角度α２５と角度α２６は、ともに鋭角になっている。
【０１５０】
また、第２曲線部２６の円弧の径（半径）の大きさは、第２曲線部１４の円弧の径（半径）の大きさよりも大きく形成され、第２曲線部２６の円弧の径（半径）の大きさは、第１曲線部２４の円弧の径（半径）の大きさの２５〜３５倍（好適には、２９〜３１倍）に形成されている。
【０１５１】
なお、開封方向が直線状の場合に、ある切込み２０の端部ｍ２４における第２曲線部２６の接線２６Ｅは、後側に隣接する切込み２０には接さず、図２に示すように、接線２６Ｅと第１曲線部２４の間には、隙間Ｓ２が設けられる。
【０１５２】
なお、１つの切れ目線Ａ２において、切込み２０は同じ構成であり、隣接する切込み２０間の間隔は、原則として同一に形成され、少なくともジッパーＡが直線状に形成されている場合には、隣接する切込み２０間の間隔は、同一に形成されている。
【０１５３】
なお、切れ目線Ａ１を第１切れ目線とした場合には、切れ目線Ａ２が第２切れ目線となり、切込み１０が第１切込みとなり、切込み２０が第２切込みとなる。切れ目線Ａ１を第２切れ目線とした場合には、切れ目線Ａ２が第１切れ目線となり、切込み１０が第２切込みとなり、切込み２０が第１切込みとなる。
【０１５４】
なお、ジッパーＡが曲線状に形成されている場合（例えば、図１１、図１２に示すジッパーＡ’の場合）でも、図１２、図１３に示すように、傾斜部１２は、ジッパー開封方向に沿った仮想直線１０Ｅ’に対して傾斜して形成され、端部ｍ１１と接触点ｍ１２とは、仮想直線１０Ｅ’を介して両側に配置されている（ただし、接触点ｍ１２が、仮想直線１０Ｅ’に対して端部ｍ１１と同じ側にあってもよく、その場合には、傾斜部１２の延長線が仮想直線１０Ｅ’に対して傾斜して形成されている）。つまり、傾斜部１２又は傾斜部１２の延長線が、仮想直線１０Ｅ’に対して傾斜して形成されている。なお、仮想直線１０Ｅ’は、ある切込み１０−２における端部ｍ１４と該切込み１０−２よりもジッパー開封方向において１つ前側の切込み１０−１の端部ｍ１４とを結ぶ直線である。
【０１５５】
また、ジッパーＡが曲線状に形成されている場合（例えば、図１１、図１２に示すジッパーＡ’の場合）でも、図１２、図１４に示すように、傾斜部２２は、ジッパー開封方向に沿った仮想直線２０Ｅ’に対して傾斜して形成され、端部ｍ２１と接触点ｍ２２とは、仮想直線２０Ｅ’を介して両側に配置されている（ただし、接触点ｍ２２が、仮想直線２０Ｅ’に対して端部ｍ２１と同じ側にあってもよく、その場合には、傾斜部２２の延長線が仮想直線２０Ｅ’に対して傾斜して形成されている）。つまり、傾斜部２２又は傾斜部２２の延長線が、仮想直線２０Ｅ’に対して傾斜して形成されている。なお、仮想直線２０Ｅ’は、ある切込み２０−２における端部ｍ２４と該切込み２０−２よりもジッパー開封方向において１つ前側の切込み２０−１の端部ｍ２４とを結ぶ直線である。
【０１５６】
なお、ジッパーＡが曲線状に形成されている場合に、図１２、図１３に示すように、傾斜部１２は、ジッパー開封方向の仮想曲線１１Ｅに対して傾斜して形成され、端部ｍ１１と接触点ｍ１２とは、仮想曲線１１Ｅを介して両側に配置されている（ただし、接触点ｍ１２が、仮想曲線１１Ｅに対して端部ｍ１１と同じ側にあってもよい）。傾斜部１２は、ジッパー開封方向の仮想曲線１１Ｅに対して傾斜して形成されているとは、厳密には、傾斜部１２又は傾斜部１２の延長線と仮想曲線１１Ｅの交点における仮想曲線１１Ｅの接線に対して傾斜部１２が傾斜している。
【０１５７】
また、図１２、図１４に示すように、傾斜部２２は、ジッパー開封方向の仮想曲線２１Ｅに対して傾斜して形成され、端部ｍ２１と接触点ｍ２２とは、仮想曲線２１Ｅを介して両側に配置されている（ただし、接触点ｍ２２が、仮想曲線２１Ｅに対して端部ｍ２１と同じ側にあってもよい）。傾斜部２２は、ジッパー開封方向の仮想曲線２１Ｅに対して傾斜して形成されているとは、厳密には、傾斜部２２又は傾斜部２２の延長線と仮想曲線２１Ｅの交点における仮想曲線２１Ｅの接線に対して傾斜部２２が傾斜している。
【０１５８】
なお、ジッパーＡが曲線状に形成されている場合でも、第２曲線部１６は、仮想直線１０Ｅを介して接触点ｍ１３とは反対側に設けられた部分（つまり、第２曲線部１６において、仮想直線１０Ｅとの交点ｋ１６から端部ｍ１４までの範囲）を有し、第２曲線部１６における仮想直線１０Ｅを介して接触点ｍ１３とは反対側に設けられた部分において仮想直線１０Ｅまでの距離が最も長い点である最突出点ｎ１６と接触点ｍ１３とが、仮想直線１０Ｅを介して互いに反対側に配置されており、また、第２曲線部２６は、仮想直線２０Ｅを介して接触点ｍ２３とは反対側に設けられた部分（つまり、第２曲線部２６において、仮想直線２０Ｅとの交点ｋ２６から端部ｍ２４までの範囲）を有し、第２曲線部２６における仮想直線２０Ｅを介して接触点ｍ２３とは反対側に設けられた部分において仮想直線２０Ｅまでの距離が最も長い点である最突出点ｎ２６と接触点ｍ２３とが、仮想直線２０Ｅを介して互いに反対側に配置されている。
【０１５９】
また、図１２〜図１４に示すように、ジッパーＡが曲線状に形成されている場合でも、端部ｍ１１から仮想直線１０Ｅ’までの長さ（端部ｍ１１から仮想直線１０Ｅ’までの最短長さ）Ｌ１１は、第１曲線部１４において仮想直線１０Ｅ’側とは反対側に最も突出した最突出点ｎ１４から仮想直線１０Ｅ’までの長さ（最突出点ｎ１４から仮想直線１０Ｅ’までの最短長さ）Ｌ１２よりも長く形成されていて（Ｌ１１＞Ｌ１２）、同様に、端部ｍ２１から仮想直線２０Ｅ’までの長さ（端部ｍ２１から仮想直線２０Ｅ’までの最短長さ）Ｌ２１は、第１曲線部２４において仮想直線２０Ｅ’側とは反対側に最も突出した最突出点ｎ２４から仮想直線２０Ｅ’までの長さ（最突出点ｎ２４から仮想直線２０Ｅ’までの最短長さ）Ｌ２２よりも長く形成されていて（Ｌ２１＞Ｌ２２）。なお、最突出点ｎ１４は、第１曲線部１４において、仮想直線１０Ｅ’との距離（仮想直線１０Ｅ’に対する垂線の長さ。他においても同じ）（仮想直線１０Ｅ’までの距離（最短距離としてもよい）としてもよい）が最も長い位置にあるといえ、最突出点ｎ２４は、第１曲線部２４において、仮想直線２０Ｅ’との距離（仮想直線２０Ｅ’に対する垂線の長さ。他においても同じ）（仮想直線２０Ｅ’までの距離（最短距離としてもよい）としてもよい）が最も長い位置にあるといえる。
【０１６０】
また、図１２〜図１４に示すように、最突出点ｎ１６から仮想直線１０Ｅ’までの長さ（最突出点ｎ１６から仮想直線１０Ｅ’までの最短長さ）Ｌ１３は、長さＬ１１よりも短く形成されるとともに、長さＬ１２よりも長く形成されていて、最突出点ｎ２６から仮想直線２０Ｅ’までの長さ（最突出点ｎ２６から仮想直線２０Ｅ’までの最短長さ）Ｌ２３は、長さＬ２１よりも短く形成されるとともに、長さＬ２２よりも長く形成されている。なお、最突出点ｎ１６は、第２曲線部１６において、仮想直線１０Ｅ’との距離（仮想直線１０Ｅ’に対する垂線の長さ。他においても同じ）（仮想直線１０Ｅ’までの距離（最短距離としてもよい）としてもよい）が最も長い位置にあるといえ、最突出点ｎ２６は、第２曲線部２６において、仮想直線２０Ｅ’との距離（仮想直線２０Ｅ’に対する垂線の長さ。他においても同じ）（仮想直線２０Ｅ’までの距離（最短距離としてもよい）としてもよい）が最も長い位置にあるといえる。
【０１６１】
また、図１２〜図１４に示すように、接触点ｍ１３と端部ｍ１４間の仮想直線１０Ｅ’に沿った長さＬ１５は、端部ｍ１１と接触点ｍ１３間の仮想直線１０Ｅ’に沿った長さＬ１４よりも長く形成され、同様に、接触点ｍ２３と端部ｍ２４間の仮想直線２０Ｅ’に沿った長さＬ２５は、端部ｍ２１と接触点ｍ２３間の仮想直線２０Ｅ’に沿った長さＬ２４よりも長く形成されている。
【０１６２】
また、傾斜部１２の仮想直線１０Ｅ’の方向に対する角度α１１（傾斜部１２（接触点ｍ１２が仮想直線１０Ｅ’に対して端部ｍ１１と同じ側にある場合には、傾斜部１２の延長線）と仮想直線１０Ｅ’との角度（第１曲線部１４側の角度））は、傾斜部１２と仮想直線１０Ｅ’の直角方向との間の角度α１２よりも大きく形成されている（α１１＞α１２）。
【０１６３】
同様に、傾斜部２２の仮想直線２０Ｅ’の方向に対する角度α２１（傾斜部２２（接触点ｍ２２が仮想直線２０Ｅ’に対して端部ｍ２１と同じ側にある場合には、傾斜部２２の延長線）と仮想直線２０Ｅ’との角度（第１曲線部２４側の角度））は、傾斜部２２と仮想直線２０Ｅ’の直角方向との間の角度α２２よりも大きく形成されている（α２１＞α２２）。
【０１６４】
また、傾斜部１２の延長線と接触点ｍ１３における第１曲線部１４の接線１４Ｅがなす角度α１３（該延長線と該接線がなす第１曲線部１４側の角度）は、９０度以下に形成され、同様に、傾斜部２２の延長線と接触点ｍ２３における第１曲線部２４の接線２４Ｅがなす角度α２３（該延長線と該接線がなす第１曲線部２４側の角度）は、９０度以下に形成されている。
【０１６５】
また、傾斜部１２又はその延長線の仮想直線１０Ｅ’の方向に対する角度α１１は、接線１４Ｅと仮想直線１０Ｅ’との角度（第１曲線部１４側の角度）α１４よりも大きく形成されている（α１１＞α１４）。同様に、傾斜部２２又はその延長線の仮想直線２０Ｅ’の方向に対する角度α２１は、接線２４Ｅと仮想直線２０Ｅ’との角度（第１曲線部２４側の角度）α２４よりも大きく形成されている（α２１＞α２４）。
【０１６６】
また、切込みＡ３は、図１、図２に示すように、略コ字状を呈し、Ｘ２側（切れ目線Ａ１、Ａ２側）に開口した略コ字状を呈している。つまり、切込みＡ３は、直線部１６の延長線上に形成された直線状の切込み３２と、直線部２６の延長線上に形成された直線状の切込み３４と、切込み３２と切込み３４のＸ１側（切れ目線Ａ１、Ａ２側とは反対側）の端部間を結び、該中心線Ａｈに対して直角をなす切込み３６とを有している。この切込みＡ３により囲まれた領域（つまり、切込みＡ３と、切込み３２のＸ２側の端部と切込み３４のＸ２側の端部とを結ぶ直線により囲まれた領域）が、片部３０となる。
【０１６７】
なお、上記の説明において、第１曲線部１４、２４と第２曲線部１６、２６は、円弧状であるとしたが、円弧状ではなく、楕円弧状としてもよい。
【０１６８】
ジッパーＡの使用に際しては、片部３０を起こして手でつかみ、Ｘ２方向（開封方向）に引っぱることにより、隣接する切込み１０間の隙間と隣接する切込み２０間の隙間が破れてジッパーＡがブランクから分離する。これにより、図７に示すように、帯状部４０がブランクから分離し、ブランクには帯状部４０を分離した後の隙間５０が形成される。ブランクには、この隙間の両側に切断面５２、５４が形成される。この場合、帯状部４０は、帯状部４０の両側の領域に対してブランクの面に対して略垂直方向に引き離すことになる（つまり、切れ目線を介した一方の領域を他方の領域に対して略垂直方向に引き離す）。
【０１６９】
例えば、ジッパーＡを紙製箱に適用した例は、図５、図６に示すようになり、図５、図６に示す紙製箱（箱体、カートン、包装箱としてもよい）Ｐは、スリーブ状部１０５と、底面部１５０と、蓋部１９２と、差込み片部１９４と、フラップ部１９６、１９８とを有している。
【０１７０】
紙製箱Ｐは、１枚のシート状のブランク（具体的には、段ボール製（例えば、薄型段ボール製）のブランクであり、厚紙製のブランク等の他の紙製のブランクでもよい）により形成されている。つまり、紙製箱Ｐは、段ボール材（特に、両面段ボール材）等の紙製の箱体である。なお、両面段ボールにおける中芯の段の方向は、図６に示す円内に示す方向（スリーブ状部１０５を構成する左側面部１３０の下辺と直角な方向）である（なお、中芯の段の方向は他の方向でもよい。）。
【０１７１】
スリーブ状部１０５は、正面部１１０と、右側面部１２０と、左側面部１３０と、背面部１４０と、糊代部１４２とを有していて、紙製箱Ｐの側面部を構成する。糊代部１４２は、右側面部１２０の背面側の端部（具体的には、背面側の端部の内側の面）に接着されている。
【０１７２】
また、底面部１５０は、いわゆるワンタッチ底であり、第１片部１６０と、第２片部１７０と、第３片部１８０と、第４片部１９０とを有している。
【０１７３】
第２片部１７０は、折れ線１７０−１を介して本体部１７２と先端部１７４とに区画される。本体部１７２の先端の先端部１７４側には、他方の本体部１８２と互いに係止するように切欠部１７２ａが形成されている。先端部１７４の上面は、第４片部１９０の下面に接着されている。紙製箱Ｐを折り畳んだ状態とした際に、第２片部１７０は、折れ線１７０−１を介して折り返した状態となる。
【０１７４】
また、第３片部１８０は、折れ線１８０−１を介して本体部１８２と先端部１８４とに区画される。本体部１８２の先端の先端部１８４側には、他方の本体部１７２と互いに係止するように切欠部１８２ａが形成されている。先端部１８４の上面は、第１片部１６０の下面に接着されている。紙製箱Ｐを折り畳んだ状態とした際に、第３片部１８０は、折れ線１８０−１を介して折り返した状態となる。
【０１７５】
ジッパーＡは、紙製箱Ｐに２つ形成され、一方のジッパーＡ−１は、正面部１１０の左右方向の中央から右側面部１２０の背面側の上端に向けて形成され、他方のジッパーＡ−２は、正面部１１０の左右方向の中央から左側面部１３０の背面側の上端に向けて形成されている。ジッパーＡ−１、Ａ−２はともにジッパーＡと同一の構成である。
【０１７６】
ジッパーＡ−１を破断するには、ジッパーＡ−１の片部３０を手前に起こして手でつまみ、正面部１１０に対して手前に引っぱった後に、右側面部１２０に対して手前に引っぱり、ジッパーＡ−２を破断するには、ジッパーＡ−２の片部３０を手前に起こして手でつまみ、正面部１１０に対して手前に引っぱった後に、左側面部１３０に対して手前に引っぱる。以上のように、ジッパーＡ−１、Ａ−２を破断して、左側面部１３０の上側の領域及びフラップ部１９８と正面部１１０の上側の領域と右側面部１２０の上側の領域及びフラップ部１９６を紙製箱Ｐから分離する。
【０１７７】
ここで、ジッパーＡを破断する際には、切れ目線Ａ１においては、第１曲線部１４が端部ｍ１４を通る仮想直線１０Ｅよりも帯状部４０の外側方向（第２曲線部１６が膨出した側とは反対側）に突出し、最突出点ｎ１４と仮想直線１０Ｅ間に長さＬ１２の間隔が設けられており、また、端部ｍ１１が端部ｍ１４を通る仮想直線１０Ｅよりも帯状部４０の内側方向（第２曲線部１６が膨出した側）に突出し、端部ｍ１１と仮想直線１０Ｅ間に長さＬ１１の間隔が設けられているので、ブランクの剥離（つまり、表層剥離）を防止することができる。また、剥離を防止できるので、破断（切断としてもよい）後のブランクの破断線（切断線としてもよい）５２、５４の見栄えをよくすることができ（図７参照）、また、剥離を防止できるので、その分少ない力で破断を行なうことができる。つまり、１つ前の切込み１０、２０からの破断力においては、切れ目線Ａ１と切れ目線Ａ２間の帯状部４０を引っぱるので、ジッパー開封方向（例えば、仮想直線１０Ｅ、２０Ｅの方向）よりも内側に向かう成分が多い場合が多いので、図８において、切込み１０−１（切込み１０−１は、切込み１０と同一の構成である）の第２曲線部１６の端部ｍ１４からの破断力においては、破断方向Ｈ１や破断方向Ｈ２への成分よりも破断方向Ｈ３や破断方向Ｈ４への成分が多い場合が多い。破断方向Ｈ１の方向は、ジッパー開封方向よりも外側に向かう方向であり、特に、最突出点ｎ１４に向かう方向であり、破断方向Ｈ２の方向は、ジッパー開封方向であり、破断方向Ｈ３、Ｈ４は、ジッパー開封方向よりも内側に向かう方向であり、特に、破断方向Ｈ４は、端部ｍ１１に向かう方向である。なお、破断方向Ｈ１〜破断方向Ｈ４までの範囲においてどの方向に破断するかは、破断する際に最も破断力の成分が多い方向に破断するので、破断方向Ｈ１や破断方向Ｈ２のように第１曲線部１４や第１曲線部１４に近い方向に破断する場合もあれば、破断方向Ｈ３や破断方向Ｈ４のように傾斜部１２の方向に破断する場合もある。ただし、破断力においては、内側に向かう成分が多いので、破断方向Ｈ１側から破断方向Ｈ４側にいくに従い、その方向に破断する確率が高くなり、特に、破断方向Ｈ１のようにジッパー開封方向よりも外側に向かう確率は極めて低い。
【０１７８】
そして、端部ｍ１１と仮想直線１０Ｅ間に長さＬ１１の間隔が設けられ、長さＬ１１が長さＬ１２よりも長く形成されているので、ジッパー開封方向及びジッパー開封方向よりも内側に向かった破断力（例えば、破断方向Ｈ２、Ｈ３、Ｈ４への破断力）を傾斜部１２により広く受け止めることができるので、ブランクの剥離を防止することができる。
【０１７９】
また、最突出点ｎ１４と仮想直線１０Ｅ間に長さＬ１２の間隔が設けられているので、ジッパー開封方向よりも外側に向かった破断力（例えば、破断方向Ｈ１への破断力）も受け止めることができ、ブランクの剥離を防止することができる。
【０１８０】
なお、端部ｍ１４における第２曲線部１６の接線１６Ｅは、後側に隣接する切込み１０には接しないが、端部ｍ１４からの破断力がジッパー開封方向よりも外側に向かう確率は極めて低く、また、角度α１５は、角度α１６の半分よりも小さい角度となっているので、端部ｍ１４からの破断力が破断方向Ｈ１よりも外側に向かう確率は極めて小さいので、破断における支障はなく、剥離を防止することができる。
【０１８１】
また、切れ目線Ａ２においても、切れ目線Ａ１の場合と同様に、第１曲線部２４が端部ｍ２４を通る仮想直線２０Ｅよりも帯状部４０の外側方向に突出し、最突出点ｎ２４と仮想直線２０Ｅ間に長さＬ２２の間隔が設けられており、また、端部ｍ２１が端部ｍ２４を通る仮想直線２０Ｅよりも帯状部４０の内側方向に突出し、端部ｍ２１と仮想直線２０Ｅ間に長さＬ２１の間隔が設けられているので、切れ目線Ａ１における上記の作用と同様に、ブランクの剥離（つまり、表層剥離）を防止することができる。また、剥離を防止できるので、破断（切断としてもよい）後のブランクの破断線（切断線としてもよい）の見栄えをよくすることができ、また、剥離を防止できるので、その分少ない力で破断を行なうことができる。
【０１８２】
なお、端部ｍ２４における第２曲線部２６の接線２６Ｅは、後側に隣接する切込み２０には接しないが、切れ目線Ａ１における上記の理由と同様の理由で、破断における支障はない。
【０１８３】
なお、第１曲線部１４、２４が楕円弧状の場合でも、第１曲線部１４が端部ｍ１４を通る仮想直線１０Ｅよりも帯状部４０の外側方向（第２曲線部１６が膨出した側とは反対側）に突出した構成とできるので、同様の作用・効果を得ることができる。
【０１８４】
なお、ジッパー開封方向が曲線状の場合でも、ジッパーＡ’を破断する際には、切れ目線Ａ１’においては、第１曲線部１４が端部ｍ１４を通る仮想直線１０Ｅ’よりも帯状部４０の外側方向（第２曲線部１６が膨出した側とは反対側）に突出し、最突出点ｎ１４と仮想直線１０Ｅ’間に長さＬ１２の間隔が設けられており、また、端部ｍ１１が端部ｍ１４を通る仮想直線１０Ｅ’よりも帯状部の内側方向（第２曲線部１６が膨出した側）に突出し、端部ｍ１１と仮想直線１０Ｅ間に長さＬ１１の間隔が設けられているので、ブランクの剥離（つまり、表層剥離）を防止することができる。また、剥離を防止できるので、破断（切断としてもよい）後のブランクの破断線（切断線としてもよい）の見栄えをよくすることができ、また、剥離を防止できるので、その分少ない力で破断を行なうことができる。
【０１８５】
また、ジッパー開封方向に隣接する２つの切込み１０（２０）間の隙間が端部ｍ１１（ｍ２１）への方向（図８では、破断方向Ｈ４の方向）で破断して、破断面５２、５４に突状部５２ａ、５４ａが形成された場合でも、図７に示すように、第２曲線部１６、２６は円弧状を呈し、特に、最突出点ｎ１６、ｎ２６を介した両側が円弧状に形成されているので、突状部５２ａ、５４ａが目立たないことから、突状部５２ａ、５４ａが見苦しくなることがなく、切断面の見栄えをよくすることができる。つまり、第２曲線部１６、２６の形状が仮にジッパー開封方向への直線状の場合には、突状部が目立つことになるが、第２曲線部１６、２６が円弧状に湾曲しているので、突状部を目立たせなくすることができる。なお、この点は、第２曲線部１６、２６が楕円弧状の場合も同様である。
【０１８６】
なお、ジッパー開封方向が曲線状の場合でも、破断面に突状部（図７の突状部５２ａ、５４ａと同様の構成の突状部）が形成された場合でも、第２曲線部１６、２６は円弧状を呈し、特に、最突出点ｎ１６、ｎ２６を介した両側（ジッパー開封方向において前側と後側）が円弧状に形成されているので、突状部が目立たないことから、突状部が見苦しくなることがなく、切断面の見栄えをよくすることができる。
【０１８７】
また、傾斜部１２、２２が開封方向に対する直角方向に対して傾斜しており、傾斜部１２、２２の第１曲線部１４、２４側が開封方向後側（Ｘ２側）となっている（つまり、端部ｍ１１が接触点ｍ１２よりも前側にあり、端部ｍ２１が接触点ｍ２２よりも前側にある）ので、傾斜部１２、２２に伝えられた破断力をスムーズに第１曲線部１４、２４に伝えることができる。よって、少ない力で破断を行なうことができる。なお、この点は、ジッパー開封方向が曲線状の場合でも同様である。
【０１８８】
また、角度α１１が角度α１４よりも大きく、角度α２１が角度α２４よりも大きい（α１１＞α１４、α２１＞α２４）ので、傾斜部１２、２２の仮想直線１０Ｅ、２０Ｅに対する傾斜が大きく、傾斜部１２、２２からの破断力が第１曲線部１４、２４を介して第２曲線部１６、２６に伝わりやすく、ブランクの紙材の剥離が起こりにくい。よって、ブランクの切断面５２、５４の見栄えをよくすることができる。なお、この点は、ジッパー開封方向が曲線状の場合でも、角度α１１が角度α１４よりも大きいとともに角度α２１が角度α２４よりも大きく、傾斜部１２、２２の仮想直線１０Ｅ’、２０Ｅ’に対する傾斜が大きいので、同様である。すなわち、α１１＜α１４、α２１＜α２４であるとすると、傾斜部１２、２２の仮想直線１０Ｅ、２０Ｅに対する傾斜が小さくなり、接線１４Ｅ、２４Ｅの仮想直線１０Ｅ、２０Ｅに対する傾斜が大きくなるので、傾斜部１２、２２からの破断力が第１曲線部１４、２４を介して第２曲線部１６、２６に伝わるよりも、ブランクの紙材を剥離する方に使われてしまい、剥離が起こりやすくなるが、本実施例の場合には、そのようなおそれが小さい。
【０１８９】
また、角度α１３、α２３が直角以下に形成されているので、その分、傾斜部１２、２２の仮想直線１０Ｅ、２０Ｅに対する角度α１１、α２１を大きくすることができて、１つ前の切込み１０、２０からの破断力を傾斜部１２、２２で受け止めやすく、これによっても、ブランクの剥離を防止することができる。また、角度α１３、α２３が直角以下に形成されているので、その分、第２曲線部１６、２６の長さを確保することができ、第２曲線部１６、２６の長さを確保することにより、第２曲線部１６、２６からの破断力が拡散する角度を小さくして、次の切込み１０、２０に破断力を伝えることができ、剥離のおそれを小さくできる。なお、この点は、ジッパー開封方向が曲線状の場合でも、角度α１３、α２３が直角以下に形成され、その分傾斜部１２、２２の仮想直線１０Ｅ’、２０Ｅ’に対する角度α１１、α２１を大きくできるので、同様である。
【０１９０】
また、長さＬ１３、Ｌ２３が長さＬ１１、Ｌ２１よりも短く形成されているので、その分、第２曲線部１６、２６の径が大きくなり、これにより、角度α１５、α２５を小さくできるので、接線１６Ｅ、２６Ｅが次の切込み１０、２０の傾斜部１２、２２に接しない場合でも、破断に支障がなく、剥離が生じるおそれがない。なお、この点は、ジッパー開封方向が曲線状の場合でも、端部ｍ１４、ｍ２４における第２曲線部１６、２６の接線が、仮想直線１０Ｅ’、２０Ｅ’（該端部ｍ１４、ｍ２４から次の切込みの端部ｍ１４、ｍ２４に伸びた仮想直線）となす角度でジッパー開封方向後側の角度を小さくできるので、同様である。
【０１９１】
また、端部ｍ１１、ｍ２１と接触点ｍ１２、ｍ２２が仮想直線１０Ｅ、２０Ｅを介して互いに反対側に位置しているので、その分、第１曲線部１４、２４の径を小さくでき、結果として、第２曲線部１６、２６の長さを確保することができ、第２曲線部１６、２６からの破断力が拡散する角度を小さくして、次の切込み１０、２０に破断力を伝えることができ、剥離のおそれを小さくできる。なお、この点は、ジッパー開封方向が曲線状の場合でも、端部ｍ１１、ｍ２１と接触点ｍ１２、ｍ２２が仮想直線１０Ｅ’、２０Ｅ’を介して互いに反対側に位置しているので、同様である。
【０１９２】
また、第２曲線部１６、２６が円弧状に形成されているので、ジッパーＡが形成されたブランクに対して、ブランクの面に対して垂直方向に力が加わった場合に、切れ目線Ａ１、Ａ２の破断を小さくすることができる。
【０１９３】
つまり、帯状部４０の領域が押された場合には、第２曲線部１６、２６間の長さが押された領域から離れるに従い短くなる範囲により帯状部４０が沈み込むのを規制でき、隙間の破断や破断の連鎖を防止することができる。
【０１９４】
すなわち、図９において、切れ目線Ａ１と切れ目線Ａ２間の領域で、ジッパー開封方向に隣接する一対の切込み１０−１、１０−２と一対の切込み２０−１、２０−２間の領域Ｒ１が押されて、切込み１０−１と切込み１０−２間の隙間が破断し、切込み２０−１と切込み２０−２間の隙間が破断した場合には、領域Ｒ１からジッパー開封方向に沿った方向の両側に沈み込むが、その際、押した箇所の中心位置Ｒ１−１は、垂直方向に沈み込むものの、中心位置Ｒ１−１からずれた位置Ｒ１−２、Ｒ１−３においては、中心位置Ｒ１−１とまだ押されていない領域との間で高低差があることから、斜めに沈み込もうとする。
【０１９５】
すると、切込み１０−２における第２曲線部１６の最突出点ｎ１６よりもＸ１側の部分では、帯状部４０が帯状部４０よりもＹ２側の領域４２に対して斜めの方向（図９（ｂ）では、右下方向）に押されるので、領域４２が帯状部４０の移動を遮って帯状部４０が沈み込むのを規制することができる。同様に、切込み１０−２における第２曲線部２６の最突出点ｎ２６よりもＸ１側の部分では、帯状部４０が帯状部４０よりもＹ１側の領域４４に対して斜めの方向（図９（ｄ）では、右下方向）に押されるので、領域４４が帯状部４０の移動を遮って帯状部４０が沈み込むのを規制することができる。
【０１９６】
また、切込み１０−１における第２曲線部１６の最突出点ｎ１６よりもＸ２側の範囲では、帯状部４０が帯状部４０よりもＹ２側の領域４２に対して斜め（図９（ｃ）では、左下方向）に押されるので、領域４２が帯状部４０の移動を遮って帯状部４０が沈み込むのを規制することができる。同様に、第２曲線部２６の最突出点ｎ２６よりもＸ２側の範囲では、帯状部４０が帯状部４０よりもＹ１側の領域４４に対して斜め（図９（ｅ）では、左下方向）に押されるので、領域４４が帯状部４０の移動を遮って帯状部４０が沈み込むのを規制することができる。
【０１９７】
よって、切込み１０−１、２０−１の第２曲線部１６、２６における最突出点ｎ１６、ｎ２６よりもＸ２側の範囲（つまり、第２曲線部１６、２６間の長さが領域Ｒ１から離れるに従い短くなる範囲）と、切込み１０−２、２０−２の第２曲線部１６、２６における最突出点ｎ１６、ｎ２６よりもＸ１側の範囲（つまり、第２曲線部１６、２６間の長さが領域Ｒ１から離れるに従い短くなる範囲）とで、帯状部４０が沈み込むのを規制できるので、切込み１０−１と切込み１０−２間の隙間が破断し、切込み２０−１と切込み２０−２間の隙間が破断した場合でも、隣接する次の隙間（切込み１０−１、２０−１と切込み１０−０、２０−０間の隙間や切込み１０−２、２０−２と切込み１０−３、２０−３間の隙間）が破断するのを防止することができ、隙間の破断の連鎖を防止することができる。
【０１９８】
また、帯状部４０において、第２曲線部１６、２６が対向する領域（例えば、図９における領域Ｒ２）が押された場合でも、第２曲線部１６、２６における第２曲線部１６と第２曲線部２６間の長さが領域Ｒ２から離れるに従い（ジッパー開封方向に沿った方向（Ｘ１−Ｘ方向）に離れるに従い）短くなる範囲により帯状部４０が沈み込むのを規制できる。
【０１９９】
すなわち、図９において、切込み１０−２、２０−２における第２曲線部１６、２６が対向する領域Ｒ２が押された場合には、切込み１０−２、２０−２における第２曲線部１６、２６は領域Ｒ２から離れるに従い第２曲線部１６、２６間の長さが長くなるので、領域４２、４４により帯状部４０が沈み込むのを規制できず、切込み１０−２、２０−２と切込み１０−３、２０−３間の隙間や切込み１０−２、２０−２と切込み１０−１、２０−１間の隙間が破断するおそれはあるが、切込み１０−１、２０−１の第２曲線部１６、２６のＸ２側の範囲と切込み１０−３、２０−３の第２曲線部１６、２６のＸ１側の範囲が、領域Ｒ２から離れるに従い第２曲線部１６と第２曲線部２６間の長さが短くなるので、帯状部４０が沈み込むのを規制することができ、隣接する次の隙間（切込み１０−１、２０−１と切込み１０−０、２０−０間の隙間や切込み１０−３、２０−３と切込み１０−３、２０−３よりも後側に隣接する切込み間の隙間）が破断するのを防止することができ、隙間の破断の連鎖を防止することができる。
【０２００】
なお、第２曲線部１６、２６が楕円弧状の場合でも、第２曲線部１６、２６における第２曲線部１６と第２曲線部２６間の長さが押された領域Ｒ２から離れるに従い（ジッパー開封方向に沿った方向（Ｘ１−Ｘ方向）に離れるに従い）短くなる範囲が存在するので、これにより、帯状部４０の沈み込みを規制することができる。
【０２０１】
なお、ジッパー開封方向が曲線状の場合でも、帯状部（切れ目線Ａ１’と切れ目線Ａ２’間の帯状部）の領域が押された場合には、第２曲線部１６、２６間の長さが押された領域から離れるに従い短くなる範囲により帯状部が沈み込むのを規制でき、隙間の破断や破断の連鎖を防止することができる。
【０２０２】
また、帯状部４０の外側の領域が押された場合でも、第２曲線部１６、２６における範囲で、押された領域を通る仮想直線でジッパー開封方向に沿った仮想直線と第２曲線部１６、２６間の長さが該領域から離れるに従って短くなる範囲においては、該外側の領域が沈み込むのを規制できるので、隙間の破断や破断の連鎖を防止することができる。
【０２０３】
例えば、図１０において、帯状部４０において切込み１０−２、２０−２の第２曲線部１６、２６が対向する領域の外側の領域Ｒ３が押された場合には、切込み２０−２の第２曲線部２６は、第２曲線部１６、２６におけるジッパー開封方向に沿った仮想直線４４Ｅと第２曲線部１６、２６間の長さが該領域から離れるに従って短くなり、領域４４における切込み２０−２の第２曲線部２６の外側の領域は、該第２曲線部２６の内側の領域に規制される。また、切込み２０−２における第２曲線部２６の最突出点ｎ２６よりもＸ２側の範囲では、外側の領域４４が帯状部４０に対して斜め（図１０（ｂ）では、右下方向）に押されるので、帯状部４０が領域４４の移動を遮って領域４４が沈み込むのを規制することができ、同様に、第２曲線部２６の最突出点ｎ２６よりもＸ１側の範囲では、外側の領域４４が帯状部４０に対して斜め（図１０（ｃ）では、左下方向）に押されるので、帯状部４０が領域４４の移動を遮って領域４４が沈み込むのを規制することができる。
【０２０４】
また、帯状部４０の外側の領域で、ジッパー開封方向に隣接する一対の切込み（例えば、切込み２０−１と切込み２０−２）間の領域（例えば、領域Ｒ４）が押された場合でも、ジッパー開封方向に沿った仮想直線４４Ｅと第２曲線部１６、２６間の長さが該領域から離れるに従って短くなる範囲においては、該外側の領域が沈み込むのを規制できるので、隙間の破断や破断の連鎖を防止することができる。例えば、領域Ｒ４が押された場合には、切込み２０−１と切込み２０−２間の隙間が破断したとしても、切込み２０−２の第２曲線部２６の最突出点ｎ２６よりもＸ２側の範囲では、外側の領域４４が帯状部４０に対して斜め（図１０では、右下方向）に押されるので、帯状部４０が領域４４の移動を遮って領域４４が沈み込むのを規制することができ、同様に、切込み２０−１の第２曲線部２６の最突出点ｎ２６よりもＸ１側の範囲では、外側の領域４４が帯状部４０に対して斜め（図１０では、左下方向）に押されるので、帯状部４０が領域４４の移動を遮って領域４４が沈み込むのを規制することができる。
【０２０５】
なお、第２曲線部１６、２６が楕円弧状の場合でも、第２曲線部１６、２６における範囲で、押された領域を通る仮想直線でジッパー開封方向に沿った仮想直線と第２曲線部１６、２６間の長さが該領域から離れるに従って短くなる範囲が存在するので、該外側の領域が沈み込むのを規制することができる。
【０２０６】
なお、ジッパー開封方向が曲線状の場合でも、第２曲線部１６、２６における範囲で、押された領域を通る仮想曲線でジッパー開封方向に沿った仮想曲線１１Ｅ、２１Ｅと第２曲線部１６、２６間の長さが該領域から離れるに従って短くなる範囲においては、該外側の領域が沈み込むのを規制できるので、隙間の破断や破断の連鎖を防止することができる。
【実施例２】
【０２０７】
次に、本発明に基づく紙製箱用切断構造としての切れ目線Ｂ１は、図１５に示すように構成され、複数の切込み１０を間隔を介して一列に配設したもので、切れ目線Ｂ１は、実施例１における切れ目線Ａ１と同一の構成であり（図１５に示す切れ目線Ｂ１は、実施例１の図１〜図３に示す切れ目線Ａ１と同一の構成である）、複数の切込み１０を間隔を介して一列に配設したものであり、切込み１０は、実施例１における切込み１０と同一の構成であるので、詳しい説明を省略する。つまり、切込み１０は、傾斜部１２と、第１曲線部１４と、第２曲線部１６とを有している。
【０２０８】
切れ目線Ｂ１の使用に際しては、切れ目線開封方向（「切れ目線破断方向」としてもよい）は、図１５におけるＸ１側からＸ２側への方向であり、Ｘ１側が切れ目線開封方向において前側であり、Ｘ２側が切れ目線開封方向において後側である。本実施例の切れ目線開封方向と実施例１のジッパー開封方向は同じ方向であり、実施例１のジッパー開封方向の代わりに、切れ目線開封方向となっている。なお、図１５は、切れ目線開封方向が直線状である場合（切れ目線が直線状に形成されている場合、切れ目線の形成方向が直線状の場合としてもよい）を示している。
【０２０９】
なお、切れ目線Ｂ１の開封方向が直線状の場合（切れ目線Ｂ１が直線状に形成されている場合）も切れ目線Ｂ１の開封方向が曲線状の場合（切れ目線Ｂ１が曲線状に形成されている場合）も、切れ目線Ｂ１は、実施例１における切れ目線Ａ１と同様の構成となっている。
【０２１０】
また、本発明に基づく紙製箱用切断構造としての切れ目線Ｂ２は、図１６に示すように構成され、複数の切込み２０を間隔を介して一列に配設したもので、切れ目線Ｂ２は、実施例１における切れ目線Ａ２と同一の構成であり（図１６に示す切れ目線Ｂ２は、実施例１の図１、図２、図４に示す切れ目線Ａ２と同一の構成である）、複数の切込み２０を間隔を介して一列に配設したものであり、切込み２０は、実施例１における切込み２０と同一の構成であるので、詳しい説明を省略する。つまり、切込み２０は、傾斜部２２と、第１曲線部２４と、第２曲線部２６とを有している。
【０２１１】
切れ目線Ｂ２の使用に際しては、切れ目線開封方向（「切れ目線破断方向」としてもよい）は、図１６におけるＸ２側からＸ１側への方向であり、Ｘ２側が切れ目線開封方向において前側であり、Ｘ１側が切れ目線開封方向において後側である。本実施例の切れ目線開封方向と実施例１のジッパー開封方向は同じ方向であり、実施例１のジッパー開封方向の代わりに、切れ目線開封方向となっている。なお、図１６は、切れ目線開封方向が直線状である場合（切れ目線が直線状に形成されている場合、切れ目線の形成方向が直線状の場合としてもよい）を示している。
【０２１２】
なお、切れ目線Ｂ２の開封方向が直線状の場合（切れ目線Ｂ２が直線状に形成されている場合）も切れ目線Ｂ２の開封方向が曲線状の場合（切れ目線Ｂ２が曲線状に形成されている場合）も、切れ目線Ｂ２は、実施例１における切れ目線Ａ２と同様の構成となっている。
【０２１３】
切れ目線Ｂ１と切れ目線Ｂ２を適用した例は、図１７〜図２３に示すようになり、紙製箱（箱体、カートン、包装箱としてもよい）Ｑは、スリーブ状部２０５と、底面部４００と、フラップ部３２０、３３０と、蓋部３１０、３４０とを有している。
【０２１４】
ここで、スリーブ状部２０５は、正面部２１０と、正面部２１０の右側面側の辺部から折れ線Ｃ２０を介して連設された右側面部２２０と、正面部２１０の左側面側の辺部から折れ線Ｃ３０を介して連設された左側面部２３０と、左側面部２３０の背面側の辺部から折れ線Ｃ４０を介して連設された背面部２４０と、背面部２４０の右側面側の辺部から折れ線Ｃ４９を介して連設された糊代部２４９とを有している。折れ線Ｃ２０と折れ線Ｃ３０と折れ線Ｃ４０と折れ線Ｃ４９とは互いに平行となっている。
【０２１５】
紙製箱Ｑは、１枚のシート状のブランク（具体的には、段ボール製（例えば、薄型段ボール製）のブランクであり、厚紙製のブランク等の他の紙製のブランクでもよい）により形成されている。つまり、紙製箱Ｑは、段ボール材（特に、両面段ボール材）等の紙製の箱体である。なお、両面段ボールにおける中芯の段の方向は、図２１に示す円内に示す方向（折れ線Ｃ２０、Ｃ３０、Ｃ４０と平行な方向）である（なお、中芯の段の方向は他の方向でもよい。）。
【０２１６】
正面部２１０と右側面部２２０と左側面部２３０と背面部２４０は、方形状（具体的には、方形状の平板状）を呈し、正面部２１０と右側面部２２０と左側面部２３０と背面部２４０は、縦長の長方形状を呈している。
【０２１７】
正面部２１０と右側面部２２０と左側面部２３０と背面部２４０における縦方向の長さは同一に形成されている。つまり、紙製箱Ｑの展開状態において、正面部２１０の下辺と右側面部２２０の下辺と左側面部２３０の下辺と背面部２４０の下辺とは、同一直線上に形成され、正面部２１０の上辺と右側面部２２０の上辺と左側面部２３０の上辺と背面部２４０の上辺とは、同一直線上に形成されている。
【０２１８】
また、横方向には、右側面部２２０と左側面部２３０とは同一の長さに形成され、正面部２１０と背面部２４０とは同一（略同一としてもよい）の長さに形成されている。
【０２１９】
糊代部２４９は、略台形形状に形成され、右側面部２２０背面側の端部領域の内側の面に接着されている。なお、糊代部２４９は、背面部２４０から連設されているが、右側面部２２０の背面側の端部から連設され、背面部２４０の右側面側の端部に接着された構成としてもよい。また、糊代部２４９は、右側面部２２０の背面側の端部領域の外側の面に接着するものとしてもよい。
【０２２０】
スリーブ状部２０５には、切れ目線（切断予定線としてもよい）Ｋ５が周状に設けられ（周設されとしてもよい）、図１７〜図２１に示すように、右側面部２２０の背面側の端部から正面部２１０、左側面部２３０、背面部２４０を経て、糊代部２４９の正面側の端部にまで形成されている。つまり、切れ目線Ｋ５は、無端状（ループ状としてもよい）に形成されている。紙製箱Ｑにおいて、切れ目線Ｋ５を介して下側の部分が下側構成部Ａ−１となり、上側の部分が上側構成部Ａ−２となる。
【０２２１】
切れ目線Ｋ５は、正面部２１０に形成された切れ目線Ｋ１０と、右側面部２２０に形成された切れ目線Ｋ２０と、左側面部２３０に形成された切れ目線Ｋ３０と、背面部２４０に形成された切れ目線Ｋ４０と、糊代部２４９に形成された切れ目線Ｋ４９とを有している。切れ目線Ｋ２０は、切れ目線Ｋ１０の右側面側の端部から連続して形成され、切れ目線Ｋ３０は、切れ目線Ｋ１０の左側面側の端部から連続して形成され、切れ目線Ｋ４０は、切れ目線Ｋ３０の背面側の端部から連続して形成され、切れ目線Ｋ４９は、切れ目線Ｋ４０の右側面側の端部から連続して形成されている。なお、糊代部２４９が背面部２４０に接着された状態では、切れ目線Ｋ２０の背面側の端部と切れ目線Ｋ４９とは重なるので、切れ目線Ｋ４０は、切れ目線Ｋ２０の背面側の端部から連続して形成されているといえる。切れ目線Ｋ１０、Ｋ２０、Ｋ３０、Ｋ４０はいずれも切断予定線により形成されている。切れ目線Ｋ１０と切れ目線Ｋ２０と切れ目線Ｋ３０と切れ目線Ｋ４０とで切れ目線が周状に設けられている。
【０２２２】
ここで、切れ目線（第１切れ目線）Ｋ１０は、左右方向に略直線状に形成された切れ目線（第１切れ目線中央構成部）Ｋ１１と、切れ目線Ｋ１１の右側面側の端部から右側面側に斜め上方に形成されるとともに、該斜め上方に形成された切れ目線の切れ目線Ｋ１１とは反対側の端部から略上方に形成された切れ目線Ｋ１２と、切れ目線Ｋ１１の左側面側の端部から左側面側に斜め上方に形成されるとともに、該斜め上方に形成された切れ目線の切れ目線Ｋ１１とは反対側の端部から略上方に形成された切れ目線Ｋ１３と、切れ目線Ｋ１２の上端から正面部２１０の右側面側の辺部に向けて形成された切れ目線Ｋ１４と、切れ目線Ｋ１３の上端から正面部２１０の左側面側の辺部に向けて形成された切れ目線Ｋ１５とを有している。切れ目線Ｋ１２と切れ目線Ｋ１４とで第１切れ目線右側面側構成部となり、切れ目線Ｋ１３と切れ目線Ｋ１５とで第１切れ目線左側面側構成部となる。切れ目線Ｋ１２及び切れ目線Ｋ１４からなる切れ目線と、切れ目線Ｋ１３及び切れ目線Ｋ１５からなる切れ目線とは左右対称（つまり、左右線対称）に形成されている。また、切れ目線Ｋ１０は、全体として左右対称（つまり、左右線対称）に形成されている。切れ目線Ｋ１１、Ｋ１２、Ｋ１３により切れ目線が略Ｕ字状となるように形成されている。
【０２２３】
切れ目線Ｋ１１は、切込みを間隔を介して略直線状に配設してなり、また、切れ目線Ｋ１２は、切れ目線Ｋ１１の右側面側の端部から連続して形成され、切れ目線Ｋ１３は、切れ目線Ｋ１１の左側面側の端部から連続して形成され、切れ目線Ｋ１４は、切れ目線Ｋ１２の切れ目線Ｋ１１と反対側の端部から連続して形成され、切れ目線Ｋ１５は、切れ目線Ｋ１３の切れ目線Ｋ１１と反対側の端部から連続して形成されている。切れ目線Ｋ１０は、左右線対称に形成されている。
【０２２４】
切れ目線Ｋ１１は、正面部２１０の下辺のやや上側の位置に形成され、左右方向において正面部２１０の中央位置に形成されている。切れ目線Ｋ１２、Ｋ１４は、複数の切込みを間隔を介して列状に配置することにより形成され、切れ目線Ｋ１３、Ｋ１５は、複数の切込みを間隔を介して列状に配置することにより形成されている。
【０２２５】
また、切れ目線（第２切れ目線）Ｋ２０は、切れ目線（第２切れ目線副構成部）Ｋ２２と、切れ目線（第２切れ目線主構成部）Ｋ２４とを有し、切れ目線Ｋ２２は、切れ目線Ｋ１４の右側面側の端部から連続して形成され（「連設され」としてもよい。他においても同じ。）、右側面部２２０の正面側の辺部から背面側に行くに従い上側となる方向に形成され、切れ目線Ｋ２４は、切れ目線Ｋ２２の背面側の端部から連続して形成され、背面側にいくに従い下側となる方向に形成されている。
【０２２６】
切れ目線Ｋ２２、Ｋ２４は、複数の切込みを間隔を介して列状に配置することにより形成されている。
【０２２７】
切れ目線Ｋ２２における複数の切込みの配設方向は、右側面部２２０の正面側の端部から背面側にいくに従い上方となるように（つまり、水平方向（例えば、右側面部２２０の下辺の方向）に対して斜め上方に傾斜して）直線状に形成され、切れ目線Ｋ２４における複数の切込みの配設方向は、切れ目線Ｋ２４の背面側の端部から背面側にいくに従い下方となるように（つまり、斜め下方に傾斜して）直線状に形成されている。つまり、切れ目線Ｋ２４は、背面側から正面側にいくに従い上方となるように（つまり、水平方向に対して斜め上方に傾斜して）直線状に形成されている。なお、右側面部２２０の下辺に対する傾斜角度としては、切れ目線Ｋ２２が切れ目線Ｋ２４よりも大きく形成され、切れ目線Ｋ２４は、背面側から正面側に向けてなだらかな上向きとなっていて、切れ目線Ｋ２２は、正面側から背面側に向けて、切れ目線Ｋ２４よりも大きな角度で上向きとなっている。切れ目線Ｋ２２は、切れ目線Ｋ２４の正面側の端部から右側面部２２０の正面側の辺部まで形成され、正面側にいくほど下側となるように形成されている。
【０２２８】
なお、切れ目線Ｋ２４が背面側から正面側にいくほど上側となるように右側面部２２０の下辺に対して傾斜しているので、当然、切れ目線Ｋ２４における下右側面部２２２と背面側領域２２７間の部分の切れ目線Ｋ２４−１も背面側から正面側にいくほど上側となるように傾斜している。また、切れ目線（第２切れ目線主構成部）Ｋ２４は、切れ目線Ｋ２４における折れ線Ｃ２１又は折れ線Ｃ２１の延長線との接点から正面側の範囲において、正面側にいくほど上側となるように形成されている。
【０２２９】
切れ目線Ｋ２４の正面側の端部から背面側の端部までの前後方向の長さ（右側面部２２０の下辺の方向の長さ）Ｌ２４は、切れ目線Ｋ２２の正面側の端部から背面側の端部までの前後方向の長さ（右側面部２２０の下辺の方向の長さ）Ｌ２２よりも長く形成されている（つまり、長さＬ２４は、右側面部２２０の背面側の端部から正面側の端部までの前後方向の長さＬ２０の半分以上の長さを有している）。なお、具体的には、長さＬ２２は、長さＬ２０の１／４〜１／３とする（つまり、長さＬ２４は、長さＬ２０の２／３〜３／４とする）。なお、長さＬ２４は、長さＬ２２の３〜４倍の長さに形成してもよい。
【０２３０】
また、切れ目線Ｋ２４における下右側面部２２２と背面側領域２２７間の部分の切れ目線（第１部分構成部）Ｋ２４−１の前後方向の長さＬ２４−１は、長さＬ２０の１／３（略１／３としてもよい）とするのが好ましい。すなわち、切れ目線Ｋ２４−１の前後方向の長さは、切れ目線Ｋ２０の切れ目線Ｋ２４−１以外の部分の前後方向の長さの半分と同一（略同一としてもよい）である。つまり、長さＬ２４−１を、長さＬ２０の１／３（略１／３としてもよい）とすることにより、背面側領域２２７が正面側領域２２６に対して回動しやすく、切れ目線Ｋ２４−１を破断しやすい。切れ目線Ｋ２４−１は、切れ目線Ｋ２４の一部であり、切れ目線Ｋ２４と折れ線Ｃ２１の接点（折れ線Ｃ２１が切れ目線Ｋ２４と接していない場合には、折れ線Ｃ２１の延長線の切れ目線Ｋ２４との接点）から切れ目線Ｋ２４の背面側の端部までとなる。下右側面部２２２、背面側領域２２７、折れ線Ｃ２１については、後述する。
【０２３１】
なお、紙製箱Ｑの展開状態においては、切れ目線Ｋ１４と切れ目線Ｋ２２とで、複数の切込みが１つの直線状に配設されている。
【０２３２】
また、切れ目線（第３切れ目線）Ｋ３０は、切れ目線（第３切れ目線副構成部）Ｋ３２と、切れ目線（第３切れ目線主構成部）Ｋ３４とを有し、切れ目線Ｋ３２は、切れ目線Ｋ１５の左側面側の端部から連続して形成され、左側面部２３０の正面側の辺部から背面側に行くに従い上側となる方向に形成され、切れ目線Ｋ３４は、切れ目線Ｋ３２の背面側の端部から連続して形成され、背面側にいくに従い下側となる方向に形成されている。つまり、切れ目線Ｋ３０は、切れ目線Ｋ２０と左右対称に形成され（つまり、紙製箱Ｑの展開状態では、線対称に形成され）、切れ目線Ｋ３２は、切れ目線Ｋ２２と左右対称に形成され、切れ目線Ｋ３４は、切れ目線Ｋ２４と左右対称に形成されている。
【０２３３】
切れ目線Ｋ３２、Ｋ３４は、複数の切込みを間隔を介して列状に配置することにより形成されている。
【０２３４】
切れ目線Ｋ３２における複数の切込みの配設方向は、左側面部２３０の正面側の端部から背面側にいくに従い上方となるように（つまり、斜め上方に傾斜して）直線状に形成され、切れ目線Ｋ３４における複数の切込みの配設方向は、切れ目線Ｋ３２の背面側の端部から背面側にいくに従い下方となるように（つまり、斜め下方に傾斜して）直線状に形成されている。つまり、切れ目線Ｋ３４は、背面側から正面側にいくに従い上方となるように（つまり、斜め上方に傾斜して）直線状に形成されている。なお、左側面部２３０の下辺に対する傾斜角度としては、切れ目線Ｋ３２が切れ目線Ｋ３４よりも大きく形成され、切れ目線Ｋ３４は、背面側から正面側に向けてなだらかな上向きとなっていて、切れ目線Ｋ３２は、正面側から背面側に向けて、切れ目線Ｋ３４よりも大きな角度で上向きとなっている。切れ目線Ｋ３２は、切れ目線Ｋ３４の正面側の端部から左側面部２３０の正面側の辺部まで形成され、正面側にいくほど下側となるように形成されている。
【０２３５】
なお、切れ目線Ｋ３４が背面側から正面側にいくほど上側となるように左側面部２３０の下辺に対して傾斜しているので、当然、切れ目線Ｋ３４における下右側面部２３２と背面側領域２３７間の部分の切れ目線Ｋ３４−１も背面側から正面側にいくほど上側となるように傾斜している。また、切れ目線（第３切れ目線主構成部）Ｋ３４は、切れ目線Ｋ３４における折れ線Ｃ３１又は折れ線Ｃ３１の延長線との接点から正面側の範囲において、正面側にいくほど上側となるように形成されている。
【０２３６】
切れ目線Ｋ３４の正面側の端部から背面側の端部までの前後方向の長さ（左側面部２３０の下辺の方向の長さ）Ｌ３４は、切れ目線Ｋ３２の正面側の端部から背面側の端部までの前後方向の長さ（左側面部２３０の下辺の方向の長さ）Ｌ３２よりも長く形成されている（つまり、長さＬ３４は、左側面部２３０の背面側の端部から正面側の端部までの前後方向の長さＬ３０の半分以上の長さを有している）。なお、具体的には、長さＬ３２は、長さＬ３０の１／４〜１／３とする（つまり、長さＬ３４は、長さＬ３０の２／３〜３／４とする）。なお、長さＬ３４は、長さＬ３２の３〜４倍の長さに形成してもよい。
【０２３７】
また、切れ目線Ｋ３４における下右側面部２３２と背面側領域２３７間の部分の切れ目線（第２部分構成部）Ｋ３４−１の前後方向の長さＬ３４−１は、長さＬ３０の１／３（略１／３としてもよい）とするのが好ましい。すなわち、切れ目線Ｋ３４−１の前後方向の長さは、切れ目線Ｋ３０の切れ目線Ｋ３４−１以外の部分の前後方向の長さの半分と同一（略同一としてもよい）である。つまり、長さＬ３４−１を、長さＬ３０の１／３（略１／３としてもよい）とすることにより、背面側領域２３７が正面側領域２３６に対して回動しやすく、切れ目線Ｋ３４−１を破断しやすい。切れ目線Ｋ３４−１は、切れ目線Ｋ３４の一部であり、切れ目線Ｋ３４と折れ線Ｃ３１の接点（折れ線Ｃ３１が切れ目線Ｋ３４と接していない場合には、折れ線Ｃ３１の延長線の切れ目線Ｋ３４との接点）から切れ目線Ｋ３４の背面側の端部までとなる。下左側面部２３２、背面側領域２３７、折れ線Ｃ３１については、後述する。
【０２３８】
これにより、上側構成部Ａ−２を上側に引っ張ることにより、切れ目線Ｋ２０、Ｋ３０における前後方向の半分以上の長さを破断することができる。
【０２３９】
なお、紙製箱Ｑの展開状態においては、切れ目線Ｋ１５と切れ目線Ｋ３２とで、切込みが１つの直線状に配設されている。
【０２４０】
また、切れ目線（第４切れ目線）Ｋ４０は、左右方向に直線状に形成された切れ目線Ｋ４１と、切れ目線Ｋ４１の右側面側の端部から形成された切れ目線Ｋ４２と、切れ目線Ｋ４１の左側面側の端部から形成された切れ目線Ｋ４３とを有している。
【０２４１】
切れ目線Ｋ４１は、複数の直線状の切込みを間隔を介して配設してなり、ミシン目状に形成されている。また、切れ目線Ｋ４２は、切れ目線Ｋ４１の右側面側の端部から連続して形成され、切れ目線Ｋ４３は、切れ目線Ｋ４１の左側面側の端部から連続して形成されている。切れ目線Ｋ４０は、左右線対称に形成されている。
【０２４２】
切れ目線Ｋ４１は、背面部２４０の上下方向における中央位置よりもやや下側の位置に形成され、左右方向において背面部２４０の中央位置に形成されている。
【０２４３】
切れ目線Ｋ４２は、複数の切込みを間隔を介して列状に配置することにより形成され、切れ目線Ｋ４３は、複数の切込みを間隔を介して列状に配置することにより形成されている。
【０２４４】
切れ目線Ｋ４２における複数の切込みの配設方向は、切れ目線Ｋ４１側から背面部２４０の右側面側の端部（切れ目線Ｋ２４側）にいくに従い上側となるように（つまり、斜め上方に傾斜して）直線状に形成され、切れ目線Ｋ４３における複数の切込みの配設方向は、切れ目線Ｋ４１側から背面部２４０の左側面側の端部にいくに従い上側となるように（つまり、斜め上方に傾斜して）直線状に形成されている。つまり、切れ目線Ｋ４２、Ｋ４３は背面部２４０の外側にいくほど上側となるように傾斜して形成されている。
【０２４５】
なお、切れ目線Ｋ４２の背面部２４０の下辺に対する傾斜角度は、切れ目線Ｋ２４の右側面部２２０の下辺に対する傾斜角度と同一（略同一としてもよい）であり、紙製箱Ｑの展開状態においては、切れ目線Ｋ３４と切れ目線Ｋ４３とで切込みが１つの直線状に配設されている。また、切れ目線Ｋ４３の背面部２４０の下辺に対する傾斜角度は、切れ目線Ｋ３４の左側面部２３０の下辺に対する傾斜角度と同一（略同一としてもよい）である。よって、隣接する切れ目線の傾斜角度が同一であるので、切れ目線Ｋ４２から切れ目線Ｋ２４にかけて極めてスムーズに破断することができ、また、切れ目線Ｋ４３から切れ目線Ｋ３４にかけて極めてスムーズに破断することができる。
【０２４６】
また、切れ目線Ｋ４９は、糊代部２４９に形成されていて、切れ目線Ｋ４２の背面側の端部から連続して形成され、複数の直線状の切込みが間隔を介して形成され、切れ目線Ｋ４９は、背面部２４０側の端部から糊代部２４９の先端側にいくほど上方となるように（つまり、斜め下方に傾斜して）形成されている。切れ目線Ｋ４９の水平方向に対する傾斜角度は、切れ目線Ｋ４２の背面部２４０の下辺に対する傾斜角度と同一（略同一としてもよい）である。この切れ目線Ｋ４９は、切れ目線Ｋ２４の背面側の端部の切込みと一致して形成され、糊代部２４９を右側面部２２０に接着した状態では、切れ目線Ｋ４９は、切れ目線Ｋ２４の背面側の端部とが重なり合っている。なお、切れ目線Ｋ４９を間隔を介して設けられた複数の切込みではなく、１つの切込みにより形成してもよい。
【０２４７】
また、切れ目線Ｋ４１からは一対の切れ目線Ｋ４４、Ｋ４５が左右両側に下方に向けて形成されている。つまり、切れ目線Ｋ４４は、切れ目線Ｋ４１の右側面側の端部近傍（切れ目線Ｋ４１の右側面側の端部としてもよい）から連設され、下方に向けて（背面部２４０の下辺に対して直角の方向に）形成され、切れ目線Ｋ４５は、切れ目線Ｋ４１の左側面側の端部近傍（切れ目線Ｋ４１の左側面側の端部としてもよい）から連設され、下方に向けて（背面部２４０の下辺に対して直角の方向に）形成されている。切れ目線Ｋ４４と切れ目線Ｋ４５とは同一の長さに形成され、互いに平行に形成され、ともに直線状の切込み（連続した切込み）により形成されている。切れ目線Ｋ４４と切れ目線Ｋ４５は、背面部２４０における上下方向を向いた中心線（左右方向における中心線）を介して左右対称に形成されている。また、切れ目線Ｋ４４の下端と切れ目線Ｋ４５の下端を結ぶ折れ線Ｃ４１が形成され、具体的には、背面部２４０の内側の面に折れ線Ｃ４１に沿って罫線が形成されている。なお、切れ目線Ｋ４４、Ｋ４５を切込みではなく、切断予定線により形成してもよい。つまり、切れ目線Ｋ４４、Ｋ４５は、連続した切込みと切断予定線のいずれにより形成してもよい。
【０２４８】
切れ目線Ｋ１４と切れ目線Ｋ２２とで複数の切込みが直線状に形成された切れ目線を構成する切込みのうち、範囲２０Ｇ１に示す切込み（切れ目線Ｋ１４の一部と切れ目線Ｋ２２）が上記切込み２０により形成され、範囲２０Ｇ１においては、切れ目線開封方向は直線状になっている。
【０２４９】
また、切れ目線Ｋ２４を構成する切込みのうち、範囲２０Ｇ２に示す切込み（切れ目線Ｋ２４を構成する切込み）が上記切込み２０により形成され、範囲２０Ｇ２においては、切れ目線開封方向は直線状になっている。また、切れ目線Ｋ４２も切れ目線開封方向が直線状になっている。
【０２５０】
切れ目線Ｋ１５と切れ目線Ｋ３２とで複数の切込みが直線状に形成された切れ目線を構成する切込みのうち、範囲１０Ｇ１に示す切込みが上記切込み１０により形成され、範囲１０Ｇ１においては、切れ目線開封方向は直線状になっている。
【０２５１】
また、切れ目線Ｋ３４と切れ目線Ｋ４３とで複数の切込みが直線状に形成された切れ目線を構成する切込みのうち、範囲１０Ｇ２に示す切込みが上記切込み１０により形成され、範囲１０Ｇ２においては、切れ目線開封方向は直線状になっている。
【０２５２】
切れ目線Ｋ４２と切れ目線Ｋ４９とで複数の切込みが直線状に形成された切れ目線を構成する切込みのうち、範囲２０Ｇ３に示す切込みが上記切込み１０により形成され、範囲２０Ｇ３においては、切れ目線開封方向は直線状になっている。
【０２５３】
また、切れ目線Ｋ４における右側領域２４７と下背面部２４２間の切れ目線Ｋ４２には、切込み２０が用いられ、切れ目線Ｋ４における左側領域２４８と下背面部２４２間の切れ目線Ｋ４３には、切込み１０が用いられている。
【０２５４】
なお、範囲１０Ｇ１、１０Ｇ２においては、切込み１０は、端部ｍ１１を下側（例えば、下左側面部２３２側、下背面部２４２側）とし、接触点ｍ２２を上側（例えば、上左側面部２３５側、上背面部２４５側）として設けられている。また、範囲２０Ｇ１、２０Ｇ２，２０Ｇ３においては、切込み２０は、端部ｍ２１を下側（例えば、下右側面部２２２側、下背面部２４２側）とし、接触点ｍ２２を上側（例えば、上右側面部２２５側、上背面部２４５側）として設けられている。
【０２５５】
なお、右側面部２２０において、切れ目線Ｋ２４−２と切れ目線Ｋ２２とが第１特定切れ目線を構成し、特に、切れ目線Ｋ２４−２における範囲２０Ｇ２の部分と切れ目線Ｋ２２における範囲２０Ｇ１の部分が第１特定切れ目線を構成する。また、切れ目線Ｋ２４は、第１上昇切れ目線を構成し、切れ目線Ｋ２２は、第１下降切れ目線を構成する。つまり、第１特定切れ目線（つまり、切れ目線Ｋ２４−２における切れ目線開封方向が直線状の部分）は、第１上昇切れ目線における背面側の端部から正面側の端部までの範囲内に設けられる（該範囲における少なくともいずれかの部分に設けられるとしてもよい）とともに、第１特定切れ目線（つまり、切れ目線Ｋ２２における切れ目線開封方向が直線状の部分）は、第１下降切れ目線における背面側の端部から正面側の端部までの範囲内に設けられている（該範囲における少なくともいずれかの部分に設けられるとしてもよい）。
【０２５６】
また、左側面部２３０において、切れ目線Ｋ３４−２と切れ目線Ｋ３２とが第２特定切れ目線を構成し、特に、切れ目線Ｋ３４−２における範囲１０Ｇ２の部分と切れ目線Ｋ３２における範囲１０Ｇ１が第２特定切れ目線を構成する。また、切れ目線Ｋ３４は、第２上昇切れ目線を構成し、切れ目線Ｋ３２は、第２下降切れ目線を構成する。つまり、第２特定切れ目線（つまり、切れ目線Ｋ３４−２における切れ目線開封方向が直線状の部分）は、第２上昇切れ目線における背面側の端部から正面側の端部までの範囲内に設けられる（該範囲における少なくともいずれかの部分に設けられるとしてもよい）とともに、第２特定切れ目線（つまり、切れ目線Ｋ３２における切れ目線開封方向が直線状の部分）は、第２下降切れ目線における背面側の端部から正面側の端部までの範囲内に設けられている（該範囲における少なくともいずれかの部分に設けられるとしてもよい）。
【０２５７】
なお、図２１の例では、切れ目線Ｋ２４−２と切れ目線Ｋ２２のそれぞれにおいて、切込み２０の数は１つと１／２といえるが、図２１の場合よりも細かいピッチで設けて、２つ以上の切込み２０を設けてもよい。同様に、切れ目線Ｋ３４−２と切れ目線Ｋ３２のそれぞれにおいて、切込み１０の数は１つと１／２といえるが、図２１の場合よりも細かいピッチで設けて、２つ以上の切込み２０を設けてもよい。
【０２５８】
以上のように、切れ目線Ｋ４２の切れ目線Ｋ４１側の端部から切れ目線Ｋ４９、Ｋ２０、Ｋ１４を経て切れ目線Ｋ１２の切れ目線Ｋ１１側の端部までの連続した切れ目線Ｋ５−１が形成され、また、切れ目線Ｋ４３の切れ目線Ｋ４１側の端部から切れ目線Ｋ３０、Ｋ１５を経て切れ目線Ｋ１３の切れ目線Ｋ１１側の端部までの連続した切れ目線Ｋ５−２が形成されている。切れ目線Ｋ５−１における開封方向は、切れ目線Ｋ４２の切れ目線Ｋ４１側の端部から切れ目線Ｋ４９、Ｋ２０、Ｋ１４を経て切れ目線Ｋ１２の切れ目線Ｋ１１側の端部に至る方向であり、切れ目線Ｋ５−２の開封方向は、切れ目線Ｋ４３の切れ目線Ｋ４１側の端部から切れ目線Ｋ３０、Ｋ１５を経て切れ目線Ｋ１３の切れ目線Ｋ１１側の端部に至る方向である。
【０２５９】
なお、切れ目線Ｋ５を構成する複数の切込みのうち、範囲１０Ｇ１、１０Ｇ２、２０Ｇ１、２０Ｇ２以外の範囲では、開封方向が直線状でないため、切込み１０、２０の形状以外の形状の切込みが用いられ、例えば、切れ目線Ｋ１２、Ｋ１３や、切れ目線Ｋ２２と切れ目線Ｋ２４の境界位置の切込みや、切れ目線Ｋ３２と切れ目線Ｋ３４の境界位置の切込みは、切込み１０又は切込み２０を変形した切込みが用いられている。
【０２６０】
また、紙製箱Ｑにおいては、背面部２４０に折れ線Ｃ４２、Ｃ４３が設けられ、右側面部２２０には、折れ線Ｃ２１が設けられ、左側面部２３０には、折れ線Ｃ３１が設けられている。
【０２６１】
すなわち、折れ線（第１折れ線）Ｃ４２は、切れ目線Ｋ４１と切れ目線Ｋ４４の接点の位置から背面部２４０の外側（右側面側）に向けて斜め上方に直線状に形成され、折れ線Ｃ４２の上側の端部は、背面部２４０の右側面側上端の角部に位置している。具体的には、背面部２４０の内側の面に折れ線Ｃ４２に沿って罫線が形成されている。
【０２６２】
また、折れ線（第２折れ線）Ｃ４３は、切れ目線Ｋ４１と切れ目線Ｋ４５の接点の位置から背面部２４０の外側（左側面側）に向けて斜め上方に直線状に形成され、折れ線Ｃ４３の上側の端部は、背面部２４０の左側面側上端の角部に位置している。具体的には、背面部２４０の内側の面に折れ線Ｃ４３に沿って罫線が形成されている。
【０２６３】
つまり、折れ線Ｃ４２は、背面部２４０の右側面側上端の角部から形成され、折れ線Ｃ４３は、背面部２４０の左側面側の上端の角部から形成され、切れ目線Ｋ４０側にいくに従い折れ線Ｃ４２と折れ線Ｃ４３間の長さが短くなるように形成されている。折れ線Ｃ４２に沿って形成された罫線は、背面部２４０の右側面側上端の角部から切れ目線Ｋ４０まで形成されているが、該罫線の下端と切れ目線Ｋ４０との間に間隔を設ける構成でもよく、該罫線の上端と背面部２４０の右側面側上端の角部との間に間隔を設ける構成でもよい。つまり、罫線（折れ線Ｃ４２としてもよい）は、背面部２４０の右側面側上端の角部である（第１角部）と切れ目線Ｋ４０の右側面側の端部から左側面側の端部までの途中位置（第１途中位置）（具体的には、切れ目線Ｋ４１と切れ目線Ｋ４４の接点の位置）の間の位置に第１角部と第１途中位置とを結ぶ方向に形成されていればよい。
【０２６４】
同様に、折れ線Ｃ４３に沿って形成された罫線は、背面部２４０の左側面側上端の角部から切れ目線Ｋ４０まで形成されているが、該罫線の下端と切れ目線２４０との間に間隔を設ける構成でもよく、該罫線の上端と背面部２４０の左側面側上端の角部との間に間隔を設ける構成でもよい。つまり、罫線（折れ線Ｃ４３としてもよい）は、背面部２４０の左側面側上端の角部である（第２角部）と切れ目線Ｋ４０の左側面側の端部から右側面側の端部までの途中位置で第１途中位置よりも左側面側の途中位置（第２途中位置）（具体的には、切れ目線Ｋ４１と切れ目線Ｋ４５の接点の位置）の間の位置に第２角部と第２途中位置とを結ぶ方向に形成されていればよい。
【０２６５】
また、折れ線（第３折れ線）Ｃ２１は、切れ目線Ｋ２４の途中位置（すなわち、背面側の端部から正面側の端部への途中位置）から背面側に向けて斜め上方に直線状に形成され、折れ線Ｃ２１の上側の端部は、右側面部２２０の背面側上端の角部に位置している。つまり、折れ線Ｃ２１は、右側面部２２０の背面側上端の角部から切れ目線Ｋ２４の途中位置に向けて形成されている。具体的には、右側面部２２０の内側の面に折れ線Ｃ２１に沿って罫線が形成されている。該罫線は、右側面部２２０の背面側上端の角部から切れ目線Ｋ２４の途中位置まで形成されているが、折れ線Ｃ２１の下端と切れ目線Ｋ２４との間に間隔を設けてもよく、折れ線Ｃ２１の上端と右側面部２２０の背面側上端の角部との間に間隔を設けてもよい。
【０２６６】
つまり、該罫線の一方の端部は、右側面部２２０の背面上側の角部に位置し、該罫線の他方の端部は、切れ目線Ｋ２４の途中位置に位置するが、罫線は、右側面部２２０の背面上側の角部や切れ目線Ｋ２４の途中位置まで形成されていなくてもよく、罫線の端部が、該角部に向かう途中位置まで形成されたものとしてもよく（つまり、罫線の該角部側の端部と該角部との間には間隔が形成されている）、また、罫線の端部が、切れ目線Ｋ２４の途中位置に向かう途中位置まで形成されたものとしてもよい（つまり、罫線の切れ目線Ｋ２４の途中位置側の端部と切れ目線Ｋ２４の途中位置との間には間隔が形成されている）。つまり、罫線（折れ線Ｃ２１としてもよい）が、右側面部２２０の背面上側の角部（第３角部）と切れ目線Ｋ２４の途中位置（第３途中位置）との間の位置に、右側面部２２０の背面上側の角部と切れ目線Ｋ２４の途中位置を結ぶ方向に直線状に形成されていればよい。
【０２６７】
また、折れ線（第４折れ線）Ｃ３１は、切れ目線Ｋ３４の途中位置（すなわち、背面側の端部から正面側の端部への途中位置）から背面側に向けて斜め上方に直線状に形成され、折れ線Ｃ３１の上側の端部は、左側面部２３０の背面側上端の角部に位置している。折れ線Ｃ３１は、折れ線Ｃ２１と左右対称に形成されている。すなわち、組立て状態の紙製箱Ｑにおいて、前後方向を向いた中心面（左右方向における中心面）を介して左右面対象に形成されている。つまり、折れ線Ｃ３１は、左側面部２３０の背面側上端の角部から切れ目線Ｋ３４の途中位置に向けて形成されている。具体的には、左側面部２３０の内側の面に折れ線Ｃ３１に沿って罫線が形成されている。該罫線は、左側面部２３０の背面側上端の角部から切れ目線Ｋ３４の途中位置まで形成されているが、折れ線Ｃ３１の下端と切れ目線Ｋ３４との間に間隔を設けてもよく、折れ線Ｃ３１の上端と左側面部２３０の背面側上端の角部との間に間隔を設けてもよい。
【０２６８】
つまり、該罫線の一方の端部は、左側面部２３０の背面上側の角部に位置し、該罫線の他方の端部は、切れ目線Ｋ３４の途中位置に位置するが、罫線は、左側面部２３０の背面上側の角部や切れ目線Ｋ３４の途中位置まで形成されていなくてもよく、罫線の端部が、該角部に向かう途中位置まで形成されたものとしてもよく（つまり、罫線の該角部側の端部と該角部との間には間隔が形成されている）、また、罫線の端部が、切れ目線Ｋ３４の途中位置に向かう途中位置まで形成されたものとしてもよい（つまり、罫線の切れ目線Ｋ３４の途中位置側の端部と切れ目線Ｋ３４の途中位置との間には間隔が形成されている）。つまり、罫線（折れ線Ｃ３１としてもよい）が、左側面部２３０の背面上側の角部（第４角部）と切れ目線Ｋ３４の途中位置（第４途中位置）との間の位置に、左側面部２３０の背面上側の角部と切れ目線Ｋ３４の途中位置を結ぶ方向に直線状に形成されていればよい。
【０２６９】
また、折れ線Ｃ４８は、糊代部２４９の上側で背面部２４０側の角部から折れ線Ｃ４９に対して傾斜して直線状に形成され、折れ線Ｃ４８の折れ線Ｃ４９に対する角度は、折れ線Ｃ２１の右側面部２２０の背面側の辺部に対する角度と同一に形成され、紙製箱Ｑを組み立てた状態では、折れ線Ｃ４８は、折れ線Ｃ２１に沿って設けられる。糊代部２４９の内側の面には、折れ線Ｃ４８に沿って折曲げ用の罫線が形成されている。なお、折れ線Ｃ４８に沿った罫線は、糊代部２４９の上側で背面部２４０側の角部まで形成されていなくてもよく、罫線と該角部間に間隔が形成されていてもよい。
【０２７０】
正面部２１０における切れ目線Ｋ１０よりも下側の部分が下正面部２１２となり、正面部２１０における切れ目線Ｋ１０よりも上側の部分が上正面部２１５となる。下正面部２１２は、略Ｕ字状に形成され、左右両側を除く部分が低く形成されている。
【０２７１】
また、右側面部２２０における切れ目線Ｋ２０よりも下側の部分が下右側面部２２２となり、右側面部２２０における切れ目線Ｋ２０よりも上側の部分が上右側面部２２５となる。また、上右側面部２２５において、折れ線Ｃ２１よりも正面側の領域が正面側領域（第１正面側領域）２２６となり、折れ線Ｃ２１よりも背面側の領域が背面側領域（第１背面側領域）２２７となる。つまり、上右側面部２２５は、折れ線Ｃ２１を介して、正面側領域２２６と背面側領域２２７とに区画されている。
【０２７２】
また、左側面部２３０における切れ目線Ｋ３０よりも下側の部分が下左側面部２３２となり、左側面部２３０における切れ目線Ｋ３０よりも上側の部分が上左側面部２３５となる。また、上左側面部２３５において、折れ線Ｃ３１よりも正面側の領域が正面側領域（第２正面側領域）２３６となり、折れ線Ｃ３１よりも背面側の領域が背面側領域（第２背面側領域）２３７となる。つまり、上左側面部２３５は、折れ線Ｃ３１を介して、正面側領域２３６と背面側領域２３７とに区画されている。
【０２７３】
また、背面部２４０における切れ目線Ｋ４０よりも下側の部分が下背面部２４２となり、背面部２４０における切れ目線Ｋ４０よりも上側の部分が上背面部２４５となる。また、下背面部２４２において切れ目線Ｋ４１、Ｋ４４、Ｋ４５と折れ線Ｃ４１により囲まれた領域が押し部２４４となり、下背面部２４２における押し部２４４以外の領域が下背面部本体２４３となる。また、上背面部２４５において、折れ線Ｃ４２と折れ線Ｃ４３により挟まれた領域が中央領域２４６となり、折れ線Ｃ４２よりも右側面側の領域が右側領域２４７となり、折れ線Ｃ４３よりも左側面側の領域が左側領域２４８となる。つまり、上背面部２４５は、折れ線Ｃ４２と折れ線Ｃ４３を介して、中央領域２４６と右側領域２４７と左側領域２４８とに区画されている。
【０２７４】
なお、折れ線Ｃ４２としての罫線の下端と切れ目線４０との間に間隔を設け、折れ線Ｃ４２としての罫線の上端と背面部２４０の右側面側上端の角部との間に間隔を設ける構成とし、折れ線Ｃ４３としての罫線の下端と切れ目線４０との間に間隔を設け、折れ線Ｃ４３としての罫線の上端と背面部２４０の左側面側上端の角部との間に間隔を設ける構成とした場合には、中央領域２４６は、厳密には、「折れ線Ｃ４２又は折れ線Ｃ４２及びその延長線と折れ線Ｃ４３又は折れ線Ｃ４３及びその延長線の間の領域」といえるが、その場合も、中央領域４６は、折れ線Ｃ４２と折れ線Ｃ４３間の領域であるといえる。
【０２７５】
糊代部２４９における切れ目線Ｋ４９よりも下側の部分が糊代下側部２４９−１となり、糊代部２４９における切れ目線Ｋ４９よりも上側の部分が糊代上側部２４９−２となる。
【０２７６】
また、蓋部３１０は、正面部２１０の上辺から折れ線を介して連設され、方形状（長方形状）の先端の両側の角部を面取りした形状をを呈している。また、蓋部３４０は、背面部２４０の上辺から折れ線を介して連設され、方形状（長方形状）の先端の両側の角部を面取りした形状を呈し、紙製箱Ｑの組立て状態（図１７〜図２０の状態）において、前後方向を向いた中心面（左右方向における中心面）を介して左右面対称に形成されている。
【０２７７】
蓋部３１０、３４０の基端から先端までの長さは、右側面部２２０や左側面部２３０の前後方向の長さ（例えば、折れ線Ｃ３０と折れ線Ｃ４０間の長さ）の半分となっている。
【０２７８】
また、フラップ部３２０は、右側面部２２０の上辺から折れ線を介して連設され、方形状（長方形状）を呈している。また、フラップ部３２０は、右側面部２２０のの上辺から折れ線を介して連設され、方形状（長方形状）を呈している。フラップ部３２０、３３０の基端から先端までの長さは、正面部２１０や背面部２４０の左右方向の長さ（例えば、折れ線Ｃ２０と折れ線Ｃ３０間の長さ）の半分よりも短く形成されている。
【０２７９】
また、底面部４００は、第１片部４１０と、第２片部４２０と、第３片部４３０と、第４片部４４０とを有し、紙製箱Ｑの組立て状態においては、略方形状の外形を呈している。この底面部４００は、アメリカンロック（又は地獄底）と呼ばれる構成である。
【０２８０】
ここで、第１片部４１０は、正面部２１０の下辺から折れ線を介して連設され、長方形状の左右両側の先端に突出部（突出部は、内側にアールが設けられた長方形状を呈している）を設けた構成であり、また、第２片部４２０は、右側面部２２０の下辺から折れ線を介して連設され、第１片部４１０側に斜辺を有し先細りの台形形状の先端に突状部（突状部は斜辺側にアールが設けられた長方形状を呈している）を設けた構成であり、また、第３片部４３０は、左側面部２３０の下辺から折れ線を介して連設され、第１片部４１０側に斜辺を有し先細りの台形形状の先端に突状部（突状部は斜辺側にアールが設けられた長方形状を呈し、突状部の基端から先端までの長さは、第２片部４２０における突状部の基端から先端までの長さよりも短く形成されている）を設けた構成であり、また、第４片部４４０は、背面部２４０の下辺から折れ線を介して連設され、左右両側に斜辺を有し先細りの台形形状の先端に突状部（突状部の両側の先端にはアールが形成されている）を設けた構成となっている。
【０２８１】
これら蓋部３１０、３４０とフラップ部３２０、３３０は、紙製箱Ｑの上面を開閉するものであり、特に、蓋部３１０、３４０を閉状態とすることにより紙製箱Ｑの上面が塞がれる。なお、蓋部３１０、３４０とフラップ部３２０、３３０は、予め上方に立設した状態になっていて、紙製箱Ｑの上方が開口した状態になっている。なお、蓋部３１０、３４０は、正面部２１０の上辺及び背面部２４０の上辺から連設されているが、スリーブ状部２０５を構成する各部における少なくとも１つの上辺から連設されていればよい。
【０２８２】
上記構成の紙製箱Ｑの使用方法について説明する。紙製箱Ｑは、上記のように構成されているので、底面部４００を組み立てていない状態とし、正面部２１０と右側面部２２０間の角度を小さくし、背面部２４０と左側面部２３０間の角度を小さくして、正面部２１０と左側面部２３０とを全体で１枚の平板状とし、背面部２４０と右側面部２２０とを全体で１枚の平板状とすることにより、紙製箱Ｑを折り畳んだ状態とすることができ、紙製箱Ｑを折り畳んだ状態で、紙製箱Ｑの保管や運搬を行なうことができる。
【０２８３】
また、紙製箱Ｑを組み立てた状態では、図１７〜図２０に示す状態となり、底面部４００が略平板状となり、スリーブ状部２０５を構成する各部材（正面部２１０、右側面部２２０、左側面部２３０、背面部２４０）における隣接する部材は互いに直角となる。また、正面部２１０と背面部２４０とが互いに平行であり、右側面部２２０と左側面部２３０とが互いに平行となる。底面部４００を組み立てた状態では、第２片部４２０と第３片部４３０を第１片部４１０の下側に重ねた状態で、第４片部４４０が第２片部４２０と第３片部４３０の下側に重ねられて、第４片部４４０の突状部が第１片部４１０の上側に差し込まれている。
【０２８４】
そして、紙製箱Ｑの上方から被収納物（商品）Ｇを収納する。なお、蓋部３１０、３４０とフラップ部３２０、３３０はスリーブ状部２０５に対して予め上方に立設した状態になっていて、紙製箱Ｑの上方が開口した状態になっているので、被収納物Ｇはそのまま紙製箱Ｑの上方から収納すればよい。その後、フラップ部３２０、３３０を内側に折曲させるとともに蓋部３１０、３４０を内側に折曲させて、蓋部３１０、３４０を閉状態とし、接着テープＴを右側面部２２０から上面を経て左側面部２３０にまで接着させることにより、図２４に示す状態とする。つまり、図２４に示す状態では、蓋部３１０、３４０が閉状態で固定されている。
【０２８５】
以上のようにして、蓋部３１０、３４０を閉状態にして被収納物を紙製箱Ｑに包装したら、被収納物Ｇを収納した紙製箱Ｑを被収納物Ｇを陳列する場所に搬送する。
【０２８６】
紙製箱Ｑを陳列場所において、被収納物を陳列した状態とするには、以下に説明するように、紙製箱Ｑの上側構成部Ａ−２を取り除く。すなわち、背面部２４０における押し部２４４を押して押し部２４４を折れ線Ｃ４１を介して内側に回動させる。つまり、押し部２４４を内側に押すことにより、切れ目線Ｋ４１が破断し、押し部２４４が折れ線Ｃ４１を介して回動する。すると、中央領域２４６の下側に指を入れるスペースが形成されるので、中央領域２４６の下側に一方の手の指を挿入して、中央領域２４６の下端に指をひっかける。
【０２８７】
その後、中央領域２４６の下端を外側にひっぱることにより、右側領域２４７及び左側領域２４８が中央領域２４６側から徐々にひっぱられて、切れ目線Ｋ４２、Ｋ４３が破断する。中央領域２４６の下端を外側にひっぱった状態では、折れ線Ｃ４２、Ｃ４３は外側から見て山折りの状態となる。つまり、右側領域２４７が中央領域２４６に対して折れ線Ｃ４２を介して内側に折曲するとともに、左側領域２４８が中央領域２４６に対して折れ線Ｃ４３を介して内側に折曲する。特に、折れ線Ｃ４２、Ｃ４３が設けられているので、右側領域２４７の切れ目線Ｋ４２に沿った辺部と左側領域２４８の切れ目線Ｋ４３に沿った辺部が前後方向に傾斜しやすく切れ目線Ｋ４２、Ｋ４３の破断が容易となる。
【０２８８】
その後、中央領域２４６の下端を外側にさらにひっぱることにより、切れ目線Ｋ２４における下右側面部２２２と背面側領域２２７間の部分の切れ目線Ｋ２４−１が背面側から破断していき、切れ目線Ｋ３４における下左側面部２３２と背面側領域２３７間の部分の切れ目線Ｋ３４−１が背面側から破断していく（図２５参照）。
【０２８９】
つまり、中央領域２４６の下端を外側にひっぱることにより、背面側領域２２７が折れ線Ｃ２１を介して内側に回動して下右側面部２２２と背面側領域２２７とが横方向に離間しようとするとともに、背面側領域２３７が折れ線Ｃ３１を介して内側に回動して下左側面部２３２と背面側領域２３７とが横方向に離間しようとして、切れ目線Ｋ２４−１、Ｋ３４−１が破断する。その際、背面側領域２２７が折れ線Ｃ２１を介して内側に回動し（つまり、背面側領域２２７が正面側領域２２６に対して折れ線Ｃ２１を介して内側に折曲する）、背面側領域２３７が折れ線Ｃ３１を介して内側に回動する（つまり、背面側領域２３７が正面側領域２３６に対して折れ線Ｃ２１を介して内側に折曲する）ので、折れ線Ｃ２１と折れ線Ｃ３１は外側から見て山折りの状態となる。特に、折れ線Ｃ２１、Ｃ３１が設けられているので、背面側領域２２７、２３７が折れ線Ｃ２１、Ｃ３１を介して回動しやすく、切れ目線Ｋ２４−１、Ｋ３４−１を破断しやすくすることができる。
【０２９０】
なお、切れ目線Ｋ４２、Ｋ４３と切れ目線Ｋ２４−１、Ｋ３４−１は中央領域２４６の下端を外側にひっぱることにより破断されるので、実際には、中央領域２４６の下端を外側にひっぱるという１つの動作により、切れ目線Ｋ４２、Ｋ４３から切れ目線Ｋ２４−１、Ｋ３４−１まで（切れ目線Ｋ２４−１、Ｋ３４−１の正面側の端部まで）を破断させることができる。つまり、下背面部２４２における一対の切れ目線Ｋ４４、Ｋ４６間の領域である押し部４４を外側から押して、中央領域２４６の下端に指をひっかけ、中央領域２４６の下端を外側にひっぱることにより、右側領域２４７と下背面部２４２間の切れ目線Ｋ４２と左側領域２４８と下背面部２４２間の切れ目線Ｋ４３とが破断し、上右側面部２２５における折れ線Ｃ２１よりも背面側の領域である背面側領域２２７が折れ線Ｃ２１を介して内側に回動して切れ目線Ｋ２４−１（切れ目線Ｋ２４における背面側領域２２７と下右側面部２２２間の切れ目線）が破断するとともに、上左側面部２３５における折れ線Ｃ３１よりも背面側の領域である背面側領域２３７が折れ線Ｃ３１を介して内側に回動して切れ目線Ｋ３４−１（切れ目線Ｋ３４における背面側領域２３７と下左側面部２３２間の切れ目線）が破断する。破断の順序としては、中央領域２４６の下端を外側にひっぱることにより切れ目線Ｋ４２、Ｋ４３が内側から破断し、その後、切れ目線Ｋ２４−１、Ｋ３４−１が背面側から破断する。
【０２９１】
なお、切れ目線Ｋ２４−１、Ｋ３４−１を破断する際に、中央領域２４６の下端を外側にさらにひっぱるとともに、中央領域２４６を上方に引き上げる動作を行なうことにより、下右側面部２２２と背面側領域２２７とが縦方向に離間しようとするとともに、下左側面部２３２と背面側領域２３７とが縦方向に離間しようとするので、切れ目線Ｋ２４−１、Ｋ３４−１が破断していく。つまり、横方向の離間動作のみならず縦方向の離間動作を得ることができるので、切れ目線Ｋ２４−１、Ｋ３４−１を破断しやすくすることができる。
【０２９２】
その後、図２６に示すように、中央領域２４６を持つ手を上方に引き上げることにより、切れ目線Ｋ２４、Ｋ３４が正面側に向けて破断していく。つまり、切れ目線Ｋ２４における下右側面部２２２と正面側領域２２６間の部分の切れ目線Ｋ２４−２と、切れ目線Ｋ３４における下左側面部２３２と正面側領域２３６間の部分の切れ目線Ｋ３４−２とを正面側の端部位置まで破断していく。その際、他方の手で下側構成部Ａ−１の背面側の箇所を押さえた状態とするのが好ましい。つまり、左手で押さえる場合には、下背面部２４２と下右側面部２２２の角部の上端を押さえ、右手で押さえる場合（この場合は、中央領域２４６を左手で引き上げる）には、下背面部２４２と下左側面部２３２の角部の上端を押さえる。
【０２９３】
切れ目線Ｋ２４は、切れ目線Ｋ２４−１と切れ目線Ｋ２４−２とから構成され、切れ目線Ｋ３４は、切れ目線Ｋ３４−１と切れ目線Ｋ３４−２とから構成されている。
【０２９４】
切れ目線Ｋ２４、Ｋ３４を正面側に破断していく際に、切れ目線Ｋ２４、Ｋ３４が正面側にいくに従い上方となるように水平方向に対して傾斜して形成されているので、切れ目線Ｋ２４、Ｋ３４を破断しやすくすることができる。つまり、切れ目線Ｋ２４、Ｋ３４が正面側に向けて上方に形成されているので、上側構成部Ａ−２の背面側の端部を持ち上げる動作で切れ目線Ｋ２４、Ｋ３４を破断でき、上側構成部Ａ−２の背面側の端部を持ち上げる動作は力を入れやすく、また、破断箇所に掛かる力の方向が、切れ目線の破断方向に対する直角方向よりも破断方向（切れ目線に沿った方向で、破断する側への方向）に傾斜している（破断箇所に掛かる力の方向と破断方向とがなす角度が鋭角となる）ので、切れ目線をより破断しやすくすることができる。つまり、破断箇所に掛かる力Ｆの方向を鉛直方向（水平方向に対する直角方向）とすると（中央領域４６を上方に引き上げるので、破断箇所に掛かる力Ｆの方向を鉛直方向（水平方向に対する直角方向）となる）、破断箇所に掛かる力Ｆの方向と破断方向とがなす角度αは鋭角となり、図２９に示すように、破断箇所に掛かる力Ｆは、破断方向と直角方向の成分Ｆ１と、破断方向への成分Ｆ２とに分けられ、成分Ｆ１のみならず成分Ｆ２が存在するので、破断が容易となる。この場合と比較して、切れ目線の方向が水平方向の場合には、図２９（ｂ）のように、破断箇所に掛かる力Ｆの方向と破断方向とがなす角度αが直角となり、破断方向に直角の力のみとなり、破断方向への力の成分がないため、図２９（ａ）の場合に比べて破断が困難となる。また、切れ目線の方向が破断方向に向けて下降している場合には、図２９（ｃ）のように、破断箇所に掛かる力Ｆの方向と破断方向とがなす角度αが鈍角となり、破断箇所に掛かる力Ｆは、破断方向と直角方向の成分Ｆ１と破断方向と反対方向の成分Ｆ２に分けられるため、図２９（ｂ）の場合に比べてさらに破断が困難となる。なお、図２９においては、切れ目線を模式的に直線により示している。
【０２９５】
なお、切れ目線Ｋ４２における複数の切込みの配設方向は、切れ目線Ｋ４１側から背面部２４０の右側面側の端部（切れ目線Ｋ２４側）にいくに従い上側となるように斜め上方に傾斜しており、切れ目線Ｋ４３における複数の切込みの配設方向は、切れ目線Ｋ４１側から背面部２４０の左側面側の端部にいくに従い上側となるように斜め上方に傾斜しているので、切れ目線Ｋ２４、Ｋ３４の場合と同じ理由で破断しやすいといえる。つまり、中央領域２４６の下端を外側にひっぱることにより、中央領域２４６は背面部２４０の上辺を中心に回動するので、中央領域２４６の下端は上下方向では上側にひっぱられ、中央領域２４６の下端が上側にひっぱられるに伴い、右側領域２４７と左側領域２４８の下端も上側にひっぱられるが、破断箇所に掛かる力の方向が、切れ目線の破断方向に対する直角方向よりも破断方向（切れ目線に沿った方向で、破断する側への方向）に傾斜している（破断箇所に掛かる力の方向と破断方向とがなす角度が鋭角となる）ので、切れ目線をより破断しやすくすることができる。
【０２９６】
切れ目線Ｋ２４、Ｋ３４の正面側の端部位置にまで破断したら、中央領域２４６を正面側斜め上方に引き上げることにより、上側構成部Ａ−２が切れ目線Ｋ２２、Ｋ３２の正面側の端部位置を中心に回動しながら切れ目線Ｋ２２、Ｋ３２が破断されるので、その後、上側構成部Ａ−２をさらに正面側（又は正面下側）にひっぱることにより、切れ目線Ｋ１４、Ｋ１５が破断され、その後、切れ目線Ｋ１２、Ｋ１３が破断されて、最後に切れ目線Ｋ１１が破断されて、上側構成部Ａ−２が下側構成部Ａ−１と分離される。
【０２９７】
上側構成部Ａ−２を取り外した状態は、図２７、図２８に示すようになり、下側構成部Ａ−１に被収納物Ｇが収納された状態となるので、この状態で、被収納物Ｇを陳列する。
【０２９８】
なお、下正面部２１２は、略Ｕ字状に形成され、左右両側を除く部分が低く形成されているので、被収納物Ｇを正面側から視認しやすくなっている。また、下側構成部Ａ−１の上方は開口しているので、被収納物Ｇを取り出す場合には、被収納物Ｇを上方に引き出して取り出せばよい。
【０２９９】
なお、紙製箱Ｑでは、上側構成部Ａ−２を取り除くものであり、帯状のジッパーを取り除く構成ではないため、帯状のジッパーが廃棄物として発生せず、上側構成部Ａ−２のみを廃棄すればよい。つまり、２本の平行な切れ目線を周状に形成して帯状のジッパーを設けた構成の場合には、ジッパーの上側の部分とジッパー自体の２つの廃棄物が発生するが、本実施例の場合には、廃棄物としては、上側構成部Ａ−２のみとすることができる。
【０３００】
紙製箱Ｑにおいては、図１５に示す切れ目線Ｂ１や図１６に示す切れ目線Ｂ２が設けられている（特に、切れ目線開封方向が直線状の場合に設けられている）ので、実施例１の場合と同様の効果を得ることができる。
【０３０１】
すなわち、切れ目線Ｂ１の切込み１０においては、第１曲線部１４が端部ｍ１４を通る仮想直線１０ＥよりもＹ２側（図１５）（第２曲線部１６が膨出した側とは反対側）に突出し、最突出点ｎ１４と仮想直線１０Ｅ間に長さＬ１２の間隔が設けられており、また、端部ｍ１１が端部ｍ１４を通る仮想直線１０ＥよりもＹ１側（図１５）（第２曲線部１６が膨出した側）に突出し、端部ｍ１１と仮想直線１０Ｅ間に長さＬ１１の間隔が設けられているので、ブランクの剥離（つまり、表層剥離）を防止することができる。また、剥離を防止できるので、破断（切断としてもよい）後のブランクの破断線（切断線としてもよい）の見栄えをよくすることができ、また、剥離を防止できるので、その分少ない力で破断を行なうことができる。
【０３０２】
なお、範囲１０Ｇ２の切れ目線における切れ目線Ｋ４３と切れ目線Ｋ３４−１の範囲においては、上記実施例１の場合と同様に、切れ目線を介した一方の領域を他方の領域に対してブランクの面に対し略垂直方向に引き離すが、実施例１においては、切込み１０のＹ１側（図１５参照）（つまり、帯状部４０側）を引っ張るのに対して、本実施例では、切込み１０のＹ２側（図１５参照）をひっぱるので、実施例１の場合に比べて、最突出点ｎ１４側への成分が比較的多いといえるが、切れ目線Ｋ４３、Ｋ３４−１が切れ目線開封方向に沿って斜め上方に向いているので、その分最突出点ｎ１４側への成分が少なくなり、また、長さＬ１２の間隔が設けられているので、剥離を防止できる。
【０３０３】
また、切れ目線Ｂ１を介したＹ１側（端部ｍ１１）の領域をブランクの面に対し略垂直方向に引っ張る場合には、実施例１のジッパーＡの場合と同様に、長さＬ１１が設けられていることにより、次の切込み１０の傾斜部１２の端部ｍ１１側に向かう破断力を広く受け止めることができる。
【０３０４】
また、切れ目線Ｋ３４における切れ目線Ｋ３４−１以外の部分と切れ目線Ｋ３２、Ｋ１５においては、切れ目線を介した一方の領域を他方の領域に対してブランクの面に対し略平行な方向に引き離すので、切込み１０からの破断力は次の切込み１０の端部ｍ１１側に行きやすく、第１曲線部１４側に破断されることによる剥離を防止することができ、特に、長さＬ１１が長さＬ１２よりも長く形成されているので、破断力を傾斜部１２により広く受け止めることができ、ブランクの剥離を防止することができる。
【０３０５】
なお、端部ｍ１４における第２曲線部１６の接線１６Ｅは、後側に隣接する切込み１０には接しないが、端部ｍ１４からの破断力がジッパー開封方向よりも外側に向かう確率は極めて低く、また、角度α１５は、角度α１６の半分よりも小さい角度となっているので、端部ｍ１４からの破断力が破断方向Ｈ１（最突出点ｎ１４への方向）よりも外側に向かう確率は極めて小さいので、破断における支障はないといえる。
【０３０６】
また、切れ目線Ｂ２の切込み２０においても、切込み１０の場合と同様であり、第１曲線部２４が端部ｍ２４を通る仮想直線２０ＥよりもＹ１側（図１６）（第２曲線部２６が膨出した側とは反対側）に突出し、最突出点ｎ１４と仮想直線１０Ｅ間に長さＬ１２の間隔が設けられており、また、端部ｍ１１が端部ｍ１４を通る仮想直線１０ＥよりもＹ２側（図１６）（第２曲線部２６が膨出した側）に突出し、端部ｍ１１と仮想直線１０Ｅ間に長さＬ１１の間隔が設けられているので、ブランクの剥離（つまり、表層剥離）を防止することができる。また、剥離を防止できるので、破断（切断としてもよい）後のブランクの破断線（切断線としてもよい）の見栄えをよくすることができ、また、剥離を防止できるので、その分少ない力で破断を行なうことができる。
【０３０７】
なお、範囲２０Ｇ３の切れ目線における切れ目線Ｋ４２と切れ目線Ｋ２４−１の範囲においては、上記実施例１の場合と同様に、切れ目線を介した一方の領域を他方の領域に対してブランクの面に対し略垂直方向に引き離すが、本実施例では、切込み２０のＹ２側（図１６参照）をひっぱるので、実施例１の場合に比べて、最突出点ｎ２４側への成分が比較的多いといえるが、切れ目線Ｋ４２、Ｋ２４−１が切れ目線開封方向に沿って斜め上方に向いているので、その分最突出点ｎ２４側への成分が少なくなり、また、長さＬ２２の間隔が設けられているので、剥離を防止できる。
【０３０８】
なお、切れ目線Ｋ２４における切れ目線Ｋ２４−１以外の部分と切れ目線Ｋ２２、Ｋ１４においては、切れ目線を介した一方の領域を他方の領域に対してブランクの面に対し略平行な方向に引き離すので、切込み２０からの破断力は次の切込み２０の端部ｍ２１側に行きやすく、第１曲線部２４側に破断されることによる剥離を防止することができ、長さＬ２１が長さＬ２２よりも長く形成されているので、破断力を傾斜部２２により広く受け止めることができ、ブランクの剥離を防止することができる。
【０３０９】
なお、端部ｍ２４における第２曲線部２６の接線２６Ｅは、後側に隣接する切込み２０には接しないが、端部ｍ２４からの破断力がジッパー開封方向よりも外側に向かう確率は極めて低く、また、角度α２５は、角度α２６の半分よりも小さい角度となっているので、端部ｍ２４からの破断力が最突出点ｎ２４への方向よりも外側に向かう確率は極めて小さいので、破断における支障はないといえる。
【０３１０】
また、傾斜部１２、２２が開封方向に対する直角方向に対して傾斜しており、傾斜部１２、２２の第１曲線部１４、２４側が開封方向後側（Ｘ２側）となっている（つまり、接触点ｍ１２が端部ｍ１１よりも後側にあり、接触点ｍ２２が端部ｍ２１よりも後側にある）ので、傾斜部１２、２２に伝えられた破断力をスムーズに第１曲線部１４、２４に伝えることができる。よって、少ない力で破断を行なうことができる。
【０３１１】
また、角度α１１が角度α１４よりも大きく、角度α２１が角度α２４よりも大きい（α１１＞α１４、α２１＞α２４）ので、傾斜部１２、２２の仮想直線１０Ｅ、２０Ｅに対する傾斜が大きく、傾斜部１２、２２からの破断力が第１曲線部１４、２４を介して第２曲線部１６、２６に伝わりやすく、ブランクの紙材の剥離が起こりにくい。よって、ブランクの切断面５２、５４の見栄えをよくすることができる。
【０３１２】
また、角度α１３、α２３が直角以下に形成されているので、その分、傾斜部１２、２２の仮想直線１０Ｅ、２０Ｅに対する角度α１１、α２１を大きくすることができて、１つ前の切込み１０、２０からの破断力を傾斜部１２、２２で受け止めやすく、これによっても、ブランクの剥離を防止することができる。
【０３１３】
また、第２曲線部１６、２６が円弧状に形成されているので、切れ目線Ｂ１、Ｂ２が形成されたブランクに対して、ブランクの面に対して垂直方向に力が加わった場合に、切れ目線Ｂ１、Ｂ２の破断を小さくすることができる。
【０３１４】
つまり、切れ目線Ｂ１（Ｂ２）近傍の領域が押された場合には、第２曲線部１６（２６）における範囲で、押された領域を通る仮想直線でジッパー開封方向に沿った仮想直線と第２曲線部１６（２６）間の長さが該領域から離れるに従って短くなる範囲においては、該切れ目線Ｂ１（Ｂ２）を介して押された領域の側が沈み込むのを規制できるので、隙間の破断や破断の連鎖を防止することができる。
【０３１５】
例えば、図３０において、切れ目線Ｂ１よりもＹ１側（第２曲線部１６が膨出した側）の領域で、切れ目線開封方向に隣接する一対の切込み１０−１と切込み１０−２間の領域Ｒ１１が押された場合には、上記実施例１において、図９における領域Ｒ１が押された場合と同様となり、領域Ｒ１について述べた理由により切れ目線Ｂ１の破断を小さくすることができる。
【０３１６】
つまり、切込み１０−１の第２曲線部１６における最突出点ｎ１６よりもＸ２側の範囲（つまり、第２曲線部１６と仮想直線間の長さが領域Ｒ１１から離れるに従い短くなる範囲）と、切込み１０−２の第２曲線部１６における最突出点ｎ１６よりもＸ１側の範囲（つまり、第２曲線部１６と仮想直線間の長さが領域Ｒ１１から離れるに従い短くなる範囲）とで、切れ目線Ｂ１よりもＹ１側の領域が沈み込むのを規制できるので、切込み１０−１と切込み１０−２間の隙間が破断した場合でも、隣接する次の隙間（切込み１０−１と切込み１０−０間の隙間や切込み１０−２と切込み１０−３間の隙間）が破断するのを防止することができ、隙間の破断の連鎖を防止することができる。
【０３１７】
なお、第２曲線部１６が楕円弧の場合でも、第２曲線部１６と仮想直線間の長さが領域Ｒ１１から離れるに従い短くなる範囲が存在するので、切れ目線Ｂ１、Ｂ２の破断を小さくすることができる。
【０３１８】
また、図３０において、切れ目線Ｂ１よりもＹ１側（第２曲線部１６が膨出した側）の領域で、第２曲線部１６のＹ１側の領域Ｒ１２が押された場合には、実施例１において、図９における領域Ｒ２が押された場合と同様となり、領域Ｒ２について述べた理由により切れ目線Ｂ１の破断を小さくすることができる。
【０３１９】
また、図３０において、切れ目線Ｂ１よりもＹ２側（第２曲線部１６が膨出した側とは反対側）の領域で、第２曲線部１６のＹ２側の領域Ｒ１３が押された場合には、上記実施例１において、図１０における領域Ｒ３が押された場合と同様となり、領域Ｒ３について述べた理由により切れ目線Ｂ１の破断を小さくすることができる。
【０３２０】
また、図３０において、切れ目線Ｂ１よりもＹ２側（第２曲線部１６が膨出した側とは反対側）の領域で、切れ目線開封方向に隣接する一対の切込み１０−１と切込み１０−２間の領域Ｒ１４が押された場合には、上記実施例１において、図１０における領域Ｒ４が押された場合と同様となり、領域Ｒ４について述べた理由により切れ目線Ｂ１の破断を小さくすることができる。
【０３２１】
また、領域Ｒ１２、Ｒ１３、Ｒ１４が押された場合に、第２曲線部１６が楕円弧の場合でも、同様の理由により切れ目線Ｂ１の破断を小さくすることができる。
【０３２２】
また、切れ目線Ｂ２についても、切れ目線Ｂ１と比べて、左右対称である以外は同様の構成であり、切れ目線Ｂ１の場合と同様の理由で、切れ目線Ｂ２の破断を小さくすることができる。
【０３２３】
また、本実施例の紙製箱Ｑによれば、押し部２４４を押すことにより、中央領域２４６の下側に指を入れるスペースが形成されるので、紙製箱Ｑの上側構成部Ａ−２を取り除く際に、最初に指を引っ掛ける操作を容易に行なうことができる。
【０３２４】
また、上記のように、折れ線Ｃ４２、Ｃ４３が設けられているので、切れ目線Ｋ４２、Ｋ４３の破断が容易であり、折れ線Ｃ２１、Ｃ３１が設けられているので、切れ目線Ｋ２４−１、Ｋ３４−１の破断が容易となり、中央領域２４６の下端を外側にひっぱるという１つの動作により、切れ目線Ｋ４２、Ｋ４３から切れ目線Ｋ２４−１、Ｋ３４−１までを破断させることができる。また、切れ目線Ｋ２４、Ｋ３４が正面側にいくに従い上方となるように水平方向に対して傾斜して形成されているので、切れ目線Ｋ２４、Ｋ３４の破断が容易とすることができる。以上のようにして、最初に指を引っ掛ける操作の後の切れ目線の切断を容易に行なうことができる。
【０３２５】
なお、切れ目線Ｋ２４は直線状に形成されているとしたが、切れ目線Ｋ２４−１と切れ目線Ｋ２４−２の境界位置（折れ線Ｃ２１の切れ目線Ｋ２４側の端部位置）で屈曲した構成としてもよく、切れ目線Ｋ２４−１は、背面側から正面側にいくに従い上方となる構成でなくてもよく、例えば、切れ目線Ｋ２４−１を水平方向に形成してもよい。同様に、切れ目線Ｋ３４は直線状に形成されているとしたが、切れ目線Ｋ３４−１と切れ目線Ｋ３４−２の境界位置（折れ線Ｃ３１の切れ目線Ｋ３４側の端部位置）で屈曲した構成としてもよく、切れ目線Ｋ３４−１は、背面側から正面側にいくに従い上方となる構成でなくてもよく、例えば、切れ目線Ｋ３４−１を水平方向に形成してもよい。なお、この点を実施例２の切れ目線Ｋ２４’、Ｋ３４’に適用してもよい。
【０３２６】
また、切れ目線Ｋ４２、Ｋ４３は背面部２４０の外側にいくほど上側となるように傾斜して形成されているとしたが、水平方向（背面部２４０の下辺と平行な方向）に形成してもよい。なお、この点を実施例２の切れ目線Ｋ４２’、Ｋ４３’に適用してもよい。
【０３２７】
また、切れ目線Ｋ２０は、切れ目線Ｋ２２と切れ目線Ｋ２４とを有しているが、切れ目線Ｋ２２の代わりに切れ目線Ｋ２４を右側面部２２０の正面側の端部にまで延長させた構成としてもよく、切れ目線Ｋ３０は、切れ目線Ｋ３２と切れ目線Ｋ３４とを有しているが、切れ目線Ｋ３２の代わりに切れ目線Ｋ３４を左側面部２３０の正面側の端部にまで延長させた構成としてもよい。つまり、切れ目線Ｋ２０が右側面部２２０の背面側の端部から正面側の端部にまで正面側にいくほど上側となるように形成され、切れ目線Ｋ３０が左側面部２３０の背面側の端部から正面側の端部にまで正面側にいくほど上側となるように形成されるようにしてもよい。
【０３２８】
なお、図面において、Ｙ１−Ｙ２方向は、Ｘ１−Ｘ２方向に直角な方向である。
【符号の説明】
【０３２９】
Ａ  ジッパー
Ａ１、Ａ２、Ｂ１、Ｂ２、Ｋ５、Ｋ１０、Ｋ１１、Ｋ１２、Ｋ１３、Ｋ１４、Ｋ１５、Ｋ２０、Ｋ２２、Ｋ２４、Ｋ２４−１、Ｋ２４−２、Ｋ３０、Ｋ３２、Ｋ３４、Ｋ３４−１、Ｋ３４−２、Ｋ４０、Ｋ４１、Ｋ４２、Ｋ４３、Ｋ４４、Ｋ４５  切れ目線
１０、１０−０、１０−１、１０−２、１０−３、２０、２０−０、２０−１、２０−２、２０−３、３２、３４、３６、Ｋ４４、Ｋ４５  切込み
１２、２２  傾斜部
１４、２４  第１曲線部
１６、２６  第２曲線部
４０  帯状部
４２、４４、Ｒ１、Ｒ２、Ｒ３、Ｒ４、Ｒ１１、Ｒ１２、Ｒ１３、Ｒ１４  領域
５０  隙間
５２、５４  切断面
１０Ｅ、１０Ｅ’、１７Ｅ、２０Ｅ、２０Ｅ’、２７Ｅ  仮想直線
１１Ｅ、２１Ｅ  仮想曲線
１２Ｅ、２２Ｅ  延長線
１２Ｆ、１４Ｅ、１４Ｆ、１６Ｅ、２２Ｆ、２４Ｅ、２４Ｆ、２６Ｅ  接線
Ａｈ、Ａｈ’  中心線
ｍ１１、ｍ１４、ｍ２１、ｍ２４  端部
ｍ１２、ｍ１３、ｍ２２、ｍ２３  接触点
Ｐ、Ｑ  紙製箱
２０５  スリーブ状部
２１０  正面部
２１２  下正面部
２１５  上正面部
２２０  右側面部
２２２  下右側面部
２２５  上右側面部
２２６、２３６  正面側領域
２２７、２３７  背面側領域
２３０  左側面部
２３２  下左側面部
２３５  上左側面部
２４０  背面部
２４２  下背面部
２４３  下背面部本体
２４４  押し部
２４５  上背面部
２４６  中央領域
２４７  右側領域
２４８  左側領域
３１０、３４０  蓋部
３２０、３３０  フラップ部
４００  底面部
Ａ−１  下側構成部
Ａ−２  上側構成部
【図１】
0006684143.tif 000002
【図２】
0006684143.tif 000003
【図３】
0006684143.tif 000004
【図４】
0006684143.tif 000005
【図５】
0006684143.tif 000006
【図６】
0006684143.tif 000007
【図７】
0006684143.tif 000008
【図８】
0006684143.tif 000009
【図９】
0006684143.tif 000010
【図１０】
0006684143.tif 000011
【図１１】
0006684143.tif 000012
【図１２】
0006684143.tif 000013
【図１３】
0006684143.tif 000014
【図１４】
0006684143.tif 000015
【図１５】
0006684143.tif 000016
【図１６】
0006684143.tif 000017
【図１７】
0006684143.tif 000018
【図１８】
0006684143.tif 000019
【図１９】
0006684143.tif 000020
【図２０】
0006684143.tif 000021
【図２１】
0006684143.tif 000022
【図２２】
0006684143.tif 000023
【図２３】
0006684143.tif 000024
【図２４】
0006684143.tif 000025
【図２５】
0006684143.tif 000026
【図２６】
0006684143.tif 000027
【図２７】
0006684143.tif 000028
【図２８】
0006684143.tif 000029
【図２９】
0006684143.tif 000030
【図３０】
0006684143.tif 000031
【図３１】
0006684143.tif 000032
【図３２】
0006684143.tif 000033
【図３３】
0006684143.tif 000034
【図３４】
0006684143.tif 000035
【図３５】
0006684143.tif 000036